(57)【要約】  他の利点の中でも特に線維性癒着を抑制する、変性され且つ／又は精製されたフカン及び対応するフカン含有組成物のために、組成物、方法、システムなどが提供される。前記精製／変性フカン及びフカン組成物では、出発フカン組成物に見られるような非フカン性の成分又は不純物のレベルが低下している。かかる低減された望ましくない成分又は不純物としては、例えば、フカンに結合している望ましくない成分、並びにフカンの一部でないか又は化学的に及び／若しくはイオン的にフカンに結合していない組成物中の化合物が挙げられる。
2021533218.tif 000002
【特許請求の範囲】
【請求項１】
約９６％ｗ／ｗ以上のフカンと約４％ｗ／ｗ以下の非フカン性の成分又は化合物又は物質とからなるフカン組成物、ここで前記フカンはフコース、硫酸（sulfate）及び対イオンを含み、これらに加えてさらにフコース、硫酸、対イオン、ガラクトース、グルコース、ラムノース、マンノース、キシロース及びグルクロン酸からなるものであってよい。
【請求項２】
前記フカンは約１７％ｗ／ｗ以下の対イオンを含み、前記フカンにおけるフコース、ガラクトース、硫酸及び対イオンの総含有量は９６％ｗ／ｗ超である、請求項１に記載のフカン組成物。
【請求項３】
前記フカンがフコース、ガラクトース、硫酸及び対イオンからなる、請求項１に記載のフカン組成物。
【請求項４】
前記不純物が水を含む、請求項１〜請求項３のいずれか一項に記載のフカン組成物。
【請求項５】
前記フカン及び約３％以下の前記不純物からなる、請求項１〜請求項４のいずれか一項に記載のフカン組成物。
【請求項６】
前記フカン及び約２％以下の前記不純物からなる、請求項１〜請求項４のいずれか一項に記載のフカン組成物。
【請求項７】
前記フカン及び約１％以下の前記不純物からなる、請求項１〜請求項４のいずれか一項に記載のフカン組成物。
【請求項８】
前記フカン及び約０．１％以下の前記不純物からなる、請求項１〜請求項４のいずれか一項に記載のフカン組成物。
【請求項９】
前記フカンのフコース含有量が２５％ｗ／ｗ超である、請求項１〜請求項８のいずれか一項に記載のフカン組成物。
【請求項１０】
前記フカンのフコース含有量が３０％ｗ／ｗ超である、請求項１〜請求項８のいずれか一項に記載のフカン組成物。
【請求項１１】
前記フカンのフコース含有量が３５％ｗ／ｗ超である、請求項１〜請求項８のいずれか一項に記載のフカン組成物。
【請求項１２】
前記フカンのフコース含有量が４０％ｗ／ｗ超である、請求項１〜請求項８のいずれか一項に記載のフカン組成物。
【請求項１３】
前記フカンのガラクトース含有量が１０％ｗ／ｗ未満である、請求項１〜請求項８のいずれか一項に記載のフカン組成物。
【請求項１４】
前記フカンのガラクトース含有量が５％ｗ／ｗ未満である、請求項１〜請求項８のいずれか一項に記載のフカン組成物。
【請求項１５】
前記フカンの対イオンの総含有量が１７％ｗ／ｗ未満である、請求項１〜請求項８のいずれか一項に記載のフカン組成物。
【請求項１６】
前記フカンの対イオンの総含有量が１４％ｗ／ｗ未満である、請求項１〜請求項８のいずれか一項に記載のフカン組成物。
【請求項１７】
前記フカンの対イオンの総含有量が１０％ｗ／ｗ未満である、請求項１〜請求項８のいずれか一項に記載のフカン組成物。
【請求項１８】
前記フカンの対イオンの総含有量が７％ｗ／ｗ未満である、請求項１〜請求項８のいずれか一項に記載のフカン組成物。
【請求項１９】
前記対イオンが医薬的に許容される対イオンである、請求項１〜請求項１８のいずれか一項に記載のフカン組成物。
【請求項２０】
前記医薬的に許容される対イオンがアルミニウム、アルギニン、ベンザチン、クロロプロカイン、コリン、ナトリウム、カリウム、リチウム、アンモニウム、エチレンジアミン、ジエチルアミン、ジエタノールアミン、エタノールアミン、ヒスチジン、リジン、Ｎ−メチルグルカミン、メグルミン、プロカイン、トリエチルアミン、亜鉛、カルシウム、及びマグネシウムのうち少なくとも１つを含む、請求項１９に記載のフカン組成物。
【請求項２１】
前記医薬的に許容される対イオンがナトリウム及びカリウムのうち少なくとも１つを含む、請求項１９に記載のフカン組成物。
【請求項２２】
前記医薬的に許容される対イオンが本質的にナトリウム及びカリウムのうち少なくとも１つからなる、請求項１９に記載のフカン組成物。
【請求項２３】
有効分子量範囲が約５０ｋＤａ〜約５，０００ｋＤａでありヒドロキシル化ポリメタクリレート系ゲルが充填されている内径が７．８ｍｍの３００ｍｍ分析ゲル浸透クロマトグラフィーカラム１つ、有効分子量範囲が約１ｋＤａ〜約６，０００ｋＤａでありヒドロキシル化ポリメタクリレート系ゲルが充填されている内径が７．８ｍｍの３００ｍｍ分析ゲル浸透クロマトグラフィーカラム１つ、及びヒドロキシル化ポリメタクリレート系ゲルが充填されている内径が６ｍｍの４０ｍｍガードカラム１つ、ここで前記２つの分析ゲル浸透クロマトグラフィーカラム及び前記１つのガードカラムは約３０℃のカラムコンパートメントに収容されている；
約３０℃の示差屈折率検出器；
０．６ｍＬ／分の０．１Ｍ硝酸ナトリウム移動相流；及び
ピーク分子量が約２，２００ｋＤａの第１デキストラン標準品、ピーク分子量が約７２０ｋＤａ〜約７６０ｋＤａの第２デキストラン標準品、ピーク分子量が約４７０ｋＤａ〜約５１０ｋＤａの第３デキストラン標準品、ピーク分子量が約３７０ｋＤａ〜約４１０ｋＤａの第４デキストラン標準品、ピーク分子量が約１８０ｋＤａ〜約２２０ｋＤａの第５デキストラン標準品、及びピーク分子量が約４０ｋＤａ〜５５ｋＤａの第６デキストラン標準品から実質的になるピーク分子量標準曲線と照らし合わせての定量（quantification）
から実質的になる水系ゲル浸透クロマトグラフィー構成を用いて測定される場合に、分布の少なくとも６０％ｗ／ｗが１００ｋＤａ超となっている分子量分布を前記フカンが有する、請求項１〜請求項２２のいずれか一項に記載のフカン組成物。
【請求項２４】
前記フカンは、分布の少なくとも９２％ｗ／ｗが１００ｋＤａ超となっている分子量分布を有する、請求項２３に記載のフカン組成物。
【請求項２５】
前記フカンは、分布の少なくとも９７％ｗ／ｗが１００ｋＤａ超となっている分子量分布を有する、請求項２３に記載のフカン組成物。
【請求項２６】
前記フカンが１００ｋＤａより大きい重量平均分子量を有する、請求項２３に記載のフカン組成物。
【請求項２７】
前記フカンの硫酸化レベルが約２０％ｗ／ｗ〜６０％ｗ／ｗである、請求項１〜請求項２６のいずれか一項に記載のフカン組成物。
【請求項２８】
前記フカンの硫酸化レベルが約３０％ｗ／ｗ〜５５％ｗ／ｗである、請求項１〜請求項２６のいずれか一項に記載のフカン組成物。
【請求項２９】
前記フカンの硫酸化レベルが約３５％ｗ／ｗ〜５２％ｗ／ｗである、請求項１〜請求項２６のいずれか一項に記載のフカン組成物。
【請求項３０】
前記フカンの総炭水化物含有量が２７％ｗ／ｗ〜８０％ｗ／ｗである、請求項１〜請求項２６のいずれか一項に記載のフカン組成物。
【請求項３１】
前記フカンのグルクロン酸、マンノース、ラムノース、グルコース及びキシロースの総含有量が、総炭水化物含有量に対する割合として約１２％ｗ／ｗ未満である、請求項３０に記載のフカン組成物。
【請求項３２】
水に５０ｍｇ／ｍＬの濃度で溶解される場合に約４ｃＰ〜５０ｃＰの粘度を有する、請求項１〜請求項３１のいずれか一項に記載のフカン組成物。
【請求項３３】
水に５０ｍｇ／ｍＬの濃度で溶解される場合に約１５ｃＰ〜３０ｃＰの粘度を有する、請求項１〜請求項３１のいずれか一項に記載のフカン組成物。
【請求項３４】
白色固体である、請求項１〜請求項３３のいずれか一項に記載のフカン組成物。
【請求項３５】
水に１ｍｇ／ｍＬ〜１００ｍｇ／ｍＬの濃度で溶解される場合に透明あるいは無色である溶液を形成する、請求項１〜請求項３４のいずれか一項に記載のフカン組成物。
【請求項３６】
前記フカンのアセチル含有量が約５％ｗ／ｗ未満である、請求項１〜請求項３５のいずれか一項に記載のフカン組成物。
【請求項３７】
前記フカンのアセチル含有量が約２％ｗ／ｗ未満である、請求項１〜請求項３５のいずれか一項に記載のフカン組成物。
【請求項３８】
５ｍｍのコールドプローブを備えた６００ＭＨｚ分光計により、溶媒シグナルを抑制しつつ７０℃で、各回２５６〜５１２回の走査として８ずつ回数を増加させつつ、炭素次元における１０〜３０ｐｐｍの範囲で、２Ｄ１Ｈ−１３Ｃ異核多量子コヒーレンスによって測定される場合に、前記フカンの有するアセチル含有量が実質的に０％ｗ／ｗである、請求項１〜請求項３５のいずれか一項に記載のフカン組成物。
【請求項３９】
請求項１〜請求項３８のいずれか一項に記載のフカン組成物を作製することを含む方法。
【請求項４０】
請求項１〜請求項３８のいずれか一項に記載のフカン組成物を使用することを含む方法。
【請求項４１】
前記使用することが線維性癒着を処置することを含む請求項４０に記載の方法。
【請求項４２】
医学的に許容しうる緩衝剤又は希釈剤の中に治療上有効量の請求項１〜請求項３８のいずれか一項に記載のフカン組成物を含む、医学的に許容しうる組成物。
【請求項４３】
動物における状態又は疾患を処置する方法であって、前記状態又は前記疾患を処置するために請求項４２に記載の医学的に許容しうる組成物を選択すること、及び前記動物に約０．５ｍｇ／ｋｇ〜５０ｍｇ／ｋｇを含む治療上有効量の前記フカンを投与すること、を含む方法。
【請求項４４】
動物における状態又は疾患を処置する方法であって、前記状態又は前記疾患を処置するために請求項４２に記載の医学的に許容しうる組成物を選択すること、及び前記動物に約０．０４ｍｇ／ｋｇ〜２５ｍｇ／ｋｇの治療上有効量の前記フカンを投与すること、を含む方法。
【請求項４５】
前記量が約０．２ｍｇ／ｋｇ〜１０ｍｇ／ｋｇである、請求項４３又は請求項４４に記載の方法。
【請求項４６】
前記量が約１ｍｇ／ｋｇ〜５ｍｇ／ｋｇである、請求項４３又は請求項４４に記載の方法。
【請求項４７】
前記量が約１．５ｍｇ／ｋｇ〜３ｍｇ／ｋｇである、請求項４３又は請求項４４に記載の方法。
【請求項４８】
前記量が約５ｍｇ／ｋｇ〜１０ｍｇ／ｋｇである、請求項４３又は請求項４４に記載の方法。
【請求項４９】
前記状態又は前記疾患が、前記動物における標的部位における線維性癒着であり、前記投与が、前記標的部位に前記治療上有効量を投与することを含む、請求項４３〜請求項４８のいずれか一項に記載の方法。
【請求項５０】
請求項１〜請求項３８のいずれか一項に記載のフカン組成物を約０．０２ｍｇ／ｍＬ〜１００ｍｇ／ｍＬ含む医療組成物であって、動物における疾患又は状態を処置するために構成され且つ組成される、医療組成物。
【請求項５１】
前記フカン組成物を約０．５ｍｇ／ｍＬ〜５ｍｇ／ｍＬ含む請求項５０に記載の医療組成物。
【請求項５２】
前記フカン組成物を約２．５ｍｇ／ｍＬ含む請求項５０に記載の医療組成物。
【請求項５３】
前記医療組成物が医療デバイスである、請求項５０〜請求項５２のいずれか一項に記載の医療組成物。
【請求項５４】
前記医療組成物が液体医療デバイスである、請求項５０〜請求項５２のいずれか一項に記載の医療組成物。
【請求項５５】
前記医療組成物が医薬組成物である、請求項５０〜請求項５２のいずれか一項に記載の医療組成物。
【請求項５６】
前記医療組成物が液体医薬組成物である、請求項５０〜請求項５２のいずれか一項に記載の医療組成物。
【請求項５７】
前記疾患又は前記状態が線維性癒着である、請求項５０〜請求項５６のいずれか一項に記載の医療組成物。
【請求項５８】
動物における疾患又は状態を処置するための約０．０１ｍＬ／ｋｇ〜１５ｍＬ／ｋｇを含む用量範囲の請求項５０〜請求項５７のいずれか一項に記載の医療組成物の使用。
【請求項５９】
動物における疾患又は状態を処置するための約０．０３ｍＬ／ｋｇ〜４ｍＬ／ｋｇを含む用量範囲の請求項５０〜請求項５７のいずれか一項に記載の医療組成物の使用。
【請求項６０】
動物における疾患又は状態を処置するための約０．０６ｍＬ／ｋｇ〜２ｍＬ／ｋｇを含む用量範囲の請求項５０〜請求項５７のいずれか一項に記載の医療組成物の使用。
【請求項６１】
動物における疾患又は状態を処置するための約２ｍＬ／ｋｇ〜４ｍＬ／ｋｇを含む用量範囲の請求項５０〜請求項５７のいずれか一項に記載の医療組成物の使用。
【請求項６２】
患者における選択された疾患又は状態を処置するための方法であって、患者における前記選択された疾患もしくは状態を含むか又は前記選択された疾患もしくは状態に罹患しやすいといえる（reasonably susceptible）選択された標的部位を同定すること、及びその後に、前記患者における標的部位に請求項５０〜請求項５７のいずれか一項に記載の医療組成物を投与することを含む方法。
【請求項６３】
前記疾患又は前記状態が線維性癒着である、請求項６２に記載の方法。
【請求項６４】
前記標的部位が手術部位であり、前記投与がａ）前記手術部位における手術創を開けた後、ｂ）手術中、及びｃ）前記手術創を閉じた後、のうち少なくとも１つにおいて行われる、請求項６２又は請求項６３に記載の方法。
【請求項６５】
前記投与が手術後且つ前記手術創を閉じる前に行われる、請求項６２又は請求項６３に記載の方法。
【請求項６６】
前記投与が３分間未満かかる、請求項６２又は請求項６３に記載の方法。
【請求項６７】
前記投与が２分間未満かかる、請求項６２又は請求項６３に記載の方法。
【請求項６８】
前記投与が１分間未満かかる、請求項６２又は請求項６３に記載の方法。
【請求項６９】
前記標的部位が、病変、擦過傷及び傷害部位のうち少なくとも１つである、請求項６２〜請求項６８のいずれか一項に記載の方法。
【請求項７０】
前記標的部位が、骨盤腔、腹腔、背側腔、頭蓋腔、脊髄腔、腹側腔、胸腔、胸膜腔、心膜腔、関節、筋肉、腱及び靭帯のうち少なくとも１つである、請求項６９に記載の方法。
【請求項７１】
精製／変性フカン組成物を得るために出発フカン組成物から不純物を除去する方法であって、
不純物を含む出発フカン組成物を提供すること、
凝集助剤を前記出発フカン組成物に添加して反応混合物を生成すること、
前記反応混合物を加熱することによって前記不純物を凝集させて、凝集した不純物を生成すること、及び
前記凝集した不純物を除去すること
を含む方法。
【請求項７２】
前記出発フカン組成物を提供することは、前記出発フカン組成物を溶液として提供することを含む、請求項７１に記載の方法。
【請求項７３】
不純物が低減された溶液中の前記精製／変性フカン組成物を回収することをさらに含む、請求項７１に記載の方法。
【請求項７４】
前記不純物を凝集させることが、大気圧を超える圧力において前記反応混合物を加熱することを含む、請求項７１に記載の方法。
【請求項７５】
前記凝集助剤は塩を含む、請求項７１に記載の方法。
【請求項７６】
前記塩は、アルカリ金属、アルカリ土類金属、アルミニウム及び／又はアンモニウムの塩化物、臭化物、ヨウ化物、フッ化物、硫酸塩、亜硫酸塩、炭酸塩、重炭酸塩、リン酸塩、硝酸塩、亜硝酸塩、酢酸塩、クエン酸塩、ケイ酸塩及び／又はシアン化物を含む、請求項７５に記載の方法。
【請求項７７】
前記凝集助剤は塩基を含む、請求項７１に記載の方法。
【請求項７８】
前記塩基は、アルカリ金属、アルカリ土類金属、アルミニウム及び／又はアンモニウムの水酸化物及び／又は酸化物を含む、請求項７７に記載の方法。
【請求項７９】
前記除去される不純物は、粒子状物、脂質、脂肪酸、フロロタンニン、ラミナリン、アルギン酸塩、タンパク質、メイラード反応生成物、フコキサンチン、クロロフィル、細菌、細胞成分及びＤＮＡのうち少なくとも１つを含む、請求項７１〜請求項７８のいずれか一項に記載の方法。
【請求項８０】
精製／変性フカン組成物を得るために出発フカン組成物から不純物を除去する方法であって、
固体である出発フカン組成物と、不純物を溶解するように構成されているがフカンを溶解できない抽出媒体とを提供すること、
前記出発フカン組成物と前記抽出媒体とを混合して前記精製／変性フカン組成物と前記抽出媒体との混合物を作製すること、及び
前記抽出媒体から前記精製／変性フカン組成物を分離すること
を含む方法。
【請求項８１】
固体である前記精製／変性フカン組成物を回収することをさらに含む、請求項８０に記載の方法。
【請求項８２】
前記抽出媒体は、相対極性が０．７６５未満である有機溶媒を少なくとも１種含む、請求項８０に記載の方法。
【請求項８３】
前記有機溶媒は、エタノール、イソプロパノール、メタノール、ベンゼン、ジエチルエーテル、デカメチルシクロ−ペンタシロキサン、酢酸エチル、ブタノール、ヘキサン、ヘプタン、ヘプタノール、オクタノール及びデカノールのうち少なくとも１つを含む、請求項８２に記載の方法。
【請求項８４】
前記抽出媒体は、塩基、界面活性剤及び酸化剤のうち少なくとも１つをさらに含む、請求項８２に記載の方法。
【請求項８５】
固体である前記出発フカン組成物を提供することは、溶液から前記出発フカン組成物を沈殿させることを含む、請求項８０に記載の方法。
【請求項８６】
前記除去される不純物は、粒子状物、脂質、脂肪酸、フロロタンニン、ラミナリン、アルギン酸塩、タンパク質、メイラード反応生成物、フコキサンチン、クロロフィル、細菌、細胞成分及びＤＮＡのうち少なくとも１つを含む、請求項８０〜請求項８５のいずれか一項に記載の方法。
【請求項８７】
精製／変性フカン組成物を得るために出発フカン組成物から不純物を除去する方法であって、
溶液中の懸濁不純物を含む、不純物を含有する出発フカン組成物を提供すること、
イオン性多価不純物沈殿剤を用いて前記不純物を前記溶液から沈殿させることにより、懸濁不純物と沈殿不純物と上清溶液との混合物を生成すること、及び
前記上清溶液から前記懸濁不純物及び前記沈殿不純物を分離すること
を含む方法。
【請求項８８】
前記精製／変性フカン組成物を含有する前記上清溶液を回収することをさらに含む、請求項８７に記載の方法。
【請求項８９】
前記イオン性多価不純物沈殿剤は二価又は三価のカチオンの塩を含む、請求項８７に記載の方法。
【請求項９０】
前記塩は、塩化物、臭化物、ヨウ化物、フッ化物、硫酸塩、亜硫酸塩、炭酸塩、重炭酸塩、リン酸塩、硝酸塩、亜硝酸塩、酢酸塩、クエン酸塩、ケイ酸塩及び／又はシアン化物である、請求項８９に記載の方法。
【請求項９１】
前記カチオンは、アルカリ土類金属、亜鉛、アルミニウム、銅及び／又は鉄である、請求項８９に記載の方法。
【請求項９２】
前記イオン性多価不純物沈殿剤は、二価又は三価のカチオンの塩基を含む、請求項８７に記載の方法。
【請求項９３】
前記塩基は、アルカリ土類金属、亜鉛、アルミニウム、銅及び／又は鉄の、水酸化物及び／又は酸化物である、請求項９２に記載の方法。
【請求項９４】
前記上清溶液から前記懸濁不純物及び前記沈殿不純物を分離することは、懸濁不純物と沈殿不純物と上清溶液との前記混合物に凝集剤を添加することにより、前記懸濁不純物及び前記沈殿不純物を凝集させることを含む、請求項８７〜請求項９３のいずれか一項に記載の方法。
【請求項９５】
前記凝集剤は、硫酸アルミニウムカリウム、硫酸アルミニウムナトリウム、硫酸アンモニウムアルミニウム、塩化カルシウム、リン酸ナトリウム、水酸化アルミニウム、塩化アルミニウム、塩化第二鉄、硫酸第二鉄、硫酸第一鉄、ケイ酸ナトリウム、ケイ酸カルシウム、リン酸カルシウム、塩化亜鉛、炭酸カルシウム、重炭酸カルシウム、硫酸カリウム、リン酸マグネシウム、アクリルアミド、アクリル酸、アルミニウムクロロハイドレート、ポリ塩化アルミニウム、タンニン、ホルムアルデヒド、メラミン、Ｎ，Ｎ−ジメチルアミノエチルアクリレートメチルクロライド、Ｎ，Ｎ−ジメチルアミノエチルメタクリレート塩化メチル四級塩及びポリジアリルジメチル−アンモニウムクロライドのうち少なくとも１つを含む、請求項９４に記載の方法。
【請求項９６】
約７〜１４のｐＨを維持することをさらに含む、請求項８７〜請求項９５に記載の方法。
【請求項９７】
前記ｐＨを維持することは、塩基を添加することを含む、請求項９６に記載の方法。
【請求項９８】
前記除去される不純物は、粒子状物、脂質、脂肪酸、フロロタンニン、ラミナリン、アルギン酸塩、タンパク質、メイラード反応生成物、フコキサンチン、クロロフィル、細菌、細胞成分及びＤＮＡのうち少なくとも１つを含む、請求項８７〜請求項９７のいずれか一項に記載の方法。
【請求項９９】
精製／変性フカン組成物を得るために出発フカン組成物から不純物を除去する方法であって、
不純物を含む出発フカン組成物を提供すること、
前記出発フカン組成物のｐＨを約８〜１４に調整すること、
細胞成分を溶解するように構成されている細胞破壊剤を前記出発フカン組成物に添加して、前記細胞破壊剤と、生体分子溶解物と、前記出発フカン組成物とを含む反応混合物を生成すること、及び
前記細胞破壊剤及び生体分子溶解物を前記反応混合物から除去すること
を含む方法。
【請求項１００】
前記出発フカン組成物を提供することは、溶液である前記出発フカン組成物を提供することを含む、請求項９９に記載の方法。
【請求項１０１】
不純物が低減された溶液中の前記精製／変性フカン組成物を回収することをさらに含む、請求項９９に記載の方法。
【請求項１０２】
前記細胞破壊剤は界面活性剤を含む、請求項９９に記載の方法。
【請求項１０３】
前記界面活性剤はアニオン性界面活性剤である、請求項１０２に記載の方法。
【請求項１０４】
前記界面活性剤はカチオン性界面活性剤である、請求項１０２に記載の方法。
【請求項１０５】
前記界面活性剤は非イオン性界面活性剤である、請求項１０２に記載の方法。
【請求項１０６】
前記界面活性剤は、ドデシル硫酸ナトリウム（ＳＤＳ）、塩化ベンザルコニウム、Ｔｒｉｔｏｎ（登録商標）Ｘ１００、Ｔｒｉｔｏｎ（登録商標）Ｘ１１４、Ｂｒｉｊ（登録商標）界面活性剤、Ｔｗｅｅｎ（登録商標）界面活性剤、デオキシコール酸ナトリウム及びアルキルベンゼンスルホネートのうち少なくとも１つを含む、請求項１０２に記載の方法。
【請求項１０７】
前記細胞破壊剤及び生体分子溶解物を除去することは、前記細胞破壊剤及び生体分子溶解物を凝集させるよう構成された凝集剤を前記反応混合物に添加することを含む、請求項９９〜請求項１０６のいずれか一項に記載の方法。
【請求項１０８】
前記細胞破壊剤を除去することは、前記細胞破壊剤を前記反応混合物に不溶にするように構成された沈殿剤を前記反応混合物に添加して、沈殿物を生成することを含む、請求項９９〜請求項１０６のいずれか一項に記載の方法。
【請求項１０９】
前記生体分子溶解物を除去することは、前記生体分子溶解物を前記反応混合物に不溶にするように構成された沈殿剤を前記反応混合物に添加して、沈殿物を生成することを含む、請求項９９〜請求項１０８のいずれか一項に記載の方法。
【請求項１１０】
前記沈殿物を凝集させるよう構成された凝集剤を前記反応混合物に添加することをさらに含む、請求項１０８及び請求項１０９のいずれか一項に記載の方法。
【請求項１１１】
前記凝集剤は、硫酸アルミニウムカリウム、硫酸アルミニウムナトリウム、硫酸アンモニウムアルミニウム、塩化カルシウム、リン酸ナトリウム、水酸化アルミニウム、塩化アルミニウム、塩化第二鉄、硫酸第二鉄、硫酸第一鉄、ケイ酸ナトリウム、ケイ酸カルシウム、リン酸カルシウム、塩化亜鉛、炭酸カルシウム、重炭酸カルシウム、硫酸カリウム、リン酸マグネシウム、アクリルアミド、アクリル酸、アルミニウムクロロハイドレート、ポリ塩化アルミニウム、タンニン、ホルムアルデヒド、メラミン、Ｎ，Ｎ−ジメチルアミノエチルアクリレートメチルクロライド、Ｎ，Ｎ−ジメチルアミノエチルメタクリレート塩化メチル四級塩及びポリジアリルジメチル−アンモニウムクロライドのうち少なくとも１つを含む、請求項１０７〜請求項１１０のいずれか一項に記載の方法。
【請求項１１２】
前記アニオン性界面活性剤を除去することはアニオン吸着を含む、請求項１０３に記載の方法。
【請求項１１３】
前記カチオン性界面活性剤を除去することはカチオン吸着を含む、請求項１０４に記載の方法。
【請求項１１４】
前記非イオン性界面活性剤を除去することはミセル相分離を含む、請求項１０５に記載の方法。
【請求項１１５】
前記界面活性剤を除去することは疎水性吸着を含む、請求項１０２に記載の方法。
【請求項１１６】
前記界面活性剤を除去することは、
前記界面活性剤の濃度が所定の濃度未満になるまで前記反応混合物を希釈すること、及び
前記界面活性剤を含む前記反応混合物を、分子量カットオフが前記界面活性剤の最大分子量を超えるタンジェンシャルフロー濾過フィルタによる透析濾過に供すること
を含む、請求項１０２に記載の方法。
【請求項１１７】
前記出発フカン組成物を提供した後且つ前記細胞破壊剤を除去する前に、キレート剤を前記反応混合物に添加することをさらに含む、請求項９９〜請求項１１６に記載の方法。
【請求項１１８】
前記キレート剤は、エチレンジアミン四酢酸（ＥＤＴＡ）、２，３−ジメルカプト−１−プロパノール、エチレンジアミン、ポルフィン及び／又はクエン酸を含む、請求項１１７に記載の方法。
【請求項１１９】
前記細胞破壊剤を除去する前に酸化剤反応停止剤（oxidant-quenching agent）を前記反応混合物に添加して、前記反応混合物中の酸化剤の反応を停止（quench）することをさらに含む、請求項９９〜請求項１１８に記載の方法。
【請求項１２０】
前記出発フカン組成物を提供した後且つ前記細胞破壊剤を除去する前に、静菌剤（bacteriostatic agent）を前記反応混合物に添加することをさらに含む、請求項９９〜請求項１１９のいずれか一項に記載の方法。
【請求項１２１】
前記静菌剤は、亜硫酸ナトリウム、エチレンジアミン四酢酸（ＥＤＴＡ）、塩化ベンザルコニウム、エタノール及び／又はチオ尿素を含む、請求項１２０に記載の方法。
【請求項１２２】
前記除去される不純物は、粒子状物、脂質、脂肪酸、フロロタンニン、ラミナリン、アルギン酸塩、タンパク質、メイラード反応生成物、フコキサンチン、クロロフィル、細菌、細胞成分及びＤＮＡのうち少なくとも１つを含む、請求項９９〜請求項１２１のいずれか一項に記載の方法。
【請求項１２３】
精製／変性フカン組成物を得るために出発フカン組成物から不純物を除去する方法であって、
不純物を含む出発フカン組成物を水性出発溶液中に提供すること、
前記水性出発溶液を有機溶媒と混合して、水相有機相混合物を生成すること、及び
前記水相有機相混合物を分離して水性部分及び有機部分を得ること
を含む方法。
【請求項１２４】
前記精製／変性フカン組成物を含有する前記水性部分を回収することをさらに含む、請求項１２３に記載の方法。
【請求項１２５】
前記有機溶媒は、相対極性が０．７６５未満である有機溶媒を少なくとも１種含む、請求項１２３に記載の方法。
【請求項１２６】
前記有機溶媒は、エタノール、イソプロパノール、メタノール、ベンゼン、デカメチルシクロ−ペンタシロキサン、酢酸エチル、ヘキサン、ヘプタノール、オクタノール、デカノール、ヘプタン、酢酸イソブチル、アニソール、酢酸イソプロピル、１−ブタノール、酢酸ブチル、メチルイソブチルケトン、ペンタン、１−ペンタノール、エチルエーテル及び酢酸プロピルのうち少なくとも１つを含む、請求項１２３〜請求項１２５のいずれか一項に記載の方法。
【請求項１２７】
前記除去される不純物は、粒子状物、脂質、脂肪酸、フロロタンニン、ラミナリン、アルギン酸塩、タンパク質、メイラード反応生成物、フコキサンチン、クロロフィル、細菌、細胞成分及びＤＮＡのうち少なくとも１つを含む、請求項１２３〜請求項１２６のいずれか一項に記載の方法。
【請求項１２８】
出発フカン組成物のカチオン含有量を変更する方法であって、
出発フカン組成物を出発溶液中に提供すること、及び
タンジェンシャルフロー濾過フィルタを通るキレート剤溶液を用いて前記出発溶液をタンジェンシャルフロー濾過フィルタを通して透析濾過し、保持フカン組成物を生成すること
を含む方法。
【請求項１２９】
前記キレート剤は、エチレンジアミン四酢酸（ＥＤＴＡ）、２，３−ジメルカプト−１−プロパノール、エチレンジアミン、ポルフィン及びクエン酸のうち少なくとも１つを含む、請求項１２８に記載の方法。
【請求項１３０】
前記保持フカン組成物の有するカチオン含有量が本質的にナトリウム及び／又はカリウムからなる、請求項１２８に記載の方法。
【請求項１３１】
精製／変性フカン組成物を得るために出発フカン組成物から不純物を除去する方法であって、
不純物を含む出発フカン組成物を提供すること、
超臨界抽出装置で７０バールを超える適切な圧力及び３０℃を超える適切な温度に前記出発フカン組成物を供すること、
超臨界抽出装置に超臨界流体を充填して、前記超臨界流体中に不純物を除去すること、及び
前記抽出された不純物を含む超臨界流体を所定の時間後に除去すること
を含む方法。
【請求項１３２】
前記超臨界抽出装置に残留している前記精製／変性フカン組成物を回収することをさらに含む、請求項１３１に記載の方法。
【請求項１３３】
前記圧力は約７０バール〜約２０００バールである、請求項１３１に記載の方法。
【請求項１３４】
前記温度は約３０℃〜約３００℃である、請求項１３１に記載の方法。
【請求項１３５】
前記出発フカン組成物は液体である、請求項１３１に記載の方法。
【請求項１３６】
前記出発フカン組成物は固体である、請求項１３１に記載の方法。
【請求項１３７】
前記超臨界流体は、二酸化炭素、エタノール、エタン、塩酸、フッ化水素酸、硫酸及び硝酸のうち少なくとも１つを含む、請求項１３１に記載の方法。
【請求項１３８】
前記所定の時間は約５分〜５０時間である、請求項１３１に記載の方法。
【請求項１３９】
前記除去される不純物は、粒子状物、脂質、脂肪酸、フロロタンニン、ラミナリン、アルギン酸塩、タンパク質、メイラード反応生成物、フコキサンチン、クロロフィル、細菌、細胞成分及びＤＮＡのうち少なくとも１つを含む、請求項１３１〜請求項１３８のいずれか一項に記載の方法。
【発明の詳細な説明】
【技術分野】
【０００１】
優先権の主張
本出願は、２０１８年７月２７日に出願された米国仮出願第６２／７１１，３６４号；２０１８年７月２７日に出願された米国仮出願第６２／７１１，３７２号；２０１８年７月２７日に出願された米国仮出願第６２／７１１，３３５号；２０１８年８月１日に出願された米国仮出願第６２／７１３，３９９号；２０１８年８月２３日に出願された米国仮出願第６２／７２２，１３５号；２０１８年１１月２日に出願された米国仮出願第６２／７５５，３１１号；２０１９年１月１７日に出願された米国仮出願第６２／７９３，５１４号；２０１９年６月１３日に出願された米国仮出願第６２／８６１，２２３号；２０１８年８月１日に出願された同時係属中の米国仮出願第６２／７１３，３９２号；２０１８年８月１日に出願された米国仮出願第６２／７１３，４１３号；２０１８年８月２３日に出願された米国仮出願第６２／７２２，１３７号；２０１８年１１月２日に出願された米国仮出願第６２／７５５，３１８号；２０１９年６月１３日に出願された米国仮出願第６２／８６１，２２８号；２０１８年１１月２日に出願された同時係属中の米国仮出願第６２／７５５，３２８号；２０１９年１月１７日に出願された米国仮出願第６２／７９３，６５４号；及び２０１９年６月１３日に出願された米国仮出願第６２／８６１，２３５号の恩恵を主張し、その内容は参照により本明細書に援用される。
【背景技術】
【０００２】
フカン（フコイダンを含む）は、硫酸化多糖である。一般的に言えば、このことは、それらが多くの糖類から構成される分子であり、前記糖類に付加した硫黄原子も有することを意味する。主要糖類は、６個の炭素原子を有し且つ化学式Ｃ６Ｈ１２Ｏ５を有する糖である「フコース」と呼ばれる。「フコイダン」（又はフコイジン）は、褐藻（海草）に由来するフカンを示す。フカンは、単独で存在することが可能であり、あるいは他の糖の混合物、例えば、キシロース、ガラクトース、グルコース、グルクロン酸及び／又はマンノースなどの糖との混合物の状態で存在することも可能である。これらの他の糖は、フカンを有する海草又は他の原料から抽出されうる。フカンは現在、褐藻（海草）、ナマコなどの天然原料に由来するが、本明細書に記載される「フカン」は、フカンの（１又は複数の）究極的原料にかかわらず、本明細書で考察されるフカンの化学的モチーフ及び構造的モチーフを有するポリマー分子を含む。
【０００３】
フコイダンはAdenocystis utricularis、Ascophyllum nodosum、Chorda filum、Cystoseirabies marina、Durvillaea antarctica、Ecklonia kurome、Ecklonia maxima、Eisenia bicyclis、Fucus evanescens、Fucus vesiculosis、Hizikia fusiforme、Himanthalia Elongata、Kjellmaniella crassifolia、Laminaria brasiliensis、Laminaria cichorioides、Laminaria hyperborea、Laminaria japonica、Laminaria saccharina、Lessonia trabeculata、Macrocystis pyrifera、Pelvetia fastigiata、Pelvetia Canaliculata、Saccharina japonica、Saccharina latissima、Sargassum stenophylum、Sargassum thunbergii、Sargassum confusum、Sargassum fusiforme及びUndaria pinnatifidaを含む褐藻類の多様な種から得ることができるが、これらに限定されるものではない。これらの例示的な種は全て分類学上の褐藻綱（Phaeophyceae）から出たものであり、これらの種の大部分は、ヒバマタ科（Fucales）又はコンブ科（Laminariaceae）に入る。
【発明の概要】
【発明が解決しようとする課題】
【０００４】
フコイダンを含むフカンは、線維性癒着の形成を予防、抑制、又は処置するためのバリア器具（barrier device）として供するにおいて有効であることが示されている。フカンには他の関連する疾患及び状態の処置への用途も見いだされている。
したがって、所望の分子量分布及び／又は硫酸化レベルを有するように改変したフカンを含む精製フカンの調製物には、まだ満たされていない需要が存在する。本組成物、本システム及び本方法などは、これらの利点及び／又は他の利点を提供する。
【課題を解決するための手段】
【０００５】
組成物、方法、システムなどは、フカン及びフカン含有組成物のために、他の利点の中でも特に線維性癒着を抑制するために提供される。本明細書におけるフカン及びフカン組成物は、特定のレベルの所望の特定されたフカン成分を有する、精製／改変フカンを含むフカンを含む。本出願の本文では、精製／改変フカン及び精製／改変フカン組成物に度々言及する。かかる言及は、特許請求の範囲におけるものを除いて、又は文脈から精製／改変フカン及び／又は精製／改変フカン組成物に明確に限定されない限り、本明細書に記載のすべてのフカン／フカン組成物を含む。いくつかの実施形態では、前記フカン及びそれらを含有する組成物は、医学的用途及び外科的用途に適している。前記フカン及びフカン組成物では、原料フカン組成物に見られるような非フカン性成分又は不純物のレベルが低下している。そのような望ましくない成分又は不純物には、例えば、フカンに結合（例えば、イオン結合、共有結合、水素結合など）している望ましくない成分、並びにフカンの一部でないか又は化学的に及び／若しくはイオン的にフカンに結合していない組成物中の化合物が含まれる。望ましくないフカン成分は、前記フカンに対して（例えば、質量基準で（ｗ／ｗ））定量化可能である。非フカン性化合物及び望ましくないフカン成分は、以後、集合的に前記フカン及び／又は本明細書中のフカンを含む組成物の不純物と称される場合がある。これらの精製／改変フカンは、例えば、不純物によるフカンの医学的使用及び外科的使用における危険な合併症を減らすことができる。
【０００６】
本組成物、本方法、本システムなどは、出発フカン組成物又は初期フカン組成物（すなわち、前記改変フカンが由来し得るフカン組成物。かかる出発フカン組成物は、粗製のものであっても粗製のものでなくてもよく、あらかじめ処理されたものでもよく、その例としては供給原料フカン組成物（feedstock fucan composition）が挙げられる）から得られた精製／改変フカンを含む、所望のフカンを含む組成物、並びにかかる所望の精製／改変フカンを得る方法及びかかる組成物の使用方法を提供する。
【０００７】
いくつかの態様では、本明細書に記載のシステム、機器、方法などは、フコース、ガラクトース、硫酸（sulfate）及び対イオンの総含有量が９０％ｗ／ｗ超、９２％ｗ／ｗ超、９４％ｗ／ｗ超、９５％ｗ／ｗ超、９７％ｗ／ｗ超、９７．５％ｗ／ｗ超、９８％ｗ／ｗ超、９８．８％ｗ／ｗ超、９９％ｗ／ｗ超、９９．５％ｗ／ｗ超、又は９９．９％ｗ／ｗ超であるフカンを含む組成物を提供する。いくつかの実施形態では、前記フコースの含有量は２５％ｗ／ｗ超、３０％ｗ／ｗ超、又は３５％ｗ／ｗ超であり得、前記ガラクトースの含有量は１０％ｗ／ｗ未満又は５％ｗ／ｗ未満でありうる。前記対イオンの含有量は１７％未満又は１４％未満でありうる。前記対イオンは、アルミニウム、アルギニン、ベンザチン、クロロプロカイン、コリン、ナトリウム、カリウム、リチウム、アンモニウム、エチレンジアミン、ジエチルアミン、ジエタノールアミン、エタノールアミン、ヒスチジン、リジン、Ｎ−メチルグルカミン、メグルミン、プロカイン、トリエチルアミン、亜鉛、カルシウム、及びマグネシウムなどの医薬的に許容される対イオンでありうる。いくつかの実施形態では、前記医薬的に許容される対イオンは、ナトリウム及びカリウムのうち少なくとも１つを含むか、少なくとも１つからなるか、又は少なくとも１つから本質的になり得る。
【０００８】
特定の実施形態では、提供される精製／改変フカンを含む前記組成物は、フコース、ガラクトース及び硫酸の総含有量が７５％ｗ／ｗ超、８０％ｗ／ｗ超、又は８４％ｗ／ｗ超でありうる。分子量分布は分布の６０％ｗ／ｗ以上が１００ｋＤａ超となっていてよく、重量平均分子量は１００ｋＤａ超であってよく、且つ／又はピーク分子量は７０ｋＤａであってよい。かかる分布を測定するためのアプローチの一例は、
有効分子量範囲が約５０ｋＤａ〜約５，０００ｋＤａでありヒドロキシル化ポリメタクリレート系ゲルが充填されている内径が７．８ｍｍの３００ｍｍ分析ゲル浸透クロマトグラフィーカラム１つ、有効分子量範囲が約１ｋＤａ〜約６，０００ｋＤａでありヒドロキシル化ポリメタクリレート系ゲルが充填されている内径が７．８ｍｍの３００ｍｍ分析ゲル浸透クロマトグラフィーカラム１つ、及びヒドロキシル化ポリメタクリレート系ゲルが充填されている内径が６ｍｍの４０ｍｍガードカラム１つ、ここで前記２つの分析ゲル浸透クロマトグラフィーカラム及び前記１つのガードカラムは約３０℃のカラムコンパートメントに収容されている；
約３０℃の示差屈折率検出器；
０．６ｍＬ／分の０．１Ｍ硝酸ナトリウム移動相流；及び
ピーク分子量が約２，２００ｋＤａの第１デキストラン標準品、ピーク分子量が約７２０ｋＤａ〜約７６０ｋＤａの第２デキストラン標準品、ピーク分子量が約４７０ｋＤａ〜約５１０ｋＤａの第３デキストラン標準品、ピーク分子量が約３７０ｋＤａ〜約４１０ｋＤａの第４デキストラン標準品、ピーク分子量が約１８０ｋＤａ〜約２２０ｋＤａの第５デキストラン標準品、及びピーク分子量が約４０ｋＤａ〜５５ｋＤａの第６デキストラン標準品から実質的になるピーク分子量標準曲線と照らし合わせての定量（quantification）
から実質的になる水系ゲル浸透クロマトグラフィー構成を用いることである。ピーク分子量標準曲線はさらにピーク分子量が約３ｋＤａ〜約５ｋＤａのデキストラン標準品を含むものであってもよい。
【０００９】
提供されるフカンを含む前記組成物は、５０ｋＤａより大きい数平均分子量及び約２０％ｗ／ｗ〜６０％ｗ／ｗ、約３０％ｗ／ｗ〜５５％ｗ／ｗ、又は約３５％ｗ／ｗ〜５２％ｗ／ｗの硫酸化レベル（sulfation level）を有していてもよい。
【００１０】
総炭水化物含有量は、２７％ｗ／ｗ〜８０％ｗ／ｗでありうる。総炭水化物含有量に対する割合としてのフコースの総含有量は、約３０％ｗ／ｗ以上、約５０％ｗ／ｗ以上、約７０％ｗ／ｗ以上、約９０％ｗ／ｗ以上又は約９５％ｗ／ｗ以上でありうる。総炭水化物含有量に対する割合としてのガラクトースの総含有量は、約６０％ｗ／ｗ未満又は約２０％ｗ／ｗ未満でありうる。総炭水化物含有量に対する割合としてのグルクロン酸、マンノース、ラムノース、グルコース、及びキシロースの総含有量は約３０％ｗ／ｗ未満でありうる。
【００１１】
また、本明細書に記載の精製／改変フカンを製造又は使用することを含む方法が本明細書に含まれる。前記使用は、線維性癒着を処置することを含む。
【００１２】
いくつかの実施形態では、本明細書に記載の前記フカン組成物は固体フカン組成物を含み、明細書に記載の精製／改変フカンなどのフカンを９０％ｗ／ｗ以上含有し、前記固体フカン組成物はさらに７％ｗ／ｗ未満、６％ｗ／ｗ未満、５％ｗ／ｗ未満、４％ｗ／ｗ未満、３％ｗ／ｗ未満、２％ｗ／ｗ未満、１％ｗ／ｗ未満又は０．１％ｗ／ｗ未満の含水量を含む固体組成物でありうる。
【００１３】
特定の実施形態では、本明細書に記載の組成物は、医学的に許容される緩衝液又は希釈剤中に治療上有効量の本明細書に記載の精製／改変フカンを含む医学的に許容される組成物である。本明細書に記載の方法は、線維性癒着を抑制するために本明細書に記載の精製／改変フカンを選択すること、及び治療上有効量の前記組成物又は前記組成物中において０．５ｍｇ／ｋｇ〜５０ｍｇ／ｋｇの用量範囲（dosage range）となるフカンを含む本明細書に記載の組成物を前記動物の傷害部位に投与することを含む、ヒトなどの動物における線維性癒着を処理することを含む。前記用量範囲は１ｍｇ／ｋｇ〜２５ｍｇ／ｋｇでありうる。方法はまた、例えば線維性癒着を含む、標的とする疾患又は障害を処置するための、０．５ｍｇ／ｋｇ〜５０ｍｇ／ｋｇ又は１ｍｇ／ｋｇ〜２５ｍｇ／ｋｇを含む用量範囲の使用を含みうる。
【００１４】
また、精製／改変フカンを含む組成物を作成するために、本明細書に記載の精製／改変フカンを含む組成物を作成する方法、例えば、原料フカン組成物などの出発フカン組成物から不純物を除去する方法が本明細書において提供される。かかる方法は例えば、
不純物を含む出発フカン組成物を提供すること、
凝集助剤を前記出発フカン組成物に添加して反応混合物を生成すること、
前記反応混合物を加熱することによって前記不純物を凝集させて、凝集した不純物を生成すること、及び
前記凝集した不純物を除去すること、を含む。
【００１５】
前記出発フカン組成物を提供することは、前記出発フカン組成物を溶液として提供することを含んでいてもよく、前記方法はさらに不純物が低減された溶液中の前記精製／改変フカンを回収することを含んでいてもよい。前記不純物を凝集させることは、大気圧を超える圧力において前記反応混合物を加熱することを含んでいてもよく、前記凝集助剤は、アルカリ金属、アルカリ土類金属、アルミニウム、及び／又はアンモニウムの塩化物、臭化物、ヨウ化物、フッ化物、硫酸塩、亜硫酸塩、炭酸塩、重炭酸塩、リン酸塩、硝酸塩、亜硝酸塩、酢酸塩、クエン酸塩、ケイ酸塩、及び／又はシアン化物などの塩を含んでいてもよい。前記凝集助剤は、アルカリ金属、アルカリ土類金属、アルミニウム、及び／又はアンモニウムの水酸化物及び／又は酸化物などの塩基を含んでいてもよい。
【００１６】
除去される不純物は、粒子状物、脂質、脂肪酸、フロロタンニン、ラミナリン、アルギン酸塩、タンパク質、メイラード反応生成物、フコキサンチン、クロロフィル、細菌、細胞成分、及びＤＮＡのうち少なくとも１つを含みうる。
【００１７】
精製／改変フカンを得るために出発フカン組成物から不純物を除去するさらなる方法は、
固体である出発フカン組成物と、不純物を溶解するように構成されているがフカンを溶解できない抽出媒体とを提供すること、
前記出発フカン組成物を前記抽出媒体と混合して精製／改変フカンと前記抽出媒体との混合物を生成すること、及び
前記抽出媒体から前記精製／改変フカンを分離すること、を含んでいてもよい。
【００１８】
前記方法は、固体である前記精製／改変フカンを含む組成物を回収することをさらに含みうる。前記抽出媒体は、相対極性が０．７６５未満のうち少なくとも１つの有機溶媒を含みうる。相対極性の値は、吸収スペクトルの溶媒シフトの測定値から正規化することができる。例えば、Ｃｈｒｉｓｔｉａｎ  Ｒｅｉｃｈａｒｄｔ，  Ｓｏｌｖｅｎｔｓ  ａｎｄ  Ｓｏｌｖｅｎｔ  Ｅｆｆｅｃｔｓ  ｉｎ  Ｏｒｇａｎｉｃ  Ｃｈｅｍｉｓｔｒｙ，  Ｗｉｌｅｙ−ＶＣＨ  Ｐｕｂｌｉｓｈｅｒｓ，  ３ｒｄ  ｅｄ．，２００３を参照されたい。前記有機溶媒は、エタノール、イソプロパノール、メタノール、ベンゼン、ジエチルエーテル、デカメチルシクロペンタシロキサン、酢酸エチル、ブタノール、ヘキサン、ヘプタン、ヘプタノール、オクタノール、及びデカノールのうち少なくとも１つを含んでいても良い。前記抽出媒体はさらに、塩基、界面活性剤、及び酸化剤のうち少なくとも１つを含みうる。前記固体の出発フカン組成物を提供することは、溶液から前記出発フカン組成物を沈殿させることを含んでいてもよい。除去される不純物は、粒子状物、脂質、脂肪酸、フロロタンニン、ラミナリン、アルギン酸塩、タンパク質、メイラード反応生成物、フコキサンチン、クロロフィル、細菌、細胞成分、及びＤＮＡのうち少なくとも１つを含みうる。
【００１９】
精製／改変フカンを得るために出発フカン組成物から不純物を除去するさらなる方法は、
懸濁不純物を含む不純物を含有する出発フカン組成物を溶液中に提供すること、
イオン性多価不純物沈殿剤を用いて前記不純物を前記溶液から沈殿させることにより、懸濁不純物と沈殿不純物と上清溶液との混合物を生成すること、及び
前記上清溶液から前記懸濁不純物及び前記沈殿不純物を分離すること、を含みうる。
前記方法はさらに、前記精製／改変フカンを含む前記組成物を含む前記上清溶液を回収することを含んでいてもよい。
【００２０】
前記イオン性多価不純物沈殿剤は、二価又は三価のカチオンの塩を含みうる。前記塩は、塩化物、臭化物、ヨウ化物、フッ化物、硫酸塩、亜硫酸塩、炭酸塩、重炭酸塩、リン酸塩、硝酸塩、亜硝酸塩、酢酸塩、クエン酸塩、ケイ酸塩、及び／又はシアン化物でありうる。前記カチオンは、アルカリ土類金属、亜鉛、アルミニウム、銅、及び／又は鉄でありうる。前記イオン性多価不純物沈殿剤は、二価又は三価のカチオンの塩基を含みうる。前記塩基は、アルカリ土類金属、亜鉛、アルミニウム、銅、及び／又は鉄の水酸化物及び／又は酸化物でありうる。
【００２１】
前記上清溶液から前記懸濁不純物及び前記沈殿不純物を分離することは、懸濁不純物と沈殿不純物と上清溶液との混合物に凝集剤を添加することにより、前記懸濁不純物及び前記沈殿不純物を凝集させることを含んでいてもよい。前記凝集剤は、硫酸カリウムアルミニウム、硫酸アルミニウムナトリウム、硫酸アルミニウムアンモニウム、塩化カルシウム、リン酸ナトリウム、水酸化アルミニウム、塩化アルミニウム、塩化第二鉄、硫酸第二鉄、硫酸第一鉄、ケイ酸ナトリウム、ケイ酸カルシウム、リン酸カルシウム、塩化亜鉛、炭酸カルシウム、重炭酸カルシウム、硫酸カリウム、リン酸マグネシウム、アクリルアミド、アクリル酸、アルミニウムクロロハイドレート、ポリ塩化アルミニウム、タンニン、ホルムアルデヒド、メラミン、Ｎ，Ｎ−ジメチルアミノエチルアクリレートメチルクロライド、Ｎ，Ｎ−ジメチルアミノエチルメタクリレートメチルクロライド四級塩、及びポリジアリルジメチルアンモニウムクロライドのうち少なくとも１つを含みうる。前記方法は、約７〜１４のｐＨを維持することをさらに含みうる。前記ｐＨを維持することは、塩基を添加することを含みうる。除去される不純物は、粒子状物、脂質、脂肪酸、フロロタンニン、ラミナリン、アルギン酸塩、タンパク質、メイラード反応生成物、フコキサンチン、クロロフィル、細菌、細胞成分、及びＤＮＡのうち少なくとも１つを含みうる。
【００２２】
精製／改変フカンを得るために出発フカン組成物から不純物を除去する方法は、
不純物を含む出発フカン組成物を提供すること、
前記出発フカン組成物のｐＨを約８〜１４に調整すること、
細胞成分を溶解するように構成されている細胞破壊剤を前記出発フカン組成物に添加して、前記細胞破壊剤と、生体分子溶解物と、前記出発フカン組成物とを含む反応混合物を生成すること、及び
前記細胞破壊剤及び生体分子溶解物を前記反応混合物から除去すること、を含みうる。
【００２３】
前記出発フカン組成物を提供することは、溶液である前記出発フカン組成物を提供することを含んでいてもよく、前記方法は不純物が低減された溶液中の精製／改変フカンを含む前記組成物を回収することをさらに含みうる。前記細胞破壊剤は、アニオン性界面活性剤、カチオン性界面活性剤、又は非イオン性界面活性剤でありうる界面活性剤を含んでいてもよい。前記界面活性剤は、ドデシル硫酸ナトリウム（ＳＤＳ）、塩化ベンザルコニウム、Ｔｒｉｔｏｎ  Ｘ１００（登録商標）、Ｔｒｉｔｏｎ  Ｘ１１４（登録商標）、Ｂｒｉｊ（登録商標）界面活性剤、Ｔｗｅｅｎ（登録商標）界面活性剤、デオキシコール酸ナトリウム、及びアルキルベンゼンスルホン酸塩のうち少なくとも１つを含んでいてもよい。前記細胞破壊剤及び前記生体分子溶解物を除去することは、前記細胞破壊剤及び生体分子溶解物を凝集させるよう構成された凝集剤を前記反応混合物に加えることを含みうる。前記細胞破壊剤を除去することは、前記細胞破壊剤を、前記反応混合物に不溶性にするように構成された沈殿剤を当該反応混合物に添加して沈殿物を生成することを含みうる。前記生体分子溶解物を除去することは、前記生体分子溶解物を前記反応混合物に不溶にするように構成された沈殿剤を前記反応混合物に添加して、沈殿物を生成することを含むことができる。前記方法は、前記沈殿物を凝集させるよう構成された凝集剤を前記反応混合物に添加することをさらに含んでいてもよい。前記凝集剤は、硫酸カリウムアルミニウム、硫酸アルミニウムナトリウム、硫酸アルミニウムアンモニウム、塩化カルシウム、リン酸ナトリウム、水酸化アルミニウム、塩化アルミニウム、塩化第二鉄、硫酸第二鉄、硫酸第一鉄、ケイ酸ナトリウム、ケイ酸カルシウム、リン酸カルシウム、塩化亜鉛、炭酸カルシウム、重炭酸カルシウム、硫酸カリウム、リン酸マグネシウム、アクリルアミド、アクリル酸、アルミニウムクロロハイドレート、ポリ塩化アルミニウム、タンニン、ホルムアルデヒド、メラミン、Ｎ，Ｎ−ジメチルアミノエチルアクリレートメチルクロライド、Ｎ，Ｎ−ジメチルアミノエチルメタクリレートメチルクロライド四級塩、及びポリジアリルジメチルアンモニウムクロライドのうち少なくとも１つを含みうる。
【００２４】
前記アニオン性界面活性剤を除去することは、アニオン性吸着を含みうる。前記カチオン性界面活性剤を除去することは、カチオン性吸着を含みうる。前記非イオン性界面活性剤を除去することは、ミセル相分離を含みうる。また、前記界面活性剤を除去することは、疎水性吸着を含みうる。前記界面活性剤を除去することは、
前記界面活性剤の濃度が所定の濃度未満になるまで前記反応混合物を希釈すること、及び
前記界面活性剤を含む前記反応混合物を、分画分子量が前記界面活性剤の最大分子量を超えるタンジェンシャルフロー濾過フィルタによる透析濾過に供することを含みうる。
【００２５】
前記方法はまた、前記出発フカン組成物を提供した後且つ前記細胞破壊剤を除去する前に、キレート剤を前記反応混合物に添加することを含んでいてもよい。前記キレート剤は、エチレンジアミン四酢酸（ＥＤＴＡ）、２，３−ジメルカプト−１−プロパノール、エチレンジアミン、ポルフィン及び／又はクエン酸を含んでいても良い。前記方法はさらに、前記細胞破壊剤を除去する前に酸化剤反応停止剤（oxidant-quenching agent）を前記反応混合物に添加して、前記反応混合物中の酸化剤の反応を停止（quench）すること、又は前記出発フカン組成物を提供した後且つ前記細胞破壊剤を除去する前に、静菌剤（bacteriostatic agent）を前記反応混合物に添加すること、を含んでいてもよい。前記静菌剤は、亜硫酸ナトリウム、エチレンジアミン四酢酸（ＥＤＴＡ）、塩化ベンザルコニウム、エタノール及び／又はチオ尿素を含みうる。除去される不純物は、粒子状物、脂質、脂肪酸、フロロタンニン、ラミナリン、アルギン酸塩、タンパク質、メイラード反応生成物、フコキサンチン、クロロフィル、細菌、細胞成分、及びＤＮＡのうち少なくとも１つを含みうる。
【００２６】
精製／改変フカンを含む前記組成物を得るために出発フカン組成物から不純物を除去する方法は、
不純物を含む出発フカン組成物を水性出発溶液中に提供すること、
前記水性出発溶液を有機溶媒と混合して、水相有機相混合物を生成すること、及び
前記水相有機相混合物を分離して水性部分及び有機部分を得ることを含んでいてもよい。
【００２７】
前記方法はさらに、前記精製／改変フカンを含有する前記水性部分を回収することを含んでいてもよい。前記有機溶媒は、エタノール、イソプロパノール、メタノール、ベンゼン、デカメチルシクロペンタシロキサン、酢酸エチル、ヘキサン、ヘプタノール、オクタノール、デカノール、ヘプタン、酢酸イソブチル、アニソール、酢酸イソプロピル、１−ブタノール、酢酸ブチル、メチルイソブチルケトン、ペンタン、１−ペンタノール、エチルエーテル、及び酢酸プロピルのうち少なくとも１つでありうる、相対極性度が０．７６５未満である有機溶媒を少なくとも１種含みうる。除去される不純物は、粒子状物、脂質、脂肪酸、フロロタンニン、ラミナリン、アルギン酸塩、タンパク質、メイラード反応生成物、フコキサンチン、クロロフィル、細菌、細胞成分、及びＤＮＡのうち少なくとも１つを含みうる。
【００２８】
出発フカン組成物のカチオン含有量を変更する方法は、
出発フカン組成物を出発溶液中に提供すること、及び
タンジェンシャルフロー濾過フィルタを通るキレート剤溶液を用いて前記出発溶液をタンジェンシャルフロー濾過フィルタを通しての透析濾過に供し、保持フカン組成物を生成すること、を含んでいてもよい。
【００２９】
前記キレート剤は、エチレンジアミン四酢酸（ＥＤＴＡ）、２，３−ジメルカプト−１−プロパノール、エチレンジアミン、ポルフィン、又はクエン酸のうち少なくとも１つを含みうる。前記保持フカン組成物は、本質的にナトリウム及び／又はカリウムからなるカチオン含有量を有しうる。
【００３０】
精製／改変フカンを得るために出発フカン組成物から不純物を除去する方法はさらに、
不純物を含む出発フカン組成物を提供すること、
超臨界抽出装置で７０バールを超える適切な圧力及び３０℃を超える適切な温度に前記出発フカン組成物を供すること、
超臨界抽出装置に超臨界流体を充填して、前記超臨界流体中に不純物を除去すること、並びに
前記抽出された不純物を含む超臨界流体を所定の時間後に除去すること、を含んでいてもよい。
【００３１】
前記方法はさらに、超臨界抽出装置に残留している前記精製／改変フカンを回収することを含んでいてもよく、前記圧力は約７０バール〜約２０００バールであってもよく、前記温度は約３０℃〜約３００℃であってもよい。前記出発フカン組成物は、液体または固体でありうる。前記超臨界流体は、二酸化炭素、エタノール、エタン、塩酸、フッ化水素酸、硫酸（sulfuric acid）、及び硝酸のうち少なくとも１つを含みうる。前記所定の時間は、約５分〜５０時間でありうる。除去される不純物は、粒子状物、脂質、脂肪酸、フロロタンニン、ラミナリン、アルギン酸塩、タンパク質、メイラード反応生成物、フコキサンチン、クロロフィル、細菌、細胞成分、及びＤＮＡのうち少なくとも１つを含みうる。
【００３２】
これらの態様及び他の態様、特徴、並びに実施形態は、以下の発明を実施するための形態及び添付の図面を含む、本出願内に示されている。他に明確に述べられていない限り、全ての実施形態、態様、特徴などは、任意の望ましい方法で調和及び適合させる、組み合わせる、並びに順序を変えることが可能である。
【００３３】
これらの態様及び他の態様、特徴、並びに実施形態は、以下の発明を実施するための形態及び添付の図面を含む、本出願内に示されている。他に明確に述べられていない限り、全ての実施形態、態様、特徴などは、任意の望ましい方法で調和及び適合させる、組み合わせる、並びに順序を変えることが可能である。
【図面の簡単な説明】
【００３４】
【図１】図１は、タンジェンシャルフロー濾過でキレート剤を使用して、出発フカン組成物のカチオン含有量を変更し、低分子量非フカン性成分を除去するための例示的なシステムを概略的に示した図である。
【図２Ａ】本明細書における方法に従って処理されたある種のフカンが構造的変化を経ることを示すＮＭＲ結果を示す。
【図２Ｂ】本明細書における方法に従って処理されたたある種のフカンが構造的変化を経ることを示す二次元ＮＭＲ結果を示す。
【発明を実施するための形態】
【００３５】
前記図面は、本明細書の組成物、方法などのいくつかの態様の例示的な実施形態を提示する。本明細書に記載のシステム、方法などの実施形態は、図面に示されていないさらなる特徴又は工程を含む場合がある。さらに、本明細書に記載されている例示は、システム、方法などの実施形態を１又は複数の形態で示しており、そのような例示は、いかなる方法でも本開示の範囲を限定するものと解釈されるべきではない。本明細書に記載の実施形態は、網羅的ではなく、例えば、以下の発明を実施するための形態において開示される詳細な形態に本開示を限定しない。
【００３６】
本明細書に示される組成物、システム、方法などは、精製／改変フカンを含む。本明細書の組成物は、医学的処置、手術後の処置、疾患抑制などに有効でありうる。いくつかの実施形態では、前記フカンはフコイダンである。本明細書の精製／改変フカンは、それ自体、医療機器、医療材料、組み合わせ製品であってよく、それらに含められてもよく、又は医薬的に許容される治療的及び／又は医学的に有効な組成物中に含まれてもよい。
【００３７】
以下の段落は、精製／改変フカンを含む本明細書に記載のいくつかの組成物の簡潔かつ全般的な考察に移る。それらの組成物は、選択した方法に応じて、溶液、懸濁液、固体、ゲル、又はその他のモダリティなどの適切な反応混合物を使用して実行できるさまざまな方法で出発フカン組成物から本明細書に記載の方法論を使用して製造されうるものを含む。
【００３８】
組成物
本明細書に示される組成物、システムなどは、特定の実施形態では、フカン及び医学的に許容される精製／改変フカン並びに外科的癒着のみならず関節炎、乾癬、又は所望により他の疾患などにおける線維性癒着を処置するための、治療上有効量の精製／改変フカン組成物を含む医学的に許容される精製／改変フカン組成物を提供する。前記組成物中の前記精製／改変フカンは、約７５％ｗ／ｗ超のフコース、ガラクトース、及び硫酸（sulfate）の総含有量、例えば、約８０％ｗ／ｗ超又は８４％ｗ／ｗ超のフコース、ガラクトース、及び硫酸の総含有量を有しうる。いくつかの実施形態では、前記精製／改変フカンはさらに少なくとも１つの対イオンを少なくとも約５％ｗ／ｗ、７％ｗ／ｗ、９％ｗ／ｗ、１０％ｗ／ｗ、又は１１％ｗ／ｗまで含みうる。いくつかの実施形態では、前記対イオンは、医薬的に許容される対イオンである。いくつかの実施形態では、前記対イオンは、フカン上に存在する硫酸基にイオン結合している。医薬的に許容される対イオンには、アルミニウム、アルギニン、ベンザチン、クロロプロカイン、コリン、ナトリウム、カリウム、リチウム、アンモニウム、エチレンジアミン、ジエチルアミン、ジエタノールアミン、エタノールアミン、ヒスチジン、リジン、Ｎ−メチルグルカミン、メグルミン、プロカイン、トリエチルアミン、亜鉛、カルシウム、及びマグネシウムが含まれうる。フカンの硫黄含有成分は、Ｃ−Ｏ−Ｓ結合を介して結合されている。このような結合の酸素は、様々な要因に応じて、主に炭素又は硫黄のいずれかに結合していると見なすことができる。本明細書で使用される「硫酸」という用語は、両方の実施形態を指す。
【００３９】
特定の実施形態では、本明細書に記載の精製／改変フカンは、少なくとも約８５％ｗ／ｗ、９０％ｗ／ｗ、９４％ｗ／ｗ、９７％ｗ／ｗ、又は９８％ｗ／ｗのフコース、ガラクトース、硫酸、及び対イオンを含む。例示的な対イオンには、最大約７％ｗ／ｗ、８％ｗ／ｗ、９％ｗ／ｗ、１０％ｗ／ｗ、１１％ｗ／ｗ、１２％ｗ／ｗ、１３％ｗ／ｗ、１４％ｗ／ｗ、又は１５％ｗ／ｗのカルシウム、マグネシウム、カリウム及び／又はナトリウムが含まれる。いくつかの実施形態では、前記精製／改変フカンは、少なくとも約２５％ｗ／ｗ、３０％ｗ／ｗ、又は３５％ｗ／ｗのフコースを含む。いくつかの実施形態では、前記精製／改変フカンは、約１０％ｗ／ｗ、５％ｗ／ｗ、又は４％ｗ／ｗ未満のガラクトースを含む。いくつかの実施形態では、前記精製／改変フカンは、フコース、ガラクトース、硫酸及び対イオン成分の合計から本質的になるか、又はフコース、ガラクトース、硫酸及び対イオン成分の合計からなる。いくつかの実施形態では、本明細書に記載のフカンは、前記フコース及びガラクトース以外の全ての糖成分を実質的又は完全に欠いている。いくつかの実施形態では、本明細書に記載のフカンは、グルクロン酸、マンノース、ラムノース、キシロース、ガラクトース、又はグルコースのうち１つ又は複数を実質的に又は完全に欠いている。この一文で使用されている「実質的に欠いている」とは、そのような糖成分の存在があったとしても、その存在が医薬的及び医学的に重要ではないほど十分に低いことを示す。
【００４０】
特定の実施形態では、本明細書に示される精製／改変フカンは、線維性癒着並びに他の疾患及び／又は状態などの他の標的の抑制、予防、除去、軽減、又はその他の処置を含む複数の適用のために使用されうる。処置は、前記フカンが、典型的には、外科医又は他の専門家によって、線維性癒着（又は他の疾患若しくは状態）を含むと、又は線維性癒着（又は他の疾患若しくは状態）に相当に罹患しやすいと同定された選択標的部位である標的部位における線維性癒着の形成の軽減又は予防など、標的疾患又は他の状態の発現を軽減させるか又は予防することを含み、例えばすでに存在する線維性癒着の除去を含む、存在する疾患又は他の状態の除去も含む。かかる抑制、予防、除去、軽減、又はその他の処置のために、前記フカン組成物は、典型的には、医学的に許容しうる医療機器、組み合わせ製品、又は結合剤、アジュバント、賦形剤（excipient）、並びに、所望により、二次薬物であって前記フカンに付加されないが前記組成物中に含まれるもの及び／又は前記フカンに付加されうるものなどの、追加的な医学的に活性な物質などの追加的な成分を含む医薬的に有効な組成物において、提供される。
【００４１】
さらなる実施形態では、本明細書に記載の精製／改変フカンを含む組成物は、固体、例えば、約７％ｗ／ｗ未満の含水量、例えば、約６％ｗ／ｗ未満、５％ｗ／ｗ未満、４％ｗ／ｗ未満、３％ｗ／ｗ未満、又は２％ｗ／ｗ未満の含水量を含む固体組成物でありうる。
【００４２】
前記精製／改変フカンの分子量分布は任意の所望の適切な測定システムを用いて測定することができる。異なるシステムは、実質的に同一構成を有する異なる組成物から、又は異なって測定される場合は同一バッチからも、異なる読取値又は結果を生じることが可能である。１つの適切な測定システムは、実質的に、有効分子量範囲が約５０ｋＤａ〜約５，０００ｋＤａの、ヒドロキシル化ポリメタクリレート系ゲルが充填された、内径が７．８ｍｍの１つの３００ｍｍ分析ゲル浸透クロマトグラフィーカラム、有効分子量範囲が約１ｋＤａ〜約６，０００ｋＤａの、ヒドロキシル化ポリメタクリレート系ゲルが充填された、内径が７．８ｍｍの１つの３００ｍｍ分析ゲル浸透クロマトグラフィーカラム、及びヒドロキシル化ポリメタクリレート系ゲルが充填された、内径が６ｍｍの１つの４０ｍｍガードカラムであって、約３０℃のカラムコンパートメントに収容されている前記２つの分析ゲル浸透クロマトグラフィーカラム及び前記１つのガードカラム、約３０℃の示差屈折率検出器、０．６ｍＬ／分の０．１Ｍ硝酸ナトリウム移動相流、並びに、実質的に、ピーク分子量が約２，２００ｋＤａの第１デキストラン標準品、ピーク分子量が約７２０ｋＤａ〜約７６０ｋＤａの第２デキストラン標準品、ピーク分子量が約４７０ｋＤａ〜約５１０ｋＤａの第３デキストラン標準品、ピーク分子量が約３７０ｋＤａ〜約４１０ｋＤａの第４デキストラン標準品、ピーク分子量が約１８０ｋＤａ〜約２２０ｋＤａの第５デキストラン標準品、及びピーク分子量が約４０ｋＤａ〜５５ｋＤａの第６デキストラン標準品からなるピーク分子量標準曲線に対する定量、からなる水系ゲル浸透クロマトグラフィー構成である。前記ピーク分子量標準曲線は、さらに、ピーク分子量が３ｋＤａ〜５ｋＤａのデキストラン標準品を含んでもよい。
【００４３】
本明細書に記載の精製／改変フカンは分子量分布を有していてもよく、前記分布の少なくとも約２５％ｗ／ｗ、３０％ｗ／ｗ、４０％ｗ／ｗ、５０％ｗ／ｗ、６０％ｗ／ｗ、７０％ｗ／ｗ、７５％ｗ／ｗ、９０％ｗ／ｗ、９２％ｗ／ｗ、９７％ｗ／ｗ、又は９８％ｗ／ｗは１００ｋＤａ超である。本明細書に記載の精製／改変フカンは、分子量分布を有するフカンを含んでいてもよく、前記分布の少なくとも約５０％ｗ／ｗ、６０％ｗ／ｗ、７０％ｗ／ｗ、８０％ｗ／ｗ、又は９０％ｗ／ｗは２００ｋＤａ超である。本明細書に記載の精製／改変フカンは、分子量分布を有していてもよく、前記分布の少なくとも約２５％ｗ／ｗ、３０％ｗ／ｗ、４０％ｗ／ｗ、５０％ｗ／ｗ、６０％ｗ／ｗ、７０％ｗ／ｗ、又は７５％ｗ／ｗは５００ｋＤａ超である。本明細書に記載の精製／改変フカンは分子量分布を有していてもよく、前記分布の少なくとも約５％ｗ／ｗ、１０％ｗ／ｗ、２０％ｗ／ｗ、３０％ｗ／ｗ、又は４０％ｗ／ｗは１６００ｋＤａ超である。
【００４４】
本明細書に記載の精製／改変フカンは、約１００ｋＤａ超の重量平均分子量を有していてもよく、例えば、約１００ｋＤａ〜約１０，０００ｋＤａ、約２００ｋＤａ〜約８，０００ｋＤａ、約３５０ｋＤａ〜約８，０００ｋＤａ、約４５０ｋＤａ〜約８，０００ｋＤａ、約５８０ｋＤａ〜約８，０００ｋＤａ、又は約８００ｋＤａ〜約２，０００ｋＤａである。本明細書に記載の精製／改変フカンは、約７０ｋＤａ超のピーク分子量を有していてもよく、例えば、約７０ｋＤａ〜約１２００ｋＤａ、約１００ｋＤａ〜約１２００ｋＤａ、約２００ｋＤａ〜約１２００ｋＤａ、約４００ｋＤａ〜約１２００ｋＤａ、又は約４００ｋＤａ〜約９００ｋＤａである。
【００４５】
本明細書に記載の精製／改変フカンは、約５０ｋＤａ超、約５０ｋＤａ〜約１，０００ｋＤａ、約７０ｋＤａ〜約１０００ｋＤａ、約１５０ｋＤａ〜約１０００ｋＤａ、約２５０ｋＤａ〜約１０００ｋＤａ、又は約２５０ｋＤａ〜約７００ｋＤａの数平均分子量を有していてもよい。
【００４６】
本明細書に記載の精製／改変フカンは、約１０％ｗ／ｗ〜７０％ｗ／ｗ、約２０％ｗ／ｗ〜６５％ｗ／ｗ、約３０％ｗ／ｗ〜６０％ｗ／ｗ、又は約４０％ｗ／ｗ〜６０％ｗ／ｗの硫酸化レベルを有していてもよい。
【００４７】
本明細書に記載の精製／改変フカンは、総フコース：総硫酸のモル比が約１：０．５〜１：４、約１：０．８〜１：３．５、約１：１〜１：２．５、約１：１．２〜１：２．０、又は約１：１．５〜１：３であってよい。本明細書に記載の精製／改変フカンは、総フコース＋ガラクトース：総硫酸のモル比が約１：０．５〜１：４、約１：０．８〜１：３．５、約１：１〜１：２．５、約１：１．２〜１：２．０、又は約１：１．５〜１：３であってよい。
【００４８】
本明細書に記載の精製／改変フカンは、約２７％ｗ／ｗ〜７０％ｗ／ｗ、約３０％ｗ／ｗ〜８０％ｗ／ｗ、約４０％ｗ／ｗ〜９０％ｗ／ｗ、又は約５０％ｗ／ｗ〜１００％ｗ／ｗの総炭水化物含有量を有していてよい。本明細書に記載の精製／改変フカンは、総炭水化物含有量に対する割合として約３０％ｗ／ｗ〜１００％ｗ／ｗ、約４０％ｗ／ｗ〜９５％ｗ／ｗ、又は約５０％ｗ／ｗ〜９０％ｗ／ｗのフコース含有量を有していてもよい。本明細書に記載のフカンは、総炭水化物含有量に対する割合として０％ｗ／ｗ〜６０％ｗ／ｗ、約５％ｗ／ｗ〜３０％ｗ／ｗ、又は約８％ｗ／ｗ〜１０％ｗ／ｗのガラクトース含有量を有していてもよい。本明細書に記載のフカンは、総炭水化物含有量に対する割合として約０％ｗ／ｗ〜１０％ｗ／ｗのグルクロン酸含有量、総炭水化物含有量に対する割合として約０％ｗ／ｗ〜７％ｗ／ｗのマンノース含有量、総炭水化物含有量に対する割合として０％ｗ／ｗ〜４％ｗ／ｗのラムノース含有量、及び総炭水化物含有量に対する割合として０％ｗ／ｗ〜２０％ｗ／ｗのキシロース含有量を有していてもよい。本明細書に記載のフカンは、約３０％ｗ／ｗ未満又は約１２％ｗ／ｗ未満のグルクロン酸、マンノース、ラムノース、グルコース、及びキシロースの総含有量を有しうる。
【００４９】
いくつかの実施形態では、本明細書中の精製／改変フカンは、水に５０ｍｇ／ｍｌの濃度で溶解される場合、約４ｃＰ〜約５０ｃＰ、約５ｃＰ〜約４０ｃＰ、約１０ｃＰ〜約３０ｃＰ、約１５ｃＰ、約２０ｃＰ、又は約２５ｃｐの粘度を有する。ある一定の実施形態では、本明細書中の精製／改変フカンは、水に１ｍｇ／ｍＬ〜１００ｍｇ／ｍｌで溶解すると、無色透明、淡黄色透明又は淡褐色透明である溶液を形成する。
【００５０】
本明細書に記載の精製／改変フカンは、ペースト、ゲル、パッチ、フィルム、スプレー、液体、ローション、クリーム、溶液、懸濁液、固体、インプラント、ミクロスフェア、又は他の所望の形態で提供されうる。
【００５１】
本明細書に示される組成物は、本質的に精製／改変フカンからなる固体でありうる。精製／改変フカンは、本質的にフコース、ガラクトース、硫酸、及び対イオンからなり得る。
【００５２】
本明細書において精製／改変フカンは、約０．０１ｍｇ／ｍＬ〜約３００ｍｇ／ｍＬ、例えば、約０．１ｍｇ／ｍＬ〜約１００ｍｇ／ｍＬ、約１ｍｇ／ｍＬ〜約５０ｍｇ／ｍＬ、又は約２０ｍｇ／ｍＬ〜約８０ｍｇ／ｍＬのフカンを含む溶液に存在し得る。前記フカンは、本質的にフコース、ガラクトース、硫酸、及び対イオンからなり得る。
【００５３】
前記精製／改変フカンは、約１００ｍｇ／ｍＬ〜約１０００ｍｇ／ｍＬ、例えば、約１００ｍｇ／ｍＬ〜約５００ｍｇ／ｍＬ又は３００ｍｇ／ｍＬ〜約８００ｍｇ／ｍＬのフカンを含むゲルに存在し得る。前記フカンは、本質的にフコース、ガラクトース、硫酸、及び対イオンからなり得る。
【００５４】
本明細書において精製／改変フカンは、約１００ｍｇ／ｍＬ〜約１０００ｍｇ／ｍＬ、例えば、約１００ｍｇ／ｍＬ〜約５００ｍｇ／ｍＬ又は約３００ｍｇ／ｍＬ〜約８００ｍｇ／ｍＬのフカンを含むフィルムに存在し得る。前記フカンは、本質的にフコース、ガラクトース、硫酸、及び対イオンからなり得る。
【００５５】
本明細書に記載の精製／改変フカンは、医療機器の構成要素、組み合わせ製品、及び／又は任意の数の医薬的に許容される賦形剤（excipients）を含む医薬組成物、例えば、ゼラチン、ヒプロメロース、乳糖、注射用水（ＵＳＰ規格適合）、塩化ナトリウム、リン酸ナトリウム、クエン酸ナトリウム、アスコルビン酸ナトリウム、リン酸緩衝液、クエン酸緩衝液、リン酸・クエン酸緩衝液、プルロニック、セルロース、アルギン酸塩、アクリル酸塩、ヒアルロン酸、ポリエチレングリコール、キトサン、注射用賦形剤、又は乳酸リンゲル液ＵＳＰとして投与されうる。
【００５６】
本明細書に記載の精製／改変フカンは、ペースト、ゲル、パッチ、フィルム、スプレー、液体、ローション、クリーム、溶液、懸濁液、固体、インプラント、ミクロスフェア、又は他の所望の形態で投与されうる。
【００５７】
前記精製／改変フカンは、静脈内、関節内、病巣内、膣内、直腸、筋肉内、腹腔内、皮下、局所、鼻腔内、眼内、又は経口投与経路で投与されうる。前記精製／改変フカンは、直接患部に送達されうる。前記精製／改変フカンは、ポリマー剤形からの制御放出を介して、患部に継続的に放出されうる。
【００５８】
本明細書に記載の精製／改変フカンは、精製／改変フカン及び少なくとも１つの他の薬剤を含む医薬組成物の成分として投与されうる。前記薬剤は、パクリタキセル、ドキソルビシン、カンプトテシン、エトポシド、ミトキサントロン、メトトレキサート、メナジオン、プラムバギン、ジュグロン、β‐ラパコンシクロスポリン、スルファサラジン、ステロイド、ラパマイシン、レチノイド、ドセタキセル、コルヒチン、アンチセンスオリゴヌクレオチド、及びリボザイムのうち少なくとも１つでありうる。
【００５９】
ある一定の実施形態において、本明細書に記載の精製／改変フカンは、アセチル含量が、約５％ｗ／ｗ未満、約２％ｗ／ｗ未満、又は約０％ｗ／ｗでありうる。いくつかの実施形態において、本明細書に記載の精製／改変フカンは、それぞれ２５６〜５１２スキャンの８増分において、炭素寸法において１０〜３０ｐｐｍの範囲で、５ｍｍ低温プローブを備える６００ＭＨｚ分光計において溶媒信号抑制により７０℃での２Ｄ１Ｈ−１３Ｃ異核多量子コヒーレンスによって測定されるとき、アセチル含量が実質的に０％ｗ／ｗである。
【００６０】
方法
例えば、フカンを含む出発フカン組成物、例えば、原料フカン組成物、又は他のフカン含有組成物から、フカンを精製及び／又は改変するための方法、システムなどが提供される。本明細書で使用される「不純物」は、フコース、ガラクトース、硫酸又は対イオンではないフカンの任意の成分、及びフカンを含む組成物中に存在する任意の非フカン性の成分又は化合物又は物質を指す。前記フカンには、例えば、フカンにイオン結合及び／又は化学結合したタンパク質、フカン高分子構造の一部であるフコース及びガラクトース以外の糖残基、フカンに化学結合した他の糖類、及びフカンに結合していないが、原料フカン組成物などの出発フカン組成物中に存在する非フカン不純物などの不純物が見られる場合がある。そのような不純物の例として、限定されないが、微粒子状物、脂質、脂肪酸、フロロタンニン、ラミナリン、アルギン酸塩、タンパク質、メイラード反応生成物、フコキサンチン、クロロフィル、バクテリア、細胞成分、及びＤＮＡが挙げられる。そのうちのいくつかは発色団を含み、そのため出発フカン組成物には茶色、黄色、及び緑色の存在が認められ、そのいくつかは、前記出発フカン組成物中のフカン又はその一部にイオン結合及び／又は化学結合していることがある。特定の実施形態では、本明細書に記載の方法などを使用してフコース、ガラクトース、硫酸、及び対イオンを少なくとも約８８％ｗ／ｗ、８９％ｗ／ｗ、９０％ｗ／ｗ、９１％ｗ／ｗ、９２％ｗ／ｗ、９３％ｗ／ｗ、９４％ｗ／ｗ、９５％ｗ／ｗ、９６％ｗ／ｗ、９７％ｗ／ｗ、９７．１％ｗ／ｗ、９８％ｗ／ｗ、９８．８％ｗ／ｗ、９９％ｗ／ｗ、９９．５％ｗ／ｗ、又は９９．９％ｗ／ｗ含む精製／改変フカンを調製しうる。いくつかの実施形態では、前記精製／改変フカンは、フコース、ガラクトース、及び硫酸を少なくとも約７５％ｗ／ｗ、７８％ｗ／ｗ、８０％ｗ／ｗ、８２％ｗ／ｗ、又は８４％ｗ／ｗ含む。いくつかの実施形態では、前記精製／改変フカンは、不純物を約０．１％ｗ／ｗ未満、０．５％ｗ／ｗ未満、１％ｗ／ｗ未満、２．９％ｗ／ｗ未満、３％ｗ／ｗ未満、４％ｗ／ｗ未満、５％ｗ／ｗ未満、６％ｗ／ｗ未満、７％ｗ／ｗ未満、８％ｗ／ｗ未満、９％ｗ／ｗ未満、１０％ｗ／ｗ未満、１１％ｗ／ｗ未満、又は１２％ｗ／ｗ未満含む。これらの不純物の一部は、フカンの医学的及び／又は外科的使用において危険な合併症を引き起こす可能性がある。
【００６１】
いくつかの実施形態では、本開示は、例えば、線維性癒着の予防などの医学的用途及び外科的用途に適した不純物のレベルが低い精製／改変フカンを提示している。
【００６２】
以下の段落では、本明細書に記載の精製／改変フカンを製造するために使用されうる方法のいくつかの簡潔かつ全般的な説明に移る。
【００６３】
物理的に誘導される凝集（flocculation）
高レベルの不純物を含む、原料フカン組成物などの出発フカン組成物は、不純物の凝集に供されるものであり、これは物理的に誘導される凝集でありうる。上記の方法は、出発フカン組成物を提供すること；凝集助剤を前記出発フカン組成物に添加して反応混合物を生成すること；前記反応混合物を加熱することによって前記出発フカン組成物において前記不純物を凝集させること；凝集した前記不純物を前記反応混合物から分離すること；及び前記分離の後、所望の前記精製／改変フカンを回収することを含みうる。
【００６４】
前記反応混合物を加熱することによる前記不純物の凝集は、大気圧を超える圧力に前記反応混合物を供しながら、前記反応混合物を加熱することを含んでいてもよい。適切な凝集助剤として、限定することなく、塩及び／又は塩基、例えば、アルカリ金属、アルカリ土類金属、アルミニウム及び／又はアンモニウムの塩化物、臭化物、ヨウ化物、フッ化物、硫酸塩、亜硫酸塩、炭酸塩、重炭酸塩、リン酸塩、硝酸塩、亜硝酸塩、酢酸塩、クエン酸塩、ケイ酸塩、酸化物、水酸化物及び／又はシアン化物、例えば、塩化ナトリウム、硫酸ナトリウム、塩化カリウム、硫酸カルシウム、リン酸ナトリウム、硝酸ナトリウム、塩化リチウム、硝酸リチウム、アンモニウムクロライド、炭酸ナトリウム、水酸化ナトリウムが挙げられる。前記反応混合物から凝集した前記不純物を分離することは、前記反応混合物の遠心分離、濾過、析出又は流体力学的流動分離のうちの１又は複数を含んでいてもよい。
【００６５】
本明細書における方法などは、凝集助剤を添加する前に前記出発フカン組成物を脱塩することをさらに含んでいてもよい。前記脱塩は、分画分子量（ＭＷＣＯ）タンジェンシャルフロー濾過（ＴＦＦ）フィルタを通して水中溶液である前記出発フカン組成物を透析濾過することを含んでいてもよい。前記透析濾過は、前記出発フカン組成物を蒸留水によって透析濾過することを含んでいてもよい。前記分画分子量ＴＦＦフィルタは、前記精製／改変フカンにおける所望の分子量分離点又はターゲットよりも小さい分画分子量、例えば、５０ｋＤａ、７０ｋＤａ、１００ｋＤａ、２００ｋＤａ、３００ｋＤａ、５００ｋＤａ又は１０００ｋＤａの分画分子量を有しうる。
【００６６】
前記方法は、塩基性環境又は中性環境において実施されうる。前記出発フカン組成物の凝集助剤を添加することは、そのため、前記出発フカン組成物を塩基性にして前記出発フカン組成物におけるフカンが分解するのを予防又は抑制することを含んでいてもよく、これはフカンは酸性環境において分解する傾向があるためである。他の実施形態において、前記方法は、前記反応混合物をｐＨ７以上において又はその付近で維持することによって実施されうる。
【００６７】
いくつかの実施形態において、前記出発フカン組成物は、溶液として提供されうる。上記の方法による処理に適切なフカンの例として、限定することなく、フコイダンが挙げられ、溶液中のフカン濃度は、０．０１％ｗ／ｖ〜５０％ｗ／ｖであってよい。上記の方法によって除去されうる不純物として、限定することなく、粒子状物、脂質、脂肪酸、フロロタンニン、ラミナリン、アルギン酸塩、タンパク質、メイラード反応生成物、フコキサンチン、クロロフィル、細菌、細胞成分及びＤＮＡが挙げられる。
【００６８】
固相抽出
例えば原料フカン組成物など、非常に不純物のレベルが高いものを含む、所望されないレベルの不純物を含有する原料フカン組成物などの出発フカン組成物に含まれるフカンは、固相抽出に供される。前記方法は：他の不純物の中に不純物を含む固体状態の出発フカン組成物と、不純物を溶解するように構成されているがフカンを溶解できない抽出媒体とを提供すること；前記出発フカン組成物を前記抽出媒体と混合して、溶解されていない固体フカン組成物と、溶解した不純物を含有する前記抽出媒体と、の混合物を形成すること；溶解した不純物を含有する抽出媒体から、精製された溶解されていない固体状態のフカンを分離すること；及び、前記精製／改変フカンを前記抽出媒体から除去した後、前記精製／改変フカンを固体として回収することを含みうる。前記分離は、例えば、遠心分離、濾過、析出及び流体力学的流体分離のうちの１又は複数を含んでいてもよい。
【００６９】
前記抽出媒体は、例えば、塩基、界面活性剤及び酸化剤のうちの１又は複数を含みうる。フカンを溶解しない適切な抽出媒体として、相対極性が０．７６５未満である有機溶媒、例えば、エタノール、イソプロパノール、メタノール、ベンゼン、ジエチルエーテル、デカメチルシクロ−ペンタシロキサン、酢酸エチル、ブタノール、ヘキサン、ヘプタン、ヘプタノール、オクタノール及びデカノールが挙げられる。適切な塩基として、限定することなく、水酸化ナトリウム、水酸化カリウム、水酸化リチウム、及び水酸化カルシウムが挙げられる。適切な酸化剤として、限定することなく、過酸化水素、過酸化尿素、及び次亜塩素酸ナトリウムを含む酸化漂白剤のうちの１又は複数が挙げられる。適切な界面活性剤として、限定することなく、非イオン性界面活性剤、例えば、Ｔｗｅｅｎ（登録商標）、Ｂｒｉｊ（登録商標）及びＴｒｉｔｏｎ（登録商標）の範囲の界面活性剤；アニオン性界面活性剤、例えば、ドデシル硫酸ナトリウム（ＳＤＳ）、デオキシコール酸ナトリウム；並びにカチオン性界面活性剤、例えば、塩化ベンザルコニウム（ＢＡＣ）が挙げられる。本明細書における方法に適した特定のフカンとしては、限定されないがフコイダンが挙げられる。オリジナルの、例えば、出発フカン組成物の、前記抽出媒体による処理は、１分から１２０時間まで延長しうる。
【００７０】
前記方法は、出発フカン組成物を固体形態で提供する前に出発フカン組成物を脱塩することをさらに含んでいてもよい。脱塩は、分画分子量（ＭＷＣＯ）タンジェンシャルフロー濾過（ＴＦＦ）フィルタを用いて水中溶液である出発フカン組成物を透析濾過することを含みうる。透析濾過は、出発フカン組成物を蒸留水によって透析濾過することを含んでいてもよい。分画分子量ＴＦＦフィルタは、精製／改変フカンにおける所望の分子量分離点又はターゲットよりも小さい分画分子量、例えば、５０ｋＤａ、７０ｋＤａ、１００ｋＤａ、２００ｋＤａ、３００ｋＤａ、５００ｋＤａ又は１０００ｋＤａの分画分子量を有しうる。透析濾過は、適切なプレフィルタを通して出発フカン組成物を予備濾過して、粒子状物を除去することをさらに含んでいてもよい。前記方法は、出発フカン組成物を固体形態で提供する前に溶液中の適した出発フカン組成物を凍結乾燥することをさらに含んでいてもよい。前記方法は、出発フカン組成物を固体形態で提供する前に適切な出発フカン組成物を溶液から沈殿させることをさらに含んでいてもよい。適切な沈殿剤として、限定することなく、エタノール、イソプロパノール、プロパノール、アセトン、メタノール、ジメチルスルホキシド、ジメチルホルムアミド、エチレングリコール、テトラヒドロフラン、アセトニトリル、グライム、ジグライム、ジオキサンが挙げられ、フカンの溶解度は、沈殿させる流体の極性が減少するにつれて減少する。上記の方法によって除去されうる不純物としては、粒子状物、脂質、脂肪酸、フロロタンニン、ラミナリン、アルギン酸塩、タンパク質、メイラード反応生成物、フコキサンチン、クロロフィル、細菌、細胞成分及びＤＮＡが挙げられるが、これらに限定されない。
【００７１】
化学的に誘導される沈殿
高レベルの不純物、例えば、懸濁した粒子状物を含有する、原料フカン組成物などの出発フカン組成物は、化学的に誘導される不純物の沈殿に供される。ある一定の実施形態において、前記方法は、出発フカン組成物を出発溶液中に提供すること；イオン性多価不純物沈殿剤を用いて前記出発溶液から不純物を沈殿させて、懸濁不純物と沈殿不純物と上清との混合物を提供すること；前記上清溶液から前記懸濁不純物及び沈殿不純物を分離すること；及び前記懸濁不純物及び沈殿不純物を前記上清から分離した後に、所望の前記精製／改変フカンを含有する前記上清溶液を回収することを含みうる。
【００７２】
適切な不純物沈殿剤として、二価カチオン及び三価カチオンのイオン性多価塩及び／又は塩基が挙げられる。かかる適切な塩の例として、限定することなく、アルカリ土類金属、亜鉛、アルミニウム、銅及び鉄の塩化物、臭化物、ヨウ化物、フッ化物、硫酸塩、亜硫酸塩、炭酸塩、重炭酸塩、リン酸塩、硝酸塩、亜硝酸塩、酢酸塩、クエン酸塩、ケイ酸塩及び／又はシアン化物が挙げられる。かかる適切な塩基の例として、限定することなく、アルカリ土類金属、亜鉛、アルミニウム、銅及び／又は鉄の水酸化物及び／又は酸化物が挙げられる。上清溶液からの懸濁した不純物及び沈殿した不純物の分離は、混合物中の不純物を凝集させることを含んでいてもよい。適切な凝集剤として、限定することなく、硫酸アルミニウムカリウム；硫酸アルミニウムナトリウム；硫酸アンモニウムアルミニウム；塩化カルシウム；リン酸ナトリウム；水酸化アルミニウム；塩化アルミニウム；塩化第二鉄；硫酸第二鉄；硫酸第一鉄；ケイ酸ナトリウム；ケイ酸カルシウム；リン酸カルシウム；塩化亜鉛；炭酸カルシウム；重炭酸カルシウム；硫酸カリウム；リン酸マグネシウム；アクリルアミド；アクリル酸；アルミニウムクロロハイドレート；ポリ塩化アルミニウム；タンニン；ホルムアルデヒド；メラミン；Ｎ，Ｎ−ジメチルアミノエチルアクリレートメチルクロライド；Ｎ，Ｎ−ジメチルアミノエチルメタクリレート塩化メチル四級塩；及びポリジアリルジメチル−アンモニウムクロライドが挙げられる。凝集剤の上記列挙から分かるように、いくつかの実施形態において、凝集剤は、不純物沈殿剤であってよい。上清溶液からの沈殿した、懸濁した及び／又は凝集した不純物の分離は、不純物と上清溶液との混合物の遠心分離、濾過、析出及び流体力学的流動分離のうちのうち少なくとも１つを含んでいてもよい。
【００７３】
前記方法は、前記出発フカン組成物を提供することの前に前記出発フカン組成物を脱塩することをさらに含んでいてもよい。前記脱塩は、ＴＦＦフィルタを通して水性溶液として前記出発フカン組成物を透析濾過することを含んでいてもよい。前記透析濾過は、前記出発フカン組成物を蒸留水によって透析濾過することを含んでいてもよい。前記透析濾過は、ＭＷＣＯが５ｋＤａ、１０ｋＤａ、３０ｋＤａ、５０ｋＤａ、７０ｋＤａ又は１００ｋＤａであるＴＦＦフィルタを通して前記出発フカン組成物を透析濾過することを含んでいてもよい。前記透析濾過は、適切なプレフィルタを通して前記出発フカン組成物を予備濾過して、粒子状物を除去することをさらに含んでいてもよい。
【００７４】
前記方法は、約７〜１４のｐＨを維持して、酸性環境におけるフカンの分解を抑制又は予防することをさらに含んでいてもよい。この約７〜１４のｐＨの維持には、適切な塩基、例えば、水酸化ナトリウムの添加を含んでいてもよい。適切な塩基が、イオン性多価不純物沈殿剤を用いて溶液から不純物を沈殿させる前に出発フカン組成物に添加されてもよい。他の実施形態においては、適切な塩基が、イオン性多価不純物沈殿剤を用いて溶液から不純物を沈殿させた後に、沈殿した不純物と上清溶液との混合物に添加されてもよい。さらに他の実施形態においては、適切な塩基が、懸濁した不純物及び沈殿した不純物を上清溶液から分離した後に上清溶液に添加されてよい。
【００７５】
上記の方法による処理に適切なフカンの例として、限定することなく、フコイダンが挙げられ、溶液中のフカン濃度は０．０１％ｗ／ｖ〜５０％ｗ／ｖでありうる。上記の方法によって除去されうる不純物として、限定することなく、粒子状物、脂質、脂肪酸、フロロタンニン、ラミナリン、アルギネート、タンパク質、メイラード反応生成物、フコキサンチン、クロロフィル、細菌、細胞成分及びＤＮＡが挙げられる。
【００７６】
溶解及び凝集
高レベルの不純物を含有する、原料フカン組成物などの出発フカン組成物は、溶解及び凝集に供される。この例における前記方法は、出発フカン組成物を提供すること；前記出発フカン組成物をアルカリ性にすること；前記出発フカン組成物に細胞破壊剤を添加して、反応混合物を生成すること、ここで前記細胞破壊剤は、前記出発フカン組成物における細胞成分を溶解し、生体分子成分を含む溶解物をアルカリ性の反応混合物中に放出する；前記反応混合物から前記細胞破壊剤及び前記不純物の少なくとも一部を除去して、分解されていない所望の前記フカンを残すことを含みうる。
【００７７】
前記細胞破壊剤を除去することは、沈殿、凝集、タンジェンシャルフロー濾過、ミセル相分離、イオン吸着、及び疎水性吸着のうちのいずれか１又は複数を含んでいてもよい。不純物を除去することは、沈殿、凝集、タンジェンシャルフロー濾過、ミセル相分離、イオン吸着、及び疎水性吸着のうちのいずれか１又は複数を含んでいてもよい。これらの除去方法のいずれか又は除去方法の組み合わせは、固体相と液体相とのいずれかの混合物の遠心分離、濾過、析出又は流体力学的流動分離を含んでいてもよい。
【００７８】
適切な細胞破壊剤としては、限定することなく、アニオン性、非イオン性又はカチオン性の界面活性剤、例えば、ドデシル硫酸ナトリウム（ＳＤＳ）、塩化ベンザルコニウム、Ｔｒｉｔｏｎ  Ｘ１００（登録商標）、Ｔｒｉｔｏｎ  Ｘ１１４（登録商標）、Ｂｒｉｊ（登録商標）界面活性剤、Ｔｗｅｅｎ（登録商標）界面活性剤、デオキシコール酸ナトリウム、及びアルキルベンゼンスルホネートが挙げられる。
【００７９】
前記方法の一実施形態において、細胞破壊剤は、ドデシル硫酸ナトリウム（ＳＤＳ）であり、細胞破壊剤を除去することは、細胞破壊剤をアルカリ性反応混合物に不溶にすることにより細胞破壊剤を沈殿させるための沈殿剤を添加することを含む。この実施形態において、細胞破壊剤を除去することは、凝集剤を反応混合物に添加して、沈殿した細胞破壊剤を少なくとも一部の不純物と共に凝集させることをさらに含んでいてもよい。細胞破壊剤を除去することは、凝集後に遠心分離することをさらに含んでいてもよい。
【００８０】
ドデシル硫酸ナトリウム及びアルキルベンゼンスルホネートに適切な沈殿剤としては、限定することなく、水酸化カリウム、塩化カリウム、塩化カルシウム、炭酸カルシウム及び塩化バリウムが挙げられる。適切な凝集剤としては、限定することなく、硫酸アルミニウムカリウム；硫酸アルミニウムナトリウム；硫酸アンモニウムアルミニウム；塩化カルシウム；リン酸ナトリウム；水酸化アルミニウム；塩化アルミニウム；塩化第二鉄；硫酸第二鉄；硫酸第一鉄；ケイ酸ナトリウム；ケイ酸カルシウム；リン酸カルシウム；塩化亜鉛；炭酸カルシウム；重炭酸カルシウム；硫酸カリウム；リン酸マグネシウム；アクリルアミド；アクリル酸；アルミニウムクロロハイドレート；ポリ塩化アルミニウム；タンニン；ホルムアルデヒド；メラミン；Ｎ，Ｎ−ジメチルアミノエチルアクリレートメチルクロライド；Ｎ，Ｎ−ジメチルアミノエチルメタクリレート塩化メチル四級塩；及びポリジアリルジメチル−アンモニウムクロライドが挙げられる。
【００８１】
細胞破壊剤は、沈殿のプロセスにおいて変化を経ることが本明細書により理解されるべきである。例えば、限定されないが、細胞破壊剤がドデシル硫酸ナトリウム（ＳＤＳ）であるとき、沈殿剤は水酸化カリウム（ＫＯＨ）であり得、ナトリウムカチオンは沈殿プロセスの一部としてカリウムにより置き換えられ、得られるドデシル硫酸カリウムは反応混合物に不溶性であるため、沈殿する。硫酸ドデシルカチオンは、機能的にはＳＤＳの細胞破壊部分であり、このプロセスにおいてそのまま（intact）である。
【００８２】
前記方法のさらに他の実施形態において、細胞破壊剤は、ドデシル硫酸ナトリウム（ＳＤＳ）及びデオキシコール酸ナトリウムのうちの１又は複数であってよく、細胞破壊剤を除去することは、アニオン吸着を含む。アニオン吸着は、適切な正に帯電した吸着剤を適切な時間量で添加すること、続いて吸着剤を除去することを含んでいてもよい。アニオン吸着は、適切な正に帯電した吸着剤で充填されたカラム又はフィルタを通して適切な流量で反応混合物を流すことをさらに含んでいてもよい。
【００８３】
前記方法のさらに他の実施形態において、細胞破壊剤は、塩化ベンザルコニウムであってよく、細胞破壊剤を除去することは、カチオン吸着を含む。カチオン吸着は、適切な負に帯電した吸着剤を適切な時間量で添加すること、続いて吸着剤を除去することを含んでいてもよい。カチオン吸着は、適切な負に帯電した吸着剤で充填されたカラム又はフィルタを通して適切な流量で反応混合物を流すことをさらに含んでいてもよい。
【００８４】
前記方法のさらに他の実施形態において、細胞破壊剤は、Ｔｒｉｔｏｎ  Ｘ１００（登録商標）、Ｔｒｉｔｏｎ  Ｘ１１４（登録商標）、Ｂｒｉｊ（登録商標）及びＴｗｅｅｎ（登録商標）界面活性剤のうちの１又は複数であってよく、細胞破壊剤を除去することは、ミセル相分離を含む。ミセル相分離は、反応混合物の温度が細胞破壊剤の曇り点を超えるように反応混合物の温度を変更することを含んでいてもよい。ミセル相分離は、反応混合物を遠心分離して所望の相分離を得ることを含んでいてもよい。
【００８５】
方法のさらなる実施形態において、細胞破壊剤は、ドデシル硫酸ナトリウム（ＳＤＳ）、塩化ベンザルコニウム、Ｔｒｉｔｏｎ  Ｘ１００（登録商標）、Ｔｒｉｔｏｎ  Ｘ１１４（登録商標）、Ｂｒｉｊ（登録商標）界面活性剤、Ｔｗｅｅｎ（登録商標）界面活性剤、デオキシコール酸ナトリウム、及びアルキルベンゼンスルホネートのうちの１又は複数であってよく、細胞破壊剤を除去することは、疎水性吸着並びに希釈及びタンジェンシャルフロー濾過（ＴＦＦ）の組み合わせのうちの１又は複数を含む。疎水性吸着は、適切な疎水性吸着剤を適切な時間をかけて添加すること、続いて吸着剤を除去することを含んでいてもよい。疎水性吸着は、適切な疎水性吸着剤で充填されたカラム又はフィルタを通して適切な流量で反応混合物を流すことをさらに含んでいてもよい。希釈及びＴＦＦによる除去は、細胞破壊剤がその臨界ミセル濃度未満まで低下することにより、フカンを含有する保持液からの細胞破壊剤の透過を可能にする適切な分画分子量（ＭＷＣＯ）ＴＦＦフィルタを通してのタンジェンシャルフロー濾過を利用して細胞破壊剤が除去されうるように、反応混合物を希釈することを含んでいてもよい。希釈及びＴＦＦによる除去は、適切なダイアボリューム数を用いてＴＦＦフィルタを通して反応混合物を透析濾過することを含んでいてもよい。
【００８６】
前記方法は、キレート剤を反応混合物に添加して反応混合物中の遊離多価カチオンにキレートさせることをさらに含んでいてもよい。キレート剤は、出発フカン組成物を提供した後で細胞破壊剤を除去する前に添加されうる。前記方法は、反応混合物中の酸化剤を反応制御することをさらに含んでいてもよい。酸化剤を反応制御することは、細胞破壊剤を除去する前又は後に酸化剤−反応停止剤を反応混合物に添加することを含んでいてもよい。
【００８７】
前記方法は、静菌剤を反応混合物に添加することを含んでいてもよい。静菌剤は、出発フカン組成物を提供した後で細胞破壊剤を除去する前に添加されうる。適切な静菌剤としては、限定することなく、亜硫酸ナトリウム、エチレンジアミン四酢酸（ＥＤＴＡ）、塩化ベンザルコニウム、エタノール、及びチオ尿素が挙げられる。
【００８８】
適切なキレート剤としては、限定することなく、エチレンジアミン四酢酸（ＥＤＴＡ）、２，３−ジメルカプト−１−プロパノール、エチレンジアミン、ポルフィン及びクエン酸が挙げられる。適切な酸化剤−反応停止剤としては、限定することなく、亜硫酸塩、亜硝酸塩及び亜リン酸塩が挙げられる。上記から明らかであるように、列挙されている化合物のいくつかは、前記方法において１つを超える機能を有しうる。
【００８９】
適切な疎水性吸着剤としては、限定することなく、活性炭、珪藻土、アクリル酸エステル非イオン性樹脂、ポリスチレン非イオン性樹脂、スチレン−ジビニルベンゼン（ＤＶＢ）非イオン性樹脂が挙げられる。適切なアニオン吸着剤としては、限定することなく、アミン官能基を有したスチレン−ＤＶＢ樹脂、アミン官能基を有したメタクリレート樹脂、アミン官能基を有したメタクリル酸メチル樹脂、アミン官能基を有したメタクリル酸ブチル樹脂、アミン官能基を有したアガロース樹脂、アミン官能基を有したデキストラン樹脂、アミン官能基を有したセラミック系樹脂、アミン官能基を有したケイ酸塩、及び脂質除去剤（ＬＲＡ）が挙げられる。
【００９０】
いくつかの実施形態において、前記出発フカン組成物は、溶液として提供されうる。上記の方法による処理に適したフカンの例としては、限定することなく、フコイダンが挙げられる。出発フカン組成物は、溶液中のフカン濃度が０．１％ｗ／ｖ超〜３０％ｗ／ｖ未満であってよい。細胞破壊剤は、溶液中のフカン濃度が０．１％ｗ／ｖ超〜６０％ｗ／ｖ未満であってよい。上記の方法によって除去されうる不純物としては、限定することなく、粒子状物、脂質、脂肪酸、フロロタンニン、ラミナリン、アルギン酸塩、タンパク質、メイラード反応生成物、フコキサンチン、クロロフィル、細菌、細胞成分及びＤＮＡが挙げられる。
【００９１】
液液抽出
望ましくないレベルの不純物を含む原料フカン組成物などの出発フカン組成物中のフカンは、液液抽出に供される。前記方法は、水性出発溶液中に前記出発フカン組成物を提供すること、前記水性出発溶液を有機溶媒と混合して精製／改変フカンを含む水性部分と疎水性不純物を含む有機部分とを有する水相有機相混合物を得ること、前記有機部分から前記水性部分を分離すること、及び前記精製／改変フカンを含む前記水性部分を回収すること、を含んでいてもよい。
【００９２】
前記方法は、水性出発溶液と有機溶媒とを混合する前に出発フカン組成物を脱塩することをさらに含んでいてもよい。脱塩は、水溶液である前記出発フカン組成物を分画分子量（ＭＷＣＯ）タンジェンシャルフロー濾過（ＴＦＦ）フィルタを通して透析濾過することを含んでいてもよい。透析濾過は、前記出発フカン組成物を蒸留水で透析濾過することを含みうる。分画分子量ＴＦＦフィルタは、前記精製／改変フカン内又はフカンの望ましい分離点又は標的の分子量よりも小さい分画分子量を有していてもよく、例えば、５ｋＤａ、１０ｋＤａ、３０ｋＤａ、５０ｋＤａ、７０ｋＤａ、１００ｋＤａ、２００ｋＤａ、３００ｋＤａ、５００ｋＤａ、又は１０００ｋＤａの分画分子量である。透析濾過は、出発フカン組成物を適切なプレフィルタを通して予備濾過して、粒子状物質を除去することをさらに含みうる。
【００９３】
前記水性出発溶液を有機溶媒と混合することは、水性有機溶媒混合物を振盪し、前記水性有機溶媒混合物を撹拌し、前記水性有機溶媒混合物を高剪断に曝露し、水性相を有機相に再循環させ、有機相を水相に再循環させることを含みうる。
【００９４】
前記水性部分を前記有機部分から分離することは、遠心分離、デカンテーション、分離漏斗分離、及び流体力学的フロー分離のうち少なくとも１つを含みうる。
【００９５】
この方法での使用に適した有機溶媒には、相対極性度が０．７６５未満である有機溶媒、例えば、ヘプタン、酢酸イソブチル、アニソール、酢酸イソプロピル、１−ブタノール、酢酸ブチル、メチルイソブチルケトン、ペンタン、１−ペンタノール、酢酸エチル、エチルエーテル、及び酢酸プロピルが挙げられる。前記有機相は、例えば、限定されないが、脂質、脂肪酸、フロロタンニン、タンパク質、フコキサンチン、及び／又はクロロフィルなどの不純物を含有しうる。
【００９６】
透析濾過
望ましくないレベルの不純物を含む原料フカン組成物などの出発フカン組成物中のフカンは、透析濾過に供される。前記方法は、出発溶液中の前記出発フカン組成物を、第１のタンジェンシャルフロー濾過フィルタを通しての透析濾過にキレート剤溶液を用いて供し、第１保持フカン組成物及びキレート化カチオン成分の濾過生成物を生成すること、及び前記第１保持フカン組成物を、第２のタンジェンシャルフロー濾過フィルタを通しての透析濾過に二次透析濾過溶液を用いて供し、前記第１の保持液キレート剤を前記第１保持フカン組成物から分離することにより、所望の精製／改変フカンを含む第２保持フカン組成物を生成すること、を含んでいてもよい。前記第１保持フカン組成物を第２のタンジェンシャルフロー濾過フィルタを通しての透析濾過に供することは、第１保持フカン組成物を前記第１のフロー濾過フィルタを通しての透析濾過に供することを含みうる。すなわち、同じフィルタを両方の透析濾過処理で使用可能である。
【００９７】
前記出発フカン組成物を透析濾過に供することは、プレフィルタを通して前記出発フカン組成物を予備濾過して、望ましくない粒子状物質を除去することを含みうる。前記出発フカン組成物をキレート剤による透析濾過に供することは、前記出発フカン組成物を、エチレンジアミン四酢酸（ＥＤＴＡ）、２，３−ジメルカプト−１−プロパノール、エチレンジアミン、ポルフィン、又はクエン酸の１つによる透析濾過に供することを含みうる。
【００９８】
前記出発フカン組成物は、溶液中のフカン濃度が０．１％ｗ／ｖ超且つ３０％ｗ／ｖ未満であってもよい。前記キレート剤は、溶液中の濃度が０．１％ｗ／ｖ超且つ６０％ｗ／ｖ未満であってもよい。前記得られる第１及び／又は第２の保持液組成物は、本質的にナトリウム及び／又はカリウムからなるカチオン含有量を有しうる。
【００９９】
図１は、カチオン含有量及び／又は出発フカン組成物のレベルに変更を得るためのカチオン含有量変更システム１２００の概略図を示す。溶液中の出発フカン組成物は、流入供給ライン１２０２を介してフカン容器１２１６に供給される。適切な溶媒中の出発物質のフコイダンを、プレフィルタ１２０４を通して予備濾過して、望ましくない粒子状物質を除去することができる。プレフィルタのゲージは、通常、カチオン含有量変更システム１２００によって分離される最大のポリマー分子よりも大きい。
【０１００】
ＴＦＦ流入ポンプ１２１４は、出発フカン組成物を、ＴＦＦ供給ライン１２１２を介してＴＦＦフィルタ１２１０にポンプ輸送する。ＴＦＦフィルタ１２１０は通常、供給された流入流体がその保持液側のフィルタを通過できるように設計され、濾過生成物は１つの流出ラインから出て、処理された流入液は別の流出ラインを介して保持液とするカセットとして供給される。ＴＦＦ流入ポンプ１２１４は、その保持液側と濾過生成物側との間のＴＦＦフィルタ１２１０にあるレベルの圧力を付与する。図１では、ＴＦＦフィルタ１２１０の保持液は、ＴＦＦ保持液戻りライン１２１８及びＴＦＦ保持液バルブ１２１７を介してフカン容器１２１６に戻され、一方で、ＴＦＦ濾過生成物流出ライン１２１９を介して生成された濾過生成物は、カチオン含有量変更システム１２００の外側で使用されるか、又は廃棄されることとなる。
【０１０１】
ＴＦＦ流入ポンプ１２１４が予備濾過されたフコイダンと保持液をＴＦＦフィルタ１２１０に再循環させる間、キレート剤、例えば、限定されないが、エチレンジアミン四酢酸（ＥＤＴＡ）、２，３−ジメルカプト−１−プロパノール、エチレンジアミン、ポルフィン、又はクエン酸の１つを、第１透析濾過溶液供給ライン１２２５を介して第１透析濾過溶液容器１２２０からフカン容器１２１６内の出発フカン組成物に加えてもよい。前記キレート剤は、ＴＦＦ濾過生成物流出ライン１２１９上の濾過生成物を介して失われた溶媒を補充するため、及び／又は所定のダイアボリューム（diavolume）数の流入フカン及びキレート剤がＴＦＦフィルタ１２１０上に循環することを確実にするための両方に使用される。前記キレート剤は、出発フカン組成物中のカチオン、特に多価カチオンをキレートとして隔離し、次いでキレートがＴＦＦフィルタ１２１０を通過して濾過生成物になる。第１透析濾過溶液バルブ１２２４を制御することにより、前記キレート剤をパルス処理で加えることができる。他の実施形態では、前記キレート剤を連続モードで添加してもよい。ＴＦＦフィルタ１２１０上で処理するキレート剤のダイアボリューム数は、予め決定されていてもよい。前記処理は、所定の期間、例えば、約１〜約６時間、約３〜約１２時間、又は約１０〜約２４時間継続してもよい。この処理は、キレート剤の所定数のダイアボリューム、例えば、約１〜約４ダイアボリューム、約３〜約６ダイアボリューム、約５〜約１０ダイアボリューム、又は約７〜約２０ダイアボリュームの範囲内で継続してもよい。前記処理を継続し、フカン容器１２１６のカチオン含有量を測定し、望ましいカチオン含有量、例えば、含まれる多価カチオンが１０ｐｐｍ未満、１ｐｐｍ未満、０．１ｐｐｍ未満、又は０．０１ｐｐｍ未満であるカチオン含有量が達成された時点で、ＴＦＦ処理を終了してもよい。第１透析濾過溶液を用いて、ＴＦＦフィルタ１２１０を介する溶液中の出発フカン組成物の透析濾過により、カチオン含有量が変更された第１保持フカン組成物を得る。
【０１０２】
前記処理の次の工程は、フカン容器１２１６内の第１保持フカン組成物から残存するキレート剤を除去することである。これは、第１透析濾過溶液バルブ１２２４、カチオン含有量変更システムの流出バルブ１２０６を閉じて、第２透析濾過溶液容器１２３０からの二次透析濾過溶液が、第２透析濾過溶液供給ライン１２３５及び第２透析濾過溶液バルブ１２３４を介してフカン容器１２１６に入るのを可能にすることにより、実行し得る。続いて、フカン容器１２１６内の混合物は、ＴＦＦ供給ライン１２１２、ＴＦＦ流入ポンプ１２１４、ＴＦＦ保持液戻りライン１２１８、及びＴＦＦ保持液バルブ１２１７を介して、前述のようにＴＦＦフィルタ１２１０を通してのＴＦＦに供される。前記二次透析濾過溶液は、例えば、限定されないが、脱イオン水、静菌剤の溶液、及び塩のいずれか１又は複数を含んでいてもよい。前記静菌剤は、例えば、限定されないが、亜硫酸ナトリウム、ＥＤＴＡ、塩化ベンザルコニウム、エタノール、チオ尿素でありうる。適切な塩には、塩化ナトリウム、塩化カリウム、リン酸ナトリウム、重炭酸アンモニウム、リン酸緩衝生理食塩水が含まれるが、これらに限定されない。
【０１０３】
前記第二次透析濾過溶液は、ＴＦＦ濾過生成物流出ライン１２１９上の濾過生成物を介して失われた溶媒を補充するため、及び／又は所定数のダイアボリュームの前記第１保持フカン組成物及び二次透析濾過溶液をＴＦＦフィルタ１２１０を通して確実に循環させるための両方に使用される。第２透析濾過溶液バルブ１２３４を制御することにより、前記二次透析濾過溶液をパルス処理で添加することができる。他の実施形態では、前記二次透析濾過溶液は連続モードで添加してもよい。ＴＦＦフィルタ１２１０で処理する二次透析濾過溶液のダイアボリューム数は、予め決定されていてもよい。前記処理は、所定の期間、例えば、約１〜約６時間、約３〜約１２時間、又は約１０〜約２４時間継続しうる。この処理は、所定数のダイアボリューム、例えば、約１〜約４ダイアボリューム、約３〜約６ダイアボリューム、約５〜約１０ダイアボリューム、又は約７〜約２０ダイアボリュームの範囲内のキレート剤で、例えば、１０ｐｐｍ未満、１ｐｐｍ未満、０．１ｐｐｍ、又は０．０１ｐｐｍ未満の多価カチオンを含むカチオン含有量となるまで、継続しうる。処理を継続し、フカン容器１２１６内の残留キレート剤濃度を測定し、適切な低い残留キレート剤濃度、例えば、１０ｐｐｍ未満、１ｐｐｍ未満、０．１ｐｐｍ未満、又は０．０１ｐｐｍ未満の残留キレート剤濃度が達成された時点でＴＦＦ処理を終了することができる。フカン容器１２１６内に得られた第２保持フカン組成物は、カチオン含有量変更システム１２００の処理による精製／改変フカン生成物を含む。所望により、フカン容器１２１６内に得られた第２保持フカン組成物は、カチオン含有量変更システム流出ライン１２０８を介してフカン容器１２１６から取り出してもよい。
【０１０４】
超臨界流体抽出
望ましくないレベルの不純物を含む出発フカン組成物などのフカン組成物中のフカンは、超臨界流体抽出に供される。前記方法は、前記出発フカン組成物を超臨界抽出装置に配置すること、前記超臨界抽出装置内の前記出発フカン組成物に７０バールを超える適切な圧力を付与すること、前記超臨界抽出装置内の前記出発フカン組成物を３０℃超の適切な温度に加熱すること、前記超臨界抽出装置に超臨界流体を充填して、精製／改変フカン及び抽出された不純物を含む超臨界流体を生成すること、前記抽出された不純物を含む超臨界流体を所定の時間後に除去すること、及び前記精製／改変フカンを回収すること、を含みうる。
【０１０５】
前記超臨界抽出装置に超臨界流体を充填することは、前記超臨界抽出装置に二酸化炭素を充填することを含みうる。超臨界二酸化炭素に、２％ｖ／ｖ〜１０％ｖ／ｖのエタノールを添加してもよい。いくつかの実施形態では、超臨界二酸化炭素に、共溶媒として約５％ｖ／ｖエタノールを添加してもよい。この方法で使用する二酸化炭素の代替の超臨界流体には、エタノール、エタン、塩酸、フッ化水素酸、硫酸（sulfuric acid）、及び硝酸が含まれるが、これらに限定されない。
【０１０６】
前記出発フカンに適切な圧力を付与することは、前記出発フカン組成物に約７０バール〜約２０００バールの圧力を付与することを含みうる。前記出発フカン組成物を適切な温度に供することは、前記出発フカン組成物を約３０℃〜約３００℃の温度に供することを含みうる。
【０１０７】
抽出された不純物を含む超臨界流体を所定の時間後に除去することは、約５分〜約５０時間後、例えば、約１０分〜約１時間、約３０分〜約５時間、約１時間〜約２４時間、又は約５時間〜約４８時間後に超臨界流体を除去することを含みうる。
【０１０８】
前記方法は、前記出発フカン組成物を超臨界抽出装置に配置する前に脱塩することをさらに含みうる。脱塩は、水溶液である前記出発フカン組成物を分画分子量（ＭＷＣＯ）タンジェンシャルフロー濾過（ＴＦＦ）フィルタを通して透析濾過することを含んでいてもよい。透析濾過は、前記出発フカン組成物を蒸留水で透析濾過することを含みうる。分画分子量ＴＦＦフィルタは、前記精製／改変フカン内又はフカンの望ましい分離点又は標的の分子量よりも小さい分画分子量を有していてもよく、例えば、５０ｋＤａ、７０ｋＤａ、１００ｋＤａ、２００ｋＤａ、３００ｋＤａ、５００ｋＤａ、又は１０００ｋＤａの分画分子量である。透析濾過は、適切なプレフィルタを通して出発フカン組成物を予備濾過して粒子状物質を除去することをさらに含みうる。
【０１０９】
化学構造修飾
本明細書において考察されている方法、システムなどは、前記フカン、特に、フカン組成物中の前記フカンの化学構造修飾を含みうる。化学構造修飾は、フカン由来の官能基、例えば、フカン構造由来のＯ−アセチル、Ｎ−アセチル、メトキシ、ヒドロキシ、カルボン酸及び／又は硫酸官能基の除去を含みうる。前記化学構造修飾は、広範な化学試薬、例えば、酸、塩基、界面活性剤及び／又は酸化剤の使用を含みうる。
【０１１０】
タンジェンシャルフロー濾過
本明細書において考察される方法のうちいくつかは、タンジェンシャルフロー濾過（ＴＦＦ）を利用する。タンジェンシャルフロー濾過（ＴＦＦ）フィルタの典型的な識別と同じく、所定のＴＦＦフィルタの名目分画分子量（ＭＷＣＯ）値は、フィルタバリアを越えず、したがって、一般的にバリアを透過物側へ越える／浸透する分子の分子量より大きい分子量及び／又は大きさを有する分子を含む溶液を、選択的にその保持物側（retentate side）に保持する。したがって、ＴＦＦフィルタの分画分子量値は、典型的には、任意の所与のポリマー又は名目分画値について絶対的なもの（absolute）ではない。所与のＴＦＦフィルタは、名目分画分子量値を上回る分子及び下回る分子の両方をいくつか通すか又は保持するであろう。特定のポリマーのための名目ＴＦＦフィルタの実際の分画／選択値（selectively values）及び効果は、前記特定のポリマーについてルーチン的に決定されうる。
【０１１１】
多くの因子が前記ＴＦＦフィルタの透過挙動に影響を及ぼしうる。これらの因子は、ＴＦＦフィルタ自体に依存していることも、又は標的ポリマーの属性に依存していることもあり、例えば、標的ポリマーの折りたたみ挙動及び折りたたみ構造は、ＴＦＦフィルタのＭＷＣＯバリアを越える／越えないという標的ポリマーの挙動に影響を及ぼしうる。ＴＦＦフィルタ自体に関しても、知られているように、多くの因子がＴＦＦフィルタの透過挙動に影響を及ぼしうる。例えば、製造方法によって、特定のＴＦＦフィルタの中において多様な孔サイズが生じさせることができ、かかる多様さには、名目ＭＷＣＯより大きい孔及び小さい孔の両方が含まれ得る。したがって、名目分画分子量値を有するＴＦＦフィルタは、実質的に名目分画分子量値で分子を通す／保持するが、かかる値を下回る分子及び／又は上回るいくつかの分子を通す／保持するであろう。
【０１１２】
ゲル浸透クロマトグラフィー
実施例について得られた分子量分布を評価するためにゲル浸透クロマトグラフィーを用いた。ゲル浸透クロマトグラフィーにおける使用のために利用可能な多数の異なるパラメータ、カラム及び標準品があり、分子量の分析に利用できる多様な計器装備構成がもたらされる。本明細書における分子量測定のために、以下のパラメータを用いてＧＰＣを行った。移動相は、０．６ｍＬ／分の０．１Ｍ硝酸ナトリウム流であった。カラムコンパートメント及び検出器は３０℃であった。検出のためにＷａｔｅｒｓ２４１４示差屈折率検出器を用いた。
【０１１３】
適切なＧＰＣカラムとしては、水性溶媒と適合性のあるＧＰＣカラム、例えば、スルホン化スチレンジビニルベンゼン、ＮＨ官能基を有したアクリレートコポリマー網、変性シリカ及びヒドロキシル化ポリメタクリレート系ゲルのうち少なくとも１つが充填されたカラムが挙げられる。本明細書における分析のために、６μｍの粒径のヒドロキシル化ポリメタクリレート系ゲルが充填された内径（ＩＤ）が６ｍｍの長さ４０ｍｍの１つのガードカラム、続いて、排除限界が約７，０００ｋＤａで、有効分子量範囲が約５０ｋＤａ〜約５，０００ｋＤａの１２μｍの粒径のヒドロキシル化ポリメタクリレート系ゲルが充填されたＩＤが７．８ｍｍの第１の３００ｍｍ分析ＧＰＣカラム、続いて、排除限界が約７，０００ｋＤａで、有効分子量範囲が約１ｋＤａ〜約６，０００ｋＤａの１０μｍの粒径のヒドロキシル化ポリメタクリレート系ゲルが充填されたＩＤが７．８ｍｍの第２の３００ｍｍ分析ＧＰＣカラムを含む３つのカラムを直列で用いた。カラム構成の総有効分子量範囲は、約１ｋＤａ〜約６，０００ｋＤａであった。このカラム構成の例は、直列に接続されたＵｌｔｒａｈｙｄｒｏｇｅｌ（登録商標）ガードカラム−Ｕｌｔｒａｈｙｄｒｏｇｅｌ（登録商標）２０００カラム−Ｕｌｔｒａｈｙｄｒｏｇｅｌ（登録商標）Ｌｉｎｅａｒカラムでありうる。
【０１１４】
Ａｍｅｒｉｃａｎ  Ｐｏｌｙｍｅｒ  Ｓｔａｎｄａｒｄｓ  Ｃｏｒｐｏｒａｔｉｏｎのトレース可能な標準品、すなわち、ＤＸＴ３７５５Ｋ（ピーク分子量＝２１６４ｋＤａ）、ＤＸＴ８２０Ｋ（ピーク分子量＝７４５ｋＤａ）、ＤＸＴ７６０Ｋ（ピーク分子量＝６２１ｋＤａ）、ＤＸＴ６７０Ｋ（ピーク分子量＝４０１ｋＤａ）、ＤＸＴ５３０Ｋ（ピーク分子量＝４９０ｋＤａ）、ＤＸＴ５００Ｋ（ピーク分子量＝３９０ｋＤａ）、ＤＸＴ２７０Ｋ（ピーク分子量＝１９６ｋＤａ）、ＤＸＴ２２５Ｋ（ピーク分子量＝２１３ｋＤａ）、ＤＸＴ１５０Ｋ（ピーク分子量＝１２４ｋＤａ）、ＤＸＴ５５Ｋ（ピーク分子量＝５０ｋＤａ）、ＤＸＴ５０Ｋ（ピーク分子量＝４４ｋＤａ）及びＤＸＴ５Ｋ（ピーク分子量＝４ｋＤａ）（これらの標準品のピーク分子量は約４ｋＤａ〜約２，２００ｋＤａである）を含む標準曲線に対して試料流を定量した。用いられる標準曲線は、例えば、Ｄｅｘｔｒａｎ３７５５ｋＤａ、Ｄｅｘｔｒａｎ５０ｋＤａ及びＤｅｘｔｒａｎ５５ｋＤａのうち少なくとも１つ並びに本明細書において考察される３〜６つの追加的なトレース可能な標準品を含んでもよく、較正点は、用いられる検量体のピーク分子量である。例示的な較正曲線は、ＤＸＴ３７５５Ｋ、ＤＸＴ８２０Ｋ、ＤＸＴ５３０Ｋ、ＤＸＴ５００Ｋ、ＤＸＴ２２５Ｋ及びＤＸＴ５５Ｋからなることができる。本明細書において用いられたカラムは、フカンの定量のために用いられた標準品のピーク分子量範囲を包含し且つそれを超えて拡張された総有効分子量範囲を有するものであった。
【０１１５】
本明細書におけるフカン／フコイダンポリマーについて述べられた分子量は、分子量が特定の分子量から離れて増加又は減少するにつれて量又は割合が増加又は減少する、より高い及びより低い分子量の分子の分布が常にある分子量の値である。前記分布は、一般的なガウス形状又は歪んだガウス形状を有してよいが、それが必要であるわけではない。
【０１１６】
本明細書中の表の結果は、分子量分布の特定の特性について使用される略語を含む。ゲル浸透クロマトグラフィーはＧＰＣ、ピーク保持時間はＰＲＴ、ピーク分子量はＰＭＷ、重量平均分子量はＷＡＭＷ、数平均分子量はＮＡＭＷ、百分率分布は％ｄｉｓｔ、分子量はＭＷ、多分散指数はＰＤＩ、分画分子量はＭＷＣＯと表される。
【０１１７】
疾患及び状態
線維性癒着
線維性癒着は、通常は手術（外科的癒着）後に、身体の２つの部分の間に形成される瘢痕のタイプである。線維性癒着は、深刻な問題を引き起こす可能性がある。例えば、雌性生殖器官（卵巣、卵管）を巻き込んだ線維性癒着は、不妊、性交疼痛症、および重度の骨盤痛を引き起こす可能性がある。腸に生じる線維性癒着は、腸の閉塞（obstruction）または閉鎖（blockage）を引き起こす可能性があり、また線維性癒着は、心臓、脊椎、および手のような他の場所でも形成されうる。手術に加えて、線維性癒着は、例えば子宮内膜症、感染、化学療法、放射線、外傷およびがんにより生じることもある。
【０１１８】
本明細書では、様々な線維性癒着が考察されている。外科的癒着（surgical adhesion）、外科手術後癒着（post-surgical adhesion）、術後癒着（postoperative adhesions）、骨盤炎症性疾患による癒着、機械的損傷による癒着、放射線による癒着、放射線治療による癒着、外傷による癒着、異物の存在による癒着などの用語は全て、同様のメカニズムによる組織同士の相互の付着を意味し、全てが線維性癒着という用語に包含される。
【０１１９】
線維性癒着形成は、通常は身体内で分離している組織同士が互いの組織内に侵食成長する（grow into each other）複雑なプロセスである。外科的癒着（手術後癒着としても知られている）は、外傷に対する組織の、さもなければ正常であったであろう創傷治癒反応から進展し、全腹腔部手術患者の３分の２超（over two-thirds）に生じることが報告されている（Ｅｌｌｉｓ，Ｈ．，Ｓｕｒｇ．Ｇｙｎｅｃｏｌ．Ｏｂｓｔｅｔ．１３３：４９７（１９７１））。これらの線維性癒着の転帰は多様であり、関係する手術部位や疾患部位など他の部位によって異なる。問題としては、慢性疼痛、腸の閉塞、さらに心臓手術の後の死亡のリスクの増加も挙げられうる（ｄｉＺｅｒｅｇａ，Ｇ．Ｓ．，Ｐｒｏｇ．Ｃｌｉｎ．Ｂｉｏｌ．Ｒｅｓ．３８１：１−１８（１９９３）；ｄｉＺｅｒｅｇａ，Ｇ．Ｓ．，Ｆｅｒｔｉｌ．Ｓｔｅｒｉｌ．６１：２１９−２３５（１９９４）；Ｄｏｂｅｌｌ，Ａ．Ｒ．，Ｊａｉｎ，Ａ．Ｋ．，Ａｎｎ．Ｔｈｏｒａｃ．Ｓｕｒｇ．３７：２７３−２７８（１９８４））。生殖可能年齢の女性においては、全不妊症例の約２０％は子宮、卵管又は卵巣を含む線維性癒着が原因であると推定される（Ｈｏｌｔｚ，Ｇ．，Ｆｅｒｔｉｌ．Ｓｔｅｒｉｌ．４１：４９７−５０７（１９８４）；Ｗｅｉｂｅｌ，Ｍ．Ａ．及びＭａｊｎｏ，Ｇ．Ａｍ．Ｊ．Ｓｕｒｇ．１２６：３４５−３５３（１９７３））。
【０１２０】
線維性癒着形成のプロセスは、最初に、フィブリンフレームワークの確立及び正常組織の修復が関与する。正常修復プロセスでは中皮の修復に伴い線維素分解が起こる。しかし、線維性癒着形成においては、線維芽細胞の組織網内における増殖の際に線維素のマトリックスが成長して血管形成させ、約３〜５日間以内に組織化された線維性癒着が確立線維される（Ｂｕｃｋｍａｎ，Ｒ．Ｆ．，ｅｔ  ａｌ．，Ｊ．Ｓｕｒｇ．Ｒｅｓ．２１：６７−７６（１９７６）；Ｒａｆｅｒｔｙ，Ａ．Ｔ．，Ｊ．Ａｎａｔ．１２９：６５９−６６４（１９７９））。炎症プロセスには、外傷組織内における好中球の活性化、線維素沈着及び隣接組織同士の結合、マクロファージ浸潤、前記領域内への線維芽細胞増殖、コラーゲン沈着、血管形成並びに永続的線維性癒着組織の確立が含まれる。
【０１２１】
外科的癒着を予防するために様々な方法が試されてきた。これらには、手術性外傷を伴う生物化学及び細胞作用に影響を及ぼすことを目的とした薬理的アプローチ並びに患部組織を分離する隔壁法が含まれる。例えば、腹腔洗浄、ヘパリン化溶液、凝血原（procoagulants）の使用、例えば顕微鏡外科手技又は腹腔鏡外科手技の使用など外科手技の改変、手術用手袋からのタルクの除去、さらに細い縫合糸の使用、及び漿膜表面の付着（apposition）を最小限に抑える物理的バリア（フィルム、ゲル又は溶液）の使用が全て試みられてきた。現在のところ、予防的治療には、線維素沈着の予防、炎症の軽減（ステロイド性抗炎症薬及び非ステロイド性抗炎症薬）並びに線維素沈着物の除去も含まれている。
【０１２２】
術後癒着の形成を予防するための介入的試みには、ハイドロフローテーション（ｈｙｄｒｏｆｌｏｔａｔｉｏｎ）手法又はバリア器具の使用が含まれてきた。ハイドロフローテーションは、関与する器官を分離状態にしておくように大量のポリマー溶液、例えばデキストラン（Ａｄｈｅｓｉｏｎ  Ｓｔｕｄｙ  Ｇｒｏｕｐ，Ｆｅｒｔｉｌ．Ｓｔｅｒｉｌ．４０：６１２−６１９（１９８３））又はカルボキシメチルセルロース（Ｅｌｋｉｎｓ，Ｔ．Ｅ．，ｅｔ  ａｌ．，Ｆｅｒｔｉｌ．Ｓｔｅｒｉｌ．４１：９２６−９２８（１９８４））などを手術部位へ点滴注入することを含む。酸化再生セルロース（例えば、Ｉｎｔｅｒｃｅｅｄ（商標））やポリテトラフルオロエチレン（Ｇｏｒｅ−ｔｅｘ手術用膜体）から製造された合成バリア膜及び変性ヒアルロン酸／カルボキシメチルセルロース（ＨＡ／ＣＭＣ）のの組み合わせ（Ｓｅｐｒａｆｉｌｍ（商標））から製造された完全再吸収膜も、動物及びヒトの両方における術後癒着形成を軽減させるために用いられてきた（Ｂｕｒｎｓ，Ｊ．Ｗ．，ｅｔ  ａｌ．，Ｅｕｒ．Ｊ．Ｓｕｒｇ．Ｓｕｐｐｌ．５７７：４０−４８（１９９７）；Ｂｕｒｎｓ，Ｊ．Ｗ．，ｅｔ  ａｌ．，Ｆｅｒｔｉｌ．Ｓｔｅｒｉｌ．６６：８１４−８２１（１９９６）；Ｂｅｃｋｅｒ，Ｊ．Ｍ．，ｅｔ  ａｌ．，Ｊ．Ａｍ．Ｃｏｌｌ．Ｓｕｒｇ．１８３：２９７−３０６（１９９６））。これらＨＡ／ＣＭＣ膜の成功は、線維性癒着が形成される際の腹膜傷部修復プロセス中に組織を分離させる膜の能力によるものであろう。前記膜は適用後の３〜５日間をかけて損傷組織上に透明粘性コーティングを形成することが観察された。この修復期間は手術後の癒着形成期間と合致する（Ｅｌｌｉｓ，Ｈ．，Ｂｒ．Ｊ．Ｓｕｒｇ．５０：１０−１６（１９６３））。残念なことに、これらの方法で認められる成功は限定的であった。
【０１２３】
腹膜炎には腹膜の炎症が関与する。腹膜炎は激しい症状を引き起すことがある。例えば、腹痛、腹部圧痛及び腹壁防御などがある。腹膜炎には、特発性炎症、解剖に伴う（anatomic）炎症及び／又は腹膜透析関連に伴う炎症が関与する場合がある。腹膜炎には感染が関与する場合もあり、例えば、管腔臓器の穿孔、腹膜の破損、特発性細菌感染腹膜炎及び全身感染によって感染及び腹膜炎が生じることがある。腹膜炎には感染が関与しないこともあり、例えば、腹膜内への滅菌体液の漏出及び滅菌腹部手術によって腹膜炎が生じうる。腹膜炎の予防及び／又は処置のために、様々な試みがなされてきた。例えば、経静脈補水、抗生剤及び手術などの一般的対症療法である。腹膜炎を、望ましくはさらに効果的に、しかも少ない副作用で、抑制又はそれ以外の場合処置及び／若しくは予防するための化合物、組成物、方法及び同種のもの（送達アプローチを含む）に対しては、未だ満たされない需要が存在する。
【０１２４】
本明細書において考察される精製／改変フカンは、患者における線維性癒着を処置するために使用することができ、線維性癒着を処置するために構成され且つ組成される精製／改変フカン医療機器、精製／改変フカン組み合わせ（combination）若しくは精製／改変フカン医薬品の成分として含まれるか、又は線維性癒着を処置するために構成され且つ組成される精製／改変フカン医療機器、精製／改変フカン組み合わせ若しくは精製／改変フカン医薬品でありうる。例えば、生理的塩類溶液に溶解された本明細書に記載の精製／改変フカンを約０．０２ｍｇ／ｍＬ〜約１００ｍｇ／ｍＬ、例えば、０．１ｍｇ／ｍＬ、０．２ｍｇ／ｍＬ、０．３ｍｇ／ｍＬ、０．５ｍｇ／ｍＬ、０．９ｍｇ／ｍＬ、１ｍｇ／ｍＬ、２．５ｍｇ／ｍＬ、５ｍｇ／ｍＬ、又は７．５ｍｇ／ｍＬで含む精製／改変フカン医療組成物又は医療機器でありうる。前記生理的塩類溶液は、例えば、乳酸リンゲル液ＵＳＰ（ＬＲＳ）、生理食塩液又は生理的デキストラン溶液であってよい。
【０１２５】
本明細書に記載の精製／改変フカン医療組成物又は医療機器は、液体組成物又は液体医療機器（liquid medical device）であってもよいものであり、医薬的に許容し得る賦形剤、例えば、緩衝剤、安定剤、保存剤、アジュバントなどを含んでもよい。かかる精製／改変フカン医療組成物又は医療機器は、前段落におけるフカン医療組成物又は医療機器を約０．０１ｍＬ／ｋｇ（患者又は標的の体重１キログラム当たり）〜約１０ｍＬ／ｋｇ又は１５ｍＬ／ｋｇ投与することによって手術前、手術中又は手術後の線維性癒着を処置するために使用されうる。前記精製／改変フカン医療組成物又は医療機器の患者の手術部位への投与量としては、例えば、約０．０３ｍＬ／ｋｇ、０．１ｍＬ／ｋｇ、０．２ｍＬ／ｋｇ、０．４ｍＬ／ｋｇ、０．５ｍＬ／ｋｇ、０．６ｍＬ／ｋｇ、１ｍＬ／ｋｇ、１．２ｍＬ／ｋｇ、２ｍＬ／ｋｇ、３ｍＬ／ｋｇ、４ｍＬ／ｋｇ、５ｍＬ／ｋｇ、８ｍＬ／ｋｇ、１０ｍＬ／ｋｇ又は１５ｍＬ／ｋｇが挙げられる。さらなる実施形態において、かかる精製／改変フカン医療組成物又は医療機器は、約０．０４ｍｇ／ｋｇ、０．１ｍｇ／ｋｇ〜約２５ｍｇ／ｋｇ、又は５０ｍｇ／ｋｇを投与することによって、任意の選択された標的部位、例えば、病変、擦過傷、傷害部位、手術部位及び手術後の部位における線維性癒着を処置するために使用されうる。かかる投与量のいくつかの例としては、例えば、患者の手術部位への、約０．０４ｍｇ／ｋｇ、０．０７５ｍｇ／ｋｇ、０．１ｍｇ／ｋｇ、０．２ｍｇ／ｋｇ、０．５ｍｇ／ｋｇ、１ｍｇ／ｋｇ、１．３ｍｇ／ｋｇ、２ｍｇ／ｋｇ、３ｍｇ／ｋｇ、４ｍｇ／ｋｇ、５ｍｇ／ｋｇ、７．５ｍｇ／ｋｇ、８ｍｇ／ｋｇ、１０ｍｇ／ｋｇ、１５ｍｇ／ｋｇ、２０ｍｇ／ｋｇ、２５ｍｇ／ｋｇ又は５０ｍｇ／ｋｇの、例えば本明細書に記載の精製／改変フカンを含む、本明細書に記載のフカンが挙げられる。前記投与は、例えば、前記標的領域の全体にわたって液体医療組成物又は医療機器を点滴すること；前記標的領域の中の（１又は複数の）特定位置に前記液体医療組成物又は医療機器を仕向けること；前記標的領域の中の全体若しくは（１又は複数の）特定位置に液体医療組成物又は医療機器を噴霧すること、又は、特に線維性癒着しやすい若しくは線維性癒着の発現の懸念があると外科医又は他の専門家が同定した（１又は複数の）特定位置上へ、トロカール、カテーテル、内視鏡若しくは他の侵襲性が最小限である装置を通じて噴霧塗布器でありうる塗布器を介して、液体医療組成物又は医療機器を噴霧する若しくはそれ以外の場合送達すること、によって達成されうる。別の態様において、前記投与は、手術創が開いた後でありかつ外科的手技の前、外科的手技の間、又は外科的手技の後でありかつ手術創が閉じる前、に為されうる。所望により、液体医療組成物又は医療機器を、（例えば注射器及び針によって）手術が完了した後で投与することも可能であり、また同様に非外科的標的部位に投与することも可能である。患者の手術部位は、例えば、骨盤腔、腹腔、背側腔（ｄｏｒｓａｌ  ｃａｖｉｔｙ）、頭蓋腔、脊椎腔、腹部腔、胸腔、胸膜腔、心膜腔、皮膚、関節又は筋肉のうち少なくとも１つでありうる。患者の手術部位内への精製／改変フカン医療���成物又は医療機器の投与は、約１５分未満、約１０分未満、約８分未満、約６分未満、約５分未満、約４分未満、約３分未満、約２分未満、約１分未満、約４５秒未満、約３０秒未満、約２０秒未満、約１５秒未満、約１０秒未満又は約５秒未満で達成されうる。
【０１２６】
手術部位への精製／改変フカン医療組成物又は医療機器での投与の例としては、手術創を開いた後、手術の間、手術創を閉じる前及び／又は手術創を閉じた後における、帝王切開外科的手技、微小血管遊離皮弁再建外科的手技、全層植皮外科的手技、Ｖ−Ｙ伸展皮弁外科的手技、筋膜回旋皮弁外科的手技、関節形成外科的手技、乳房切除外科的手技、腐骨摘出外科的手技、杯形成外科的手技、骨切断外科的手技、骨形成外科的手技、膝蓋骨切除外科的手技、滑膜切除外科的手技、被膜切除外科的手技、腱又は靭帯を修復する外科的手技、腱剥離外科的手技、外科的腱切除、筋膜切開外科的手技、半月板修復外科的手技、脊椎切除外科的手技、篩骨切除外科的手技、コールドウェル・ルック手術外科的手技、涙嚢鼻腔吻合外科的手技、溶解鼻癒着外科的手技（ｌｙｓｉｓ  ｎａｓａｌ  ｓｙｎｅｃｈｉａ  ｓｕｒｇｉｃａｌ  ｐｒｏｃｅｄｕｒｅ）、胸腺摘出外科的手技、肺剥離外科的手技、肺切除外科的手技、胸形成外科的手技、二肺葉切除外科的手技、門脈圧亢進手術外科的手技、脾摘出外科的手技、食道切除外科的手技、腹膜炎手術外科的手技、胃切除手術外科的手技、空腸吻合手術外科的手技、腹腔鏡下胆嚢切除手術外科的手技、腹腔鏡下総胆管検査外科的手技、胃腸吻合外科的手技、肥満手術外科的手技、腸切除及び吻合外科的手技、分節的（ｓｅｇｅｍｅｎｔａｌ）肝除去外科的手技、肺葉切除外科的手技、膵切開外科的手技、膵十二指腸切除外科的手技、腫瘍切除外科的手技、腹腔鏡下腎切除外科的手技、膀胱切除外科的手技、腹部又は骨盤の癒着溶解外科的手技、子宮卵管造瘻外科的手技、卵管形成外科的手技、子宮外妊娠腹腔鏡下手術外科的手技、関節置換外科療法外科的手技、骨折修復外科的手技、子宮摘出外科的手技、胆嚢除去外科的手技、心臓バイパス外科的手技、血管形成外科的手技、粥腫切除外科的手技、乳房生検外科的手技、頚動脈内膜切除外科的手技、白内障手術外科的手技、冠状動脈バイパス外科的手技、子宮内膜掻爬術外科的手技、ヘルニア修復外科的手技、腰痛手術外科的手技、結腸部分切除外科的手技、前立腺切除外科的手技及び扁桃摘出外科的手技の手術部位における精製／改変フカン医療組成物又は医療機器での投与が挙げられるが、これらに限定されるものではない。
【０１２７】
がん一般
がんは、米国における２番目に多い死因であり、全死亡者数のうち２０％超（over 20%）の原因である。がんは、増殖性疾患であり、１又は複数の腫瘍の形成につながり得るある種の細胞の無制御の分裂によって特徴づけられる。がんを処置するために、手術、放射線療法、化学療法及びそれらの併用を含む多くの方法が用いられている。手術は、いくつかの限局性腫瘍のために用いられる比較的一般的な方法であるが、腫瘍切除後の腫瘍再発の可能性は依然として顕著である。
【０１２８】
がん及び他の増殖性疾患の処置は、非がん性健常組織に対する損傷又は毒性の可能性により制約を受けていた。放射線療法及び外科的処置において、手技は、一般的に腫瘍部位に限られ、また腫瘍部位の近位で行われてきた。しかし、がん組織の外科的除去を受ける患者には著しいリスクがありうる（例えば、前立腺腫瘍又は脳腫瘍の除去においては、例えば非腫瘍組織の切除の必要が潜在的に低いことによって、周囲の主要組織に対して修復不能な傷害を与える著しいリスクの可能性がある）。さらに、前立腺がんのための第１選択の処置として行われてきた集束放射線による処置でも同様のリスクがある。がんの化学療法による処置において、薬物は全身投与されてきたが、その結果、全身が前記薬物に曝露される。これらの薬物は、がん細胞に対して毒性があるように設計されているが、非がん性細胞に対しても（一般的には）毒性があり、その結果、患者は、がんのための薬物処置を受ける場合に非常に不調になる。経験を通して、腫瘍医は、ある程度の患者が忍容性を示しうる投与量でこれらの薬物を投与することが可能である。しかしながら、これらの投与量では、多くの場合、がんの処置に成功しない。
【０１２９】
がんを処置するあらゆる方法に伴う１つの問題は、当該疾患の局所再発であった。例えば、毎年およそ７００，０００人のアメリカ人が限局性がんと診断され（全がん患者のおよそ６４％）、約５００，０００人が、外科的方法を用いて処置される。残念ながら、手術で処置された患者の３２％が初期処置後に再発する（およそ２１％が初期手術部位で再発し、１１％が遠隔転移部位で再発する）。毎年約１００，０００人の患者ががんの限局性再発によって死亡する。このことは、とりわけ乳がんで当てはまったが、乳腺腫瘤摘出を受ける患者の３９％が前記疾患の局所再発を経験することになる。
【０１３０】
ステージ分類は、患者におけるがん（固形腫瘍）の進行を判断する方法である。簡略化されたアプローチによって、がんがどの程度進行したのかに基づいて、患者は３つの群又はステージに入れられる。
【０１３１】
ステージ１：器官の一部を外科的に除去することによってがんを処置することができる。これは、切除が可能なステージとしても知られている。
【０１３２】
ステージ２：がんは、切除が可能なポイントを過ぎて進行したが、依然として器官自体に限定される。
【０１３３】
ステージ３：腫瘍が他の器官に広がっている。
【０１３４】
多くのがんは、例えば、５−フルオロウラシル（Ｅｆｕｄｅｘ（登録商標））、ビンカアルカロイド（例えば、ビンクリスチン（Ｏｎｃｏｖｉｎ（登録商標）））、アントラサイクリン（例えば、ドキソルビシン（Ａｄｒｉａｍｙｃｉｎ（登録商標）））、シスプラチン（Ｐｌａｔｉｎｏｌ−ＡＱ（登録商標））、塩酸ゲムシタビン（Ｇｅｍｚａｒ（登録商標））、メトトレキセート及びパクリタキセルを含む抗増殖剤で処置される。抗増殖剤であるメトトレキセート及びパクリタキセルに関連した毒性のいくつかの例は、本明細書において他の箇所で考察される。メトトレキセートは、例えば、膀胱がん、乳がん、子宮頸がん、頭頚部がん、肝がん、肺がん及び精巣がんを含むいくつかのがんを処置するために用いられてきた。パクリタキセルは、例えば、卵巣がん、乳がん及び非小細胞性肺がんを含むいくつかのがんを処置するために用いられてきた（Ｃｏｍｐｅｎｄｉｕｍ  ｏｆ  Ｐｈａｒｍａｃｅｕｔｉｃａｌ  ａｎｄ  Ｓｐｅｃｉａｌｔｉｅｓ  Ｔｈｉｒｔｙ−ｆｉｆｔｈ  Ｅｄｉｔｉｏｎ，２０００）。
【０１３５】
５−フルオロウラシルによる毒性としては、心筋虚血などの心臓血管毒性；多幸感、急性小脳症候群及びおよび運動失調などの中枢神経系毒性；脱毛症及び皮膚炎などの皮膚病学的毒性；悪心、嘔吐及び口腔内潰瘍又は胃腸潰瘍などの胃腸毒性；白血球減少症、血小板減少症及び貧血などの血液学的毒性；過敏症及び接触過敏症などの過敏症毒性；流涙増加、羞明及び結膜炎などの眼毒性；並びに発熱などの他の毒性を挙げることができる。５−フルオロウラシルは、例えば、乳がん、結腸直腸がん、胃がん、肝がん、膀胱がん、頭頚部がん、非小細胞性肺がん、卵巣がん、膵がん及び前立腺がんを含む多くのがんを処置するために用いられてきた（Ｃｏｍｐｅｎｄｉｕｍ  ｏｆ  Ｐｈａｒｍａｃｅｕｔｉｃａｌ  ａｎｄ  Ｓｐｅｃｉａｌｔｉｅｓ  Ｔｈｉｒｔｙ−ｆｉｆｔｈ  Ｅｄｉｔｉｏｎ，２０００）。
【０１３６】
ビンクリスチンによる毒性としては、子供の発作や幻覚などの中枢神経系毒性；脱毛症などの皮膚病学的毒性；発疱（ｖｅｓｉｃａｎｔ）などの血管外遊走毒性；悪心、嘔吐、便秘及び口内炎などの胃腸毒性；骨髄抑制などの血液毒性；末梢神経障害及び自律神経ニューロパシーなどの神経性毒性；複視、一過性失明及び視神経萎縮などの眼毒性；尿閉、高尿酸血症及び膀胱弛緩などの腎臓／代謝毒性；息切れなどの呼吸器毒性；並びに子供の発熱などの他の毒性が挙げられる。この抗増殖剤は、例えばホジキン病、小細胞肺がん、ウィルムス腫瘍及び精巣がんを含むいくつかのがんを処置するために用いられてきた（Ｃｏｍｐｅｎｄｉｕｍ  ｏｆ  Ｐｈａｒｍａｃｅｕｔｉｃａｌ  ａｎｄ  Ｓｐｅｃｉａｌｔｉｅｓ  Ｔｈｉｒｔｙ−ｆｉｆｔｈ  Ｅｄｉｔｉｏｎ，２０００）。
【０１３７】
ドキソルビシンによる毒性としては、心電図異常及び心筋症などの心臓血管毒性；脱毛症や爪の変化などの皮膚病学的毒性；発疱などの血管外遊走障害毒性；悪心、嘔吐及び口内炎などの胃腸毒性；尿の赤色着色などの尿生殖器毒性；骨髄抑制などの血液毒性；過敏症及び皮膚発疹などの過敏症毒性；結膜炎などの眼毒性；不妊症などの繁殖毒性；並びに高尿酸血症などの他の毒性が挙げられる。この抗増殖剤は、例えば、乳がん、肺小細胞がん及び卵巣がんを含むいくつかのがんを処置するために用いられてきた（Ｃｏｍｐｅｎｄｉｕｍ  ｏｆ  Ｐｈａｒｍａｃｅｕｔｉｃａｌ  ａｎｄ  Ｓｐｅｃｉａｌｔｉｅｓ  Ｔｈｉｒｔｙ−ｆｉｆｔｈ  Ｅｄｉｔｉｏｎ，２０００）。
【０１３８】
シスプラチンによる毒性としては、心電図変化などの心臓血管毒性；色素沈着過剰などの皮膚病学的毒性；刺激（ｉｒｒｉｔａｎｔ）などの血管外遊走障害毒性；悪心及び嘔吐などの胃腸毒性；骨髄抑制及び溶血性貧血などの血液学的毒性；過敏症などの過敏症毒性；末梢神経障害及び急性変性脳疾患などの神経筋毒性；球後視神経炎などの眼毒性；聴力損失及び耳鳴などの耳科学的毒性；中毒性ネフロパシー及び低カリウム血症などの腎臓／代謝毒性；並びに不妊症などの他の毒性が挙げられる。この抗増殖剤は、例えば、膀胱がん、肺小細胞がん、卵巣がん、精巣がん、脳がん、乳がん、子宮頸がん、頭頚部がん、肝芽腫及び甲状腺がんを含むいくつかのがんを処置するために用いられてきた（Ｃｏｍｐｅｎｄｉｕｍ  ｏｆ  Ｐｈａｒｍａｃｅｕｔｉｃａｌ  ａｎｄ  Ｓｐｅｃｉａｌｔｉｅｓ  Ｔｈｉｒｔｙ−ｆｉｆｔｈ  Ｅｄｉｔｉｏｎ，２０００）。塩酸ゲムシタビンによる毒性としては、例えば、骨髄抑制などの血液学的毒性；悪心、嘔吐及び口内炎などの胃腸毒性；血清トランスアミナーゼの一過性上昇などの肝毒性；蛋白尿、血尿、溶血性尿毒症症候群及び腎不全などの腎毒性；発疹及び脱毛症などの皮膚病学的毒性；浮腫及び末梢性浮腫などの浮腫毒性；並びに発熱などの他の毒性が挙げられる。この抗増殖剤は、膵がん及び非小細胞性肺がんを処置するために用いられてきた（Ｃｏｍｐｅｎｄｉｕｍ  ｏｆ  Ｐｈａｒｍａｃｅｕｔｉｃａｌ  ａｎｄ  Ｓｐｅｃｉａｌｔｉｅｓ  Ｔｈｉｒｔｙ−ｆｉｆｔｈ  Ｅｄｉｔｉｏｎ，２０００）。
【０１３９】
本考察は、前立腺、乳房、膵臓、肝臓、腎臓、泌尿生殖器系、脳、胃腸系、呼吸器系及び頭頸部の限局性がん又は固形腫瘍など、処置することが可能な限局性がん又は固形腫瘍の予防又は処置を含む。本明細書における前記組成物等は、拡散又はさらに全身輸送により有効濃度の精製／改変フカンを前記腫瘍及び／又は転移に到達させ、前記標的腫瘍からいくらか遠隔部位における精製／改変フカンの制御放出を可能にすることによって、転移を含むがんを予防又は処置しうる。以下の段落において、これらのがんのうちいくつかをさらに考察する。
【０１４０】
前立腺がん
前立腺がんは、前立腺を覆う細胞で起こる悪性腫瘍である。米国では、推定で２００，０００人の患者が、今年、前立腺がんを発症し、３０，０００人超が前記疾患で死亡する。前立腺がんは、新たな症例に対する死亡の比率が約１５％である。前記がんは、前立腺の中に残る可能性があるか、又はそれは、周囲組織若しくは遠隔部位（ほとんどの場合、リンパ節及び骨）に広がる。通常、前立腺がんは静かに広がり、それが前立腺を越えて進行した場合のみ症候を生じる。前立腺がんが診断されて早期ステージの間に処置された場合、いくつかの研究において、患者の５年生存率は９４％であった。
【０１４１】
前立腺がんは、多くの場合、５０歳を過ぎた（over age 50）男性の疾患として考察される。実際、前立腺がんの男性の８０％が６０歳以上である。男性が生涯の間に前立腺がんと診断される可能性は、１０の内、約１であり、女性が乳がんになる可能性とおおむね同じである。前記疾患を、多くの場合症候が発現するずっと前に、その発現の早期に検出し得る試験の向上の結果として、新規症例が報告される数は、近年著しく上昇した。ある年に前立腺がんを発症する可能性は、年齢と共に増加するが、５０歳以降で著しく上昇する。
【０１４２】
前立腺がんのための現行の処置の選択肢は、疾患進行の程度、患者の年齢及び全体的健康に依存する。早期ステージのがんだけに罹患しているか、又はさらなるより重篤な疾患に罹患している高齢患者は、保存的に処置されうるが、がんが進行している高齢患者は、より積極的な処置を受けうる。前立腺がんは、放射線治療（外部ビーム放射又は近接照射療法）、ホルモン消退又は去勢（外科的又は化学的）、抗増殖剤、手術、待期的治療（すなわち、「注意深い経過観察」）を含む各種方法によって処置されてきた。処置は、完治を保証するものではなく、一部にはかなりの副作用がある。
【０１４３】
早期ステージの前立腺がん（すなわち、腫瘍が前立腺に限局性である）は、「注意深い経過観察」で扱われてもよい。前立腺がんの手術は、それ以外の面で全体的健康が良好であり、腫瘍が前立腺に限定される患者について推奨されてきた。７０歳未満の男性の前立腺の限局性がんのための一般的処置は、根治的前立腺切除（すなわち、前立腺の外科的除去）であった。
【０１４４】
がんが前立腺領域内において限局性である患者は、一般に、外部ビーム放射（ＥＢＲ）で処置される。前記放射は、がん細胞を死滅させ、腫瘍を縮小させる。ＥＢＲは、限局性前立腺がん処置の２０％未満を占め、これらの患者のおよそ５０％が前記疾患の放射後再発を経験する。早期ステージの前立腺がんの検出及び患者からの需要増大に相まって、近接照射療法（すなわち、局所放射線治療）の使用が増えることが予測されている。１９９５年には、近接照射療法を用いて処置されたのは新規に診断された患者のわずか２．５％であった。近接照射療法は、前立腺腫瘍内に放射性金属の「種」を埋め込むことを含む。
【０１４５】
広まった前立腺がんの処置には、精巣を除去すること又はホルモン治療が含まれる。がんの増殖を引き起こしてきたテストステロンの生成を抑制又は止めるには両方が用いられる。ホルモン消退治療を受けるのは全ての前立腺がん患者のおよそ２０％である。ホルモン治療は、酢酸ゴセレリン（Ｚｏｌａｄｅｘ（登録商標））又は酢酸ロイプロリド（Ｌｕｐｒｏｎ（登録商標））を含む。前立腺がんを処置するために用いる抗増殖剤としては、５−フルオロウラシルが挙げられている。
【０１４６】
乳がん
米国において、乳がんは、女性の間で最もよくみられるがんであり、毎年約１８０，０００件の新規症例が診断される（男性の乳がんは、全ての診断された乳がんの約５％を占める）。女性の死因として乳がんを超えるのは肺がんのみであり、乳がんは、毎年およそ５０，０００の死亡の原因となった。アメリカ人の女性において、その生涯の間に乳がんを発症する可能性があるのは８人のうち１人（又は約１３％）である。過去１０年にわたって、最も報告された乳がんは、小さい、原発性の（独立して生じる；転移によって引き起こされない）腫瘍であった。新規に診断された患者のおおむね７０％〜８０％が早期疾患（ステージ１又は２）を示し、大多数には腋窩（わきの下）リンパ節の併発がなかった。
【０１４７】
ほとんどの乳がんは、がん腫（すなわち、上皮組織から増殖する悪性腫瘍）である。肉腫又は結合組織、骨、筋肉若しくは脂肪から生じる腫瘍は乳房がんの１％未満である。また、ほとんどの乳がん（約７５％）は、乳管を覆う組織内で生じる腺管がんである。ずっと少ない数のがん（約７％）が乳腺小葉内で認められ、小葉がんと呼ばれる。他の形態の乳がんのほとんど全ての原因はページェット病（小室及び乳首のがん）及び炎症性がんである。
【０１４８】
乳がんの処置は、複雑になっており、多くの因子に依存する。２つの重要な因子は、腫瘍の型及び進行のステージである。腫瘍の特性は、特に、個々を、２つの群、すなわち、（１）がん再発のリスクが低い個体、及び（２）がん再発のリスクが高い個体、に分けるのに役立つ。特定の予後因子によって、患者はこれらの群のうちいずれかに入る。これらの因子としては、腫瘍の大きさ；女性ホルモンエストロゲン及びプロゲステロン（ＥＲ／ＰＲ）受容体の存在；細胞の増殖周期（腫瘍細胞が活発に分裂しているのか、又は「Ｓ期」であるのかどうか）；「ｈｅｒ−２−ｎｅｕタンパク質」として知られているタンパク質の存在；腫瘍悪性度、すなわち、腫瘍細胞の分化又は変化の指標；及び腫瘍倍数性、すなわち、腫瘍細胞内の遺伝物質の組の数、が挙げられる。
【０１４９】
著しいリンパ節併発のない原発疾患の処置は、乳腺腫瘤摘出及び放射線治療によるものである。より著しいリンパ節併発は、乳房切除及び補助的リンパ節の除去の根拠となり得る。このステージにおいて、転移及び局所再発の可能性は高い。転移性疾患の処置は症状緩和目的であり、放射線治療及び化学療法を含むものであって、これらは免疫を抑制し、細胞を障害し白血球を減少させる。乳がんに対する使用のために、例えば、５−フルオロウラシル、ドキソルビシン、メトトレキセート及びパクリタキセルを含む抗増殖剤が承認されている。
【０１５０】
膵がん
膵臓は、胃及び小腸の近くに位置する消化器系の器官である。それは、２つの主要な機能、すなわち、酵素及びホルモンの生成を有する。膵臓のがんは、外分泌（すなわち、酵素）膵臓内で生じ得（例えば、古典的な膵臓腺がん）、又は内分泌（すなわち、ホルモン）膵臓内で生じ得る。
【０１５１】
外分泌膵臓のがんは、非常に重篤な健康問題である。米国において、およそ２８，０００人の患者が膵がんと診断されるが、一方でほぼ同じ数が毎年この疾患で死亡する。膵がんは、男性及び女性で同程度に生じる。診断における困難、膵がんの固有の攻撃的性質、及び利用可能な全身処置の選択肢が乏しいことのため、膵臓腺がん診断後に５年間生存するのは診断された患者のおよそ４％のみである。膵がんは、乳がん、肺がん、結腸がん及び前立腺がんに続く、がんによる死亡の５番目の原因である。
【０１５２】
膵がんの処置の選択は、腫瘍のステージに大きく依存する。可能な処置としては、手術、抗増殖剤、放射線及び生物学的療法が挙げられる。手術は、通常、がんが切除可能であると考えられるステージ１の患者のために確保されている。場合によっては、手術の前又は後に投与される放射線及び抗増殖剤などの治療の併用によって、患者の生存可能性が増加しうる。切除不能であると考えられる膵がん（通常、ステージＩＩ以降）は、臨床試験における抗増殖剤を用いて処置されうる。例えばゲムシタビン又は５−フルオロウラシルなどの抗増殖剤は、膵がんに対して多少の効果を有し、ゲムシタビンは、症状緩和目的の剤として用いられてきた。これらの抗増殖剤による毒性は、本明細書に記載の別の箇所において考察される。放射線治療は、化学療法と併用して用いられる場合、膵がんに対する多少の効果を有する。放射線治療単独で症候が抑えられることがある。この形態の処置は、ステージＩＩ以降の膵がんにおいても用いられている。
【０１５３】
膀胱がん
１９９８年には、米国で膀胱がんの新規症例が５４，０００件超診断され、該疾患に起因する死亡は約１５，０００件と推定された。膀胱がんは、アメリカ人の男性の中で４番目に多いがんであり、アメリカ人の女性の中で９番目に多いがんである。膀胱がんは女性よりも男性に３倍頻繁に起こる。より高齢の男性の主要な疾患である膀胱がんは、疾病及び死亡の著しい原因である。膀胱がんのリスクは、年齢と共に急激に増加し（症例の８０％が５０歳を過ぎた人々に起こる）、膀胱がんでの全死亡の半分超が７０歳以降で起こる。６５歳を過ぎた白人において、膀胱がんの年間疾病率は、１，０００人当たりおよそ２症例であり、このことは、６５歳未満では１，０００人当たり０．１症例の割合であることと対照をなす。一人が生涯の間において膀胱がんを発症する確率は３％より高いが、膀胱がんで死亡する確率は小さい（＜１％）。膀胱がんが４０歳より若い人々に起こることは稀である。
【０１５４】
最近の研究は、ある種の遺伝子及び遺伝性の代謝能力が膀胱がんにおいて役割を果たす可能性があることを示唆する。移行上皮がん（ＴＣＣ）は、膀胱がんの最もよくみられる形態である。ＴＣＣは、通常、茎状基部上の表在性（表面）腫瘤、乳頭状（疣状）腫瘤、外方増殖性（外側に増殖する）腫瘤として生じる。しかし、場合によっては、ＴＣＣは、広範な基部に付着する可能性があるか、又はそれは、（窪んだ病変内で）潰瘍化したようにみえる可能性がある。乳頭状ＴＣＣは、多くの場合、後に脱分化するか又は個別細胞の特性を喪失する過形成の領域として開始する。乳頭状ＴＣＣの約１０％〜３０％のみが浸潤がんに進行する。対照的に、ＴＣＣの非乳頭状形態は浸潤性になる可能性が高い。記載したように、かかるＴＣＣは、潰瘍化しているか又は平坦にみえることがある。未分化上皮から構成された平坦で非乳頭状のＴＣＣは、上皮内がん（ＣＩＳ又はＴＩＳ）として分類されている。ＣＩＳの組織は、大きく、顕著な核小体（細胞内の丸い実体；タンパク質合成に関与する）を有し、正常な極性を欠いた細胞を含んでいる。
【０１５５】
膀胱がんの処置は、多くの因子に依存する。これらの因子で最も重要なものは、存在する腫瘍の型及びそのステージである。一般的な処置としては、経尿道的切除（ＴＵＲ）、電気外科手術、レーザー外科手術、膀胱内治療、抗増殖剤、外科的治療、膀胱切除及び放射線治療が挙げられる。膀胱がんを処置するために用いられる抗増殖剤の例としては、例えば、５−フルオロウラシル、シスプラチン及びメトトレキセートが挙げられる。延期抗増殖剤である５−フルオロウラシル、シスプラチン及びメトトレキセートによる毒性は、本明細書において他の箇所で考察される。
【０１５６】
脳がん
脳腫瘍は、手術不能であることがしばしばであり、患者の８０％超が診断から１２ヵ月以内に死亡する。米国では原発性頭蓋内（脳）がんの新規症例が毎年およそ１８，０００件診断される。脳腫瘍は、全ての成人がんの約２パーセントを示す。脳腫瘍のうち５０パーセント超は、高悪性度神経膠腫（すなわち、多形性神経膠芽細胞腫及び退形成星細胞腫腫瘍）である。これらの腫瘍の患者は、しばしば、運動機能障害、発作及び視力障害などの重度の障害に苦しむ。
【０１５７】
脳組織内で発生する腫瘍は、原発性脳腫瘍として知られている。原発性脳腫瘍は、それらが発生する組織の型によって分類される。最も一般的な脳腫瘍は、神経膠（支持）組織内で発生する神経膠腫である。他のものとしては、星細胞腫、脳幹部神経膠腫、上衣腫及び乏突起神経膠腫が挙げられる。
【０１５８】
脳腫瘍の外科的除去は、ほとんどのタイプについて、またほとんどの位置において推奨されるが、神経機能の保存の制約の中でできるだけ完全であるべきである。この規則の例外は、臨床的エビデンスに基づき診断され、およそ５０％で（approximately 50% of the time）初期手術なしで処置される、脳橋神経膠腫などの深在腫瘍の場合である。しかしながら、多くの場合は、生検による診断が行われる。到達し且つ切除することが困難な病変については、定位生検を用いることができる。治癒がまれであるか又は切除不能な脳腫瘍に罹患している患者は、前記腫瘍の局所的制御を向上させるために外部ビーム放射線治療と併用して用いられる放射線増感剤、温熱療法若しくは組織内近接照射療法を評価する臨床試験又は新しい薬物及び生体応答調節剤を評価する研究のための候補と考えられるべきである。
【０１５９】
放射線治療は、ほとんどの腫瘍タイプの処置において主要な役割を有し、治癒率を上昇させること又は無病生存期間を延長させることが可能である。放射線治療は、最初に手術単独で処置された患者における再発の処置においても有用でありうる。手術及び放射線治療の前、間又は後に、化学療法を用いてもよい。同様に、再発性腫瘍も化学療法で処置される。脳がんの処置で用いられる抗増殖剤としては、シスプラチンが挙げられる。この抗増殖剤に関連した毒性の例は、本明細書において他の箇所で考察される。
【０１６０】
再狭窄
再狭窄は、血管壁肥厚と、血管により組織へ供給される血流の喪失とにつながる、慢性血管損傷の形態である。この炎症性疾患は、血管閉塞を軽減する任意の操作を含む血管再建手技に応答して生じることがある。したがって、再狭窄は、これらの手技の有効性を限定する主要な制限的因子である。
【０１６１】
本考察は、例えば治療上有効量のオリゴヌクレオチド治療薬と抗炎症剤との配合物を血管に投与することによる再狭窄の予防又は処置を含む。適切な組成物は、再狭窄部位若しくは潜在的再狭窄部位で外科的に埋め込まれ得るポリマー担体を含むか、又はポリマーペースト若しくはポリマーゲルとしてカテーテルを介して注入されうる。適切な組成物は、本明細書において考察される精製／改変フカンを含んでもよい。
【０１６２】
関節炎
関節リウマチ（ＲＡ）は、関節組織の疼痛、腫脹、滑膜細胞増殖（パンヌス形成）及び破壊を特徴とする消耗性慢性炎症性疾患である。進行期において、前記疾患はしばしば重要な器官を損傷し、致死的となり得る。前記疾患は、免疫系（マクロファージ／単球、好中球、Ｂ細胞及びＴ細胞）複合的サイトカイン相互作用並びに滑膜細胞の機能不全及び増殖の複数の要素を含む。メトトレキセートなどの疾患修飾性抗リウマチ薬（ＤＭＡＲＤ）による早期の積極的処置が推奨されており、該薬物は、本明細書において他の箇所で考察される。
【０１６３】
結晶誘発性関節炎は、関節内におけるマクロファージ及び好中球の結晶誘発性活性化を特徴とされてきたものであり、その後、何日間も激痛が生じる。前記疾患は、発症の間の間隔が短くなり、患者が病的状態であることが増えるように進行する。この疾患は、概して、ジクロフェナクナトリウム（Ｖｏｌｔａｒｅｎ（登録商標））などの非ステロイド性抗炎症薬（ＮＳＡＩＤ）で対症的に処置されてきた。この抗炎症剤は、浮動性めまい及び頭痛などの中枢神経系毒性；発疹及びそう痒などの皮膚病学的毒性；悪化した潰瘍性大腸炎及びクローン病などの胃腸毒性；急性腎不全及び腎乳頭壊死などの尿生殖器毒性；無顆粒球症、白血球減少症及び血小板減少症などの血液学的毒性；肝トランスアミナーゼ上昇及び肝炎などの肝毒性；並びに喘息及び過敏症などの他の毒性を含む毒性を有する。
【０１６４】
本考察は、例えば治療上有効量のオリゴヌクレオチド治療薬及び所望により抗炎症剤を患者に投与することによる、関節リウマチの予防又は処置を含む。適切な組成物は、前記抗炎症剤の制御放出担体として関節に注入されうるポリマー担体と、（前記ポリマー担体中に組み込まれた）前記オリゴヌクレオチド治療薬の制御放出担体としての微粒子とを含む。適切な組成物は、本明細書において考察される精製／改変フカンを含みうる。かかるポリマー担体は、ポリマー微小球、ペースト又はゲルの形態を取りうる。
【０１６５】
炎症状態
本明細書に記載の前記組成物などは、例えばオリゴヌクレオチド治療薬及び抗炎症剤を含む組成物を患者に投与することを含む、好中球が関与する炎症状態の抑制又は処置を、所望により行うことができる。かかる状態の例としては、結晶誘導性関節炎、骨関節炎、非リウマチ様炎症性関節炎、混合性結合組織病、シェーグレン症候群、強直性脊椎炎、ベーチェット症候群、サルコイドーシス、乾癬、湿疹、炎症性大腸疾患、慢性炎症性肺疾患、神経障害及び多発性硬化症が挙げられる。これらの疾患の一部は、以下の段落でさらに考察される。
【０１６６】
慢性炎症性皮膚疾患（乾癬及び湿疹を含む）
乾癬は、痒みがあり、ひりひりし、チクチクし、容易に出血する、隆起し、肥厚し、鱗片状である病変を特徴とする一般的な慢性炎症性皮膚疾患である。これらの疾患は、前記疾患の後期に細胞増殖成分及び血管形成成分を有するが、患者は、多くの場合、付随的な関節炎状態を有する。症状は、プレドニゾンなどのステロイド性抗炎症剤又はメトトレキセートなどの抗増殖剤によって処置されてもよく、それらの剤は、本明細書において他の箇所で考察される。慢性炎症性皮膚疾患、例えば、乾癬及び／もしくは湿疹の抑制又は、それ以外の場合、処置及び／もしくは予防のために、本明細書における前記組成物を用いてもよい。
【０１６７】
以下は、本明細書において考察される組成物で処置することが可能な、例えば、動静脈奇形（血管奇形）における動脈塞栓術；月経過多；急性出血；中枢神経系障害；脾機能亢進；乾癬などの炎症性皮膚疾患；湿疹様疾患（アトピー性皮膚炎、接触性皮膚炎、湿疹）；免疫水疱性疾患；並びに関節リウマチ、混合性結合組織病、シェーグレン症候群、強直性脊椎炎、ベーチェット症候群、サルコイドーシス、結晶誘発性関節炎及び骨関節炎（それらの全ては、顕著な症候として、炎症を起こした、痛みを伴う関節を特徴とする）を含む様々な状態を含む炎症性関節炎を含む炎症性疾患のいくつかのさらなる代表的例を提供する。
【０１６８】
虚血
虚血（ｉｓｃｈｅｍｉａ）又は乏血（ｉｓｃｈａｅｍｉａ）には血液供給における制限が関与し、前記制限としては、適切な組織機能のために必要な酸素、グルコース及び他の成分の供給の不足が挙げられ、組織の傷害及び／又は機能障害を引き起こす。虚血は、重度の問題を引き起こす可能性がある。例えば、組織が無酸素化して壊死したりする可能性があり、血液凝固が発生する可能性がある。虚血の予防及び／又は処置を行うために各種試みが行われてきた。例えば、血流復活治療あるいは再灌流治療がある。しかし、血液復活治療には酸素の再導入が関与し、これはフリーラジカルの生成によるさらなる損傷を引き起こす可能性があり、再灌流による傷害を発生させる可能性がある。再灌流傷害は深刻な問題を引き起こす可能性がある。本明細書に記載の組成物は、虚血及び／もしくは再灌流傷害を抑制するか又は、それ以外の場合、処置及び／もしくは予防するために用いられてもよい。
【０１６９】
内毒素血症
内毒素血症は、血液中にエンドトキシンが存在することである。内毒素血症は深刻な問題を引き起こす可能性がある。例えば、内毒素血症は敗血症性ショックにつながる可能性がある。本明細書に記載の組成物は、内毒素血症を抑制又は、それ以外の場合、処置及び／もしくは予防するために用いられてもよい。
【０１７０】
ケロイド瘢痕
ケロイド形質は、創傷を、隆起した瘢痕を伴って治癒させる。ケロイド形質の隆起瘢痕には異常な線維性瘢痕化が含まれる。ケロイド形質は、重度の問題、例えば疼痛や外観上の問題（disfigurement）を引き起こす。本明細書に記載の組成物は、ケロイド形質及びその結果として生じる隆起瘢痕を抑制又は、それ以外の場合、処置及び／もしくは予防するために用いられてもよい。
【０１７１】
ケロイド（ケロイド瘢痕）は、正常な皮膚の上に増殖して広がるタイプの瘢痕である。ケロイドにはＩ型及びＩＩＩ型コラーゲンの異常増殖を含む異常コラーゲン増殖が関与する。ケロイドは、重度の問題、例えば、疼痛、そう痒を引き起こし、感染した場合は潰瘍化する可能性がある。ケロイドを処置又は予防するために、外科手術、包帯、ステロイド注入及びレーザー治療の使用を含む試みが為されてきた。本明細書に記載の組成物は、ケロイドを抑制又は、それ以外の場合、処置及び／もしくは予防するために用いられてもよい。
【０１７２】
皮膚炎
皮膚炎にはアトピー性皮膚炎及び接触性皮膚炎を含む皮膚の炎症が含まれる。例えば、接触性皮膚炎には、皮膚の異物との接触の後に発症する局所的発疹及び／又は皮膚の刺激が関与する。例えば、アトピー性皮膚炎は、慢性的に再発性である掻痒性皮膚疾患である。アトピー性皮膚炎は時にベニエー痒疹、神経皮膚炎、内在性湿疹、屈面性湿疹、乳児皮膚炎、小児期湿疹及び急性単純性痒疹（ｐｒｕｒｉｇｏ  ｄｉａｔｈｓｉｑｕｅ）と称される。湿疹は、皮膚炎の形態の疾患である。他のタイプの皮膚炎としては、海綿状皮膚炎、脂漏性皮膚炎（ふけ）、汗疱状皮膚炎（汗疱）、蕁麻疹、小疱性皮膚炎（水疱性皮膚炎）及び丘疹性蕁麻疹（ｐｏｐｕｌａｒ  ｕｒｔｉｃａｒｉａ）が挙げられる。皮膚炎は、重度の問題を引き起こす可能性がある。例えば、乾燥肌、皮膚発疹、皮膚浮腫、皮膚発赤、皮膚掻痒、痂皮形成、ひび割れ、水膨れ、滲出及び出血である。皮膚炎を処置又は予防するために、コルチコステロイド及びコールタールの使用を含む試みが為されてきた。本明細書に記載の組成物は、アトピー性皮膚炎、湿疹、接触性皮膚炎、海綿状皮膚炎、脂漏性皮膚炎、汗疱状皮膚炎、蕁麻疹、小疱性皮膚炎及び丘疹性蕁麻疹を含む皮膚炎を抑制又は、それ以外の場合、処置及び／もしくは予防するために用いられてもよい。
【０１７３】
酒さ
酒さは、典型的には顔面紅斑を特徴とする慢性疾患又は慢性状態である。酒さは、重度の問題を引き起こす可能性がある。例えば、酒さは典型的には額、鼻又は頬上の発赤として発生し、頸部、耳、頭皮及び胸部上の発赤を引き起こすこともある。例えば、酒さは、毛細血管拡張、丘疹、膿疱、痛痒感を含むさらなる症候を引き起こし、進行した場合には鼻瘤（赤色の分葉状の鼻）を発症しうる。酒さのサブタイプとしては、紅斑毛細血管拡張型酒さ、丘疹膿疱性酒さ、瘤腫型酒さ（ｐｈｙｍａｔｏｕｓ  ｒｏｓａｃｅａ）及び眼型酒さが挙げられる。酒さを処置又は予防するために、抗炎症剤及び抗生剤の使用を含む試みが為されてきた。本明細書に記載の組成物は、紅斑毛細血管拡張酒さ、丘疹膿疱性酒さ及び眼性酒さのサブタイプを含む酒さを抑制又は、それ以外の場合、処置及び／もしくは予防するために用いられてもよい。
【０１７４】
医療機器、医療材料、組み合わせ及び医薬製品
本明細書における考察は、医療機器、組み合わせ製品又は医薬的に許容し得る容器内に本明細書において考察される組成物を含む、医療機器、組み合わせ及び医薬製品も提供する。前記製品（products）は前記容器に添付された注意事項をさらに含んでもよい。注意事項は典型的には、医療機器、医療材料、組み合わせ及び医薬又は生物医薬の製造、使用又は販売を規制する所管官庁によって規定された形態であり、これによって注意書きは、例えば、精製／改変フカンが、例えば、増殖性疾患又は炎症性疾患（例えば、炎症性関節炎、再狭窄、外科的癒着、乾癬及び腹膜炎など）の処置のためにヒト又は動物に投与するための抗増殖剤又は抗炎症剤として承認されている旨など、官庁による前記組成物の承認を反映するものとなる。本明細書に記載の精製／改変フカンの使用のための説明書も含まれてよい。かかる説明書は、患者の投与及び投与方法に関する情報を含んでもよい。
【０１７５】
本出願は、前記フカン及び組成物自体を製造することを含む、本明細書において考察される前記精製／改変フカン、システムなどの各種要素の製造方法、並びにその使用方法、例えば、本明細書に記載の状態、前記疾患などの処置をさらに対象とする。
【０１７６】
本出願は、線維性癒着、関節炎、乾癬又は所望の他の疾患を処置するための、本明細書に示された精製／改変フカン及びフカン組成物を含む医療機器、医療材料、医薬組み合わせ製品及び医薬製品を含む。前記材料などは、外科的癒着、関節炎、乾癬又は他の所望の疾患などの線維性癒着を処置するための医薬において使用することができる。医薬的に有効な量の、本明細書において考察されるフコイダンなどのフカンを医薬的に許容し得る賦形剤又は緩衝剤と併用することを含む、ヒト患者を含む患者における線維性癒着、関節炎及び乾癬のうち少なくとも１つに関連した症状を軽減させることが可能なかかる医薬の製造方法及び使用方法も提供される。
【実施例】
【０１７７】
以下の実施例は、本明細書におけるある種の実施形態の例示的考察を提供するが、本開示及び請求項は、それらに限定されるものではない。
【０１７８】
実施例１：化学的構造的改変
ラミナリア・ヒペルボレア（Ｌａｍｉｎａｒｉａ  Ｈｙｐｅｒｂｏｒｅａ）から滲出物−抽出物を得た。前記滲出物−抽出物を濾過し、１００ｋＤａフィルタを用いた(over）タンジェンシャルフロー濾過（ＴＦＦ）によって小分子を除去した。改変させられないかぎり未改変の試料Ａ（otherwise unmodified sample A）を得るために、得られた保持物（retentate）の試料を凍結乾燥した。得られた保持物を、１０ＭのＮａＯＨ溶液の添加によって０．２５ＭＮａＯＨとし、室温で１６時間静置した。次いで、得られた試料を５０ｋＤａのフィルタを用いて遠心濾過し、得られた保持物を回収して凍結乾燥し、塩基処理試料Ｂを得た。陽子磁気共鳴分光法（１Ｈ−ＮＭＲ）によって未改変試料Ａ及び塩基処理試料Ｂの両方を分析した。得られた１Ｈ−ＮＭＲスペクトルを図２Ａに示す。
【０１７９】
図２Ａは、前記フカンの化学的構造的改変を示すが、前記未改変試料Ａに存在する約２．０ｐｐｍのケミカルシフトを伴うブロードピークは、前記塩基処理試料Ｂには存在しない。
【０１８０】
さらに、２Ｄ１Ｈ−１３Ｃ異核多重量子コヒーレンス（ＨＭＱＣ）によって未改変試料Ａ及び塩基処理／改変試料Ｂを分析した。図２Ｂに示されるＨＭＱＣスペクトルを、５ｍｍのコールドプローブを備えた６００ＭＨｚ分光計によって、溶媒シグナルを抑制しつつ７０℃で取得した。前記ＨＭＱＣスペクトルの多くの走査を、各回２５６〜５１２回の走査として８ずつ回数を増加させつつ、炭素次元における１０〜３０ｐｐｍの範囲で取得し、かかる走査を組み合わせて図２Ｂの前記スペクトルを作製した。
【０１８１】
未改変試料Ａについての前記ＨＭＱＣスペクトルは、図２Ｂにおいて円で囲まれたシグナルによって示されるＯ−アセチル基に対応するクロスピークを有する。このクロスピークは、塩基処理試料Ｂについての前記スペクトルには存在しない。このことは、前記フカンからアセチル基が除去されたことを示しており、ひいては、前記ＮａＯＨ処置により塩基処理試料Ｂにおいて前記フカンが化学的構造改変していることを示している。
【０１８２】
実施例２  物理的に誘導される凝集
茶色の粉末原料フコイダンを約１０％ｗ／ｖで蒸留水に溶解して、出発溶液を得た。塩化ナトリウムを前記出発溶液に添加して、約０．１Ｍの最終塩化ナトリウム濃度を有する混合物を生成した。前記混合物を１０〜１５分間沸騰近くまで加熱した。この温度での前記混合物の処理は、懸濁不純物及び粒子状の非フコイダン物質の凝集を引き起こした。前記混合物を２３００Ｇ（遠心力）で４０分間遠心分離して、フコイダン含有溶液を凝集した非フコイダン成分から分離した。前記フコイダン含有溶液を目視検査すると、粒子状物質及び色の視覚的減少が観察された。前記フコイダン含有溶液の凍結乾燥部分は、使用した原料フコイダンよりも著しく色が少ないオフホワイトの粉末を含んでいた。例えば、水中１０ｍｇ／ｍＬの原料フコイダンの紫外／可視スペクトル及び水中１０ｍｇ／ｍＬの精製／改変フカンの紫外／可視スペクトルを取得すること、約４００ｎｍ〜約７００ｎｍの範囲内のスペクトルの可視領域の総吸光度を決定すること、及び前記原料フコイダンと比較して、精製／改変フカンの総吸光度が少なくとも約５％、１０％、又は２０％減少していることを確認することによって、色の喪失を定量化して比較できる。
【０１８３】
実施例３  固相抽出
茶色の粉末原料フコイダンを、７０％ｖ／ｖエタノール／水中の０．５Ｍ水酸化ナトリウム（ＮａＯＨ）の４０℃の混合物に添加した。得られた反応混合物を攪拌し、４０℃で２時間維持した。次に、前記反応混合物を遠心分離して、固体の精製／改変フコイダンを、抽出した不純物を含む７０％ｖ／ｖエタノール／水の上清中の０．５Ｍ水酸化ナトリウム（ＮａＯＨ）から分離した。
【０１８４】
視覚化すると、前記固体の精製／改変フコイダンは、原料フコイダンよりも、肉眼的には含まれる色が著しく少ないことが判明した。この色の損失は、フロロタンニンなどの不純物が除去されたことを示しており、フカンには発色団が含まれていないため、完全に純粋になると無色になることによる。例えば、水中１０ｍｇ／ｍＬの原料フコイダンの紫外／可視スペクトル及び水中１０ｍｇ／ｍＬの精製／改変フカンの紫外／可視スペクトル（ultraviolet/visible (UV/Vis spectrum)）を取得すること、約４００ｎｍ〜約７００ｎｍの範囲内のスペクトルの可視領域の総吸光度を決定すること、及び前記原料フコイダンと比較して、精製／改変フカンの総吸光度が少なくとも約５％、１０％、又は２０％減少していることを確認することによって、色の喪失を定量化して比較できる。
【０１８５】
実施例４  化学的に誘導される沈殿
原料フコイダン組成物を１５％ｗ／ｖで蒸留水に溶解して、出発溶液を形成した。観察により、前記出発溶液は懸濁した粒子状物を含むことが判明した。塩化カルシウムを前記出発溶液に０．５Ｍの濃度まで添加して、反応混合物を生成した。天然フコイダンの既知の不純物をシミュレートするために、アルギン酸ナトリウムを５％ｗ／ｗアルギン酸／フコイダンの濃度で添加し、デンプンを５％ｗ／ｗデンプン／フコイダンの濃度で添加した。この場合、デンプンをラミナリンの模倣物として使用した。１０Ｍ水酸化ナトリウム（ＮａＯＨ）を前記反応混合物に滴下して、ｐＨを７〜８にした。これは、前記反応混合物中のフコイダンの分解を避けるために行った。その後のリン酸の添加による前記反応混合物の酸性化を回避するために、最小量の１０Ｍ水酸化ナトリウム（ＮａＯＨ）を前記反応混合物に再度添加した。リン酸の添加により、反応混合物を０．５Ｍリン酸塩にした。これにより、塩化カルシウムとリン酸との反応により形成されたリン酸カルシウムの作用を介して、懸濁した粒子状物及び沈殿不純物の凝集が開始された。前記反応混合物を室温で１０分間放置して、凝集を継続させた。前記反応混合物を１７５６８Ｇで１７分間遠心分離して、上清溶液中の所望の精製フコイダンを凝集不純物から分離した。前記上清溶液を目視検査して、色及び粒子状物の除去を定性的に評価した。前記上清溶液のアリコートを３００〜８００ｎｍ領域の紫外／可視吸収によって分析して、紫外／可視スペクトル領域の光を散乱及び／又は光を吸収する非フコイダン成分の除去を評価した。前記上清溶液のアリコートも凍結乾燥して、フカン含有量（fucan content）を得た。前記上清溶液のアリコートも３Ｍ塩酸（ＨＣｌ）で９０℃で加水分解し、パルスドアンペロメトリック検出付き高性能陰イオン交換クロマトグラフィー（ＨＰＡＥ−ＰＡＤ）で分析して総炭水化物を検出し、ラミナリン及びアルギン酸塩の除去を評価した。ラミナリン、単量体マンヌロン酸、及び単量体グルロン酸の除去を評価して前記アルギン酸塩の除去を評価するために、不純物の定量化を、単量体グルコース標準に対して行った。
【０１８６】
出発物質であるフコイダン及び得られた精製／改変フカンの分析結果を以下の表１に示す。
【０１８７】
【表１】
2021533218.tif 000003
【０１８８】
実施例５  化学的に誘導される沈殿
原料フコイダン組成物を１５％ｗ／ｖで蒸留水に溶解して、出発溶液を形成した。観察により、前記出発溶液は懸濁した粒子状物を含むことが判明した。天然フコイダンの既知の不純物をシミュレートするために、アルギン酸ナトリウムを５％ｗ／ｗアルギン酸／フコイダンの濃度で添加し、デンプンを５％ｗ／ｗデンプン／フコイダンの濃度で添加した。この場合、デンプンをラミナリンの模倣物として使用した。１０Ｍ水酸化ナトリウム（ＮａＯＨ）を前記反応混合物に滴下して、ｐＨを７〜８にした。これは、後の硫酸アルミニウム添加が前記出発溶液を酸性とするためのものである場合における前記出発溶液中でのフコイダンの分解を避けるために行われた。前記出発溶液を硫酸アルミニウム濃度０．１Ｍ（0.1 M aluminum sulfate）として反応混合物を生成した。これにより、同時に形成された水酸化アルミニウムによって不純物の沈殿並びに不純物及び懸濁粒子状物の凝集が開始された。前記反応混合物を室温で１０分間放置して、凝集を継続させた。前記反応混合物を１７５６８Ｇで１７分間遠心分離して、上清溶液中の所望の精製フコイダンを凝集不純物から分離した。前記上清溶液を目視検査して、色及び粒子の除去を定性的に評価した。前記上清溶液のアリコートを３００〜８００ｎｍ領域の紫外／可視吸収によって分析して、紫外／可視スペクトル領域の光を散乱及び／又は光を吸収する非フコイダン成分の除去を評価した。前記上清溶液のアリコートも凍結乾燥して、フカン含有量を得た。前記上清溶液のアリコートも３Ｍ塩酸（ＨＣｌ）で９０℃で加水分解し、パルスドアンペロメトリック検出付き高性能陰イオン交換クロマトグラフィー（ＨＰＡＥ−ＰＡＤ）で分析して総炭水化物を検出し、ラミナリン及びアルギン酸塩の除去を評価した。ラミナリン、単量体マンヌロン酸、及び単量体グルロン酸の除去を評価して前記アルギン酸塩の除去を評価するために、不純物の定量化を、単量体グルコース標準に対して行った。
【０１８９】
出発物質のフコイダン及び得られた精製／改変フカンの分析結果を以下の表２に示す。
【０１９０】
【表２】
2021533218.tif 000004
【０１９１】
実施例６  化学的に誘導される沈殿
出発フコイダン組成物を１５％ｗ／ｖで蒸留水に溶解して、出発溶液を形成した。観察により、前記出発溶液は懸濁した粒子状物を含むことが判明した。天然フコイダンの既知の不純物をシミュレートするために、アルギン酸ナトリウムを５％ｗ／ｗアルギン酸／フコイダンの濃度で添加し、デンプンを５％ｗ／ｗデンプン／フコイダンの濃度で添加した。この場合、デンプンをラミナリンの模倣物として使用した。塩化カルシウムを前記出発溶液に０．５Ｍの濃度まで添加して、反応混合物を生成した。これによりアルギン酸の沈殿が開始された。１０Ｍ水酸化ナトリウム（ＮａＯＨ）を前記反応混合物に滴下して、ｐＨを７〜８にした。これは、前記反応混合物中のフコイダンの分解を避けるために行った。反応混合物の硫酸アルミニウム濃度を０．５Ｍにした。これにより、塩化カルシウムと硫酸アルミニウムとの反応によって形成された硫酸カルシウムの作用を介し、また反応混合物中の硫酸アルミニウムから形成された水酸化アルミニウムの作用により、懸濁した粒子状物、アルギン酸カルシウム沈殿物及び他の不純物の凝集が開始された。前記反応混合物を室温で１０分間放置して、凝集を継続させた。前記反応混合物を１７５６８Ｇで１７分間遠心分離して、上清溶液中の所望の精製フコイダンを凝集不純物から分離した。前記上清溶液を目視検査して、色及び粒子状物の除去を定性的に評価した。前記上清溶液のアリコートを３００〜８００ｎｍ領域の紫外／可視吸収によって分析して、紫外／可視スペクトル領域の光を散乱及び／又は光を吸収する非フコイダン成分の除去を評価した。前記上清溶液のアリコートも凍結乾燥して、フカン含有量を得た。前記上清溶液のアリコートも３Ｍ塩酸（ＨＣｌ）で９０℃で加水分解し、パルスドアンペロメトリック検出付き高性能陰イオン交換クロマトグラフィー（ＨＰＡＥ−ＰＡＤ）で分析して総炭水化物を検出し、ラミナリン及びアルギン酸塩の除去を評価した。ラミナリン、単量体マンヌロン酸、及び単量体グルロン酸の除去を評価して前記アルギン酸塩の除去を評価するために、不純物の定量化を、単量体グルコース標準に対して行った。
【０１９２】
出発物質のフコイダン及び得られた精製／改変フカンの分析結果を以下の表３に示す。
【０１９３】
【表３】
2021533218.tif 000005
【０１９４】
実施例７：液液抽出
不純物を含有する出発フカン組成物を蒸留水中に溶解して１０ｍｇ／ｍＬの水性出発溶液を生成する。出発フコイダン組成物を含有する水性出発溶液に２０％ｖ／ｖヘプタンを添加し、有機−水性混合物を次いで高剪断にて３０分間混合する。この混合を終了させ、前記有機−水性混合物を分離漏斗に入れて有機相を水性相から分離する。所望のフカン成分を含有する、より濃厚な水性相が、前記分離漏斗の底部に沈降する一方で、不純物を含む、濃厚さの低い有機相が、前記分離漏斗の上端に存在する。前記有機−水性混合物を前記分離漏斗において１０分間静置する。前記水性相を次いでデカントし、溶液中の所望の精製／改変フカンとして回収する。溶液中の前記精製／改変フカンの脂肪酸、フロロタンニン、タンパク質、フコキサンチン及び／又はクロロフィルの含有量は前記出発フカン組成物よりも約３０％、約５０％又は約７０％から約１００％まで少ないことがわかりうる。
【０１９５】
実施例８：液液抽出
不純物を含有する出発フカン組成物を蒸留水中に溶解して１０ｍｇ／ｍＬの水性出発溶液を生成する。出発フコイダン組成物を含有する水性出発溶液に２０％ｖ／ｖ１−ブタノールを添加し、有機−水性混合物を次いで高剪断にて３０分間混合する。この混合を終了させ、前記有機−水性混合物を分離漏斗に入れて有機相を水性相から分離する。所望のフカン成分を含有する、より濃厚な水性相が、前記分離漏斗の底部に沈降する一方で、不純物を含む、濃厚さの低い有機相が、前記分離漏斗の上端に存在する。前記有機−水性混合物を前記分離漏斗において１０分間静置する。前記水性相を次いでデカントし、溶液中の所望の精製／改変フカンとして回収する。溶液中の前記精製／改変フカンの脂肪酸、フロロタンニン、タンパク質、フコキサンチン及び／又はクロロフィルの含有量は前記出発フカン組成物よりも約３０％、約５０％又は約７０％から約１００％まで少ないことがわかりうる。
【０１９６】
実施例９：液液抽出
不純物を含有する出発フカン組成物を蒸留水中に溶解して１０ｍｇ／ｍＬの水性出発溶液を生成する。出発フコイダン組成物を含有する水性出発溶液に２０％ｖ／ｖ酢酸エチルを添加し、有機−水性混合物を次いで高剪断にて３０分間混合する。この混合を終了させ、前記有機−水性混合物を分離漏斗に入れて有機相を水性相から分離する。所望のフカン成分を含有する、より濃厚な水性相が、前記分離漏斗の底部に沈降する一方で、不純物を含む、濃厚さの低い有機相が、前記分離漏斗の上端に存在する。前記有機−水性混合物を前記分離漏斗において１０分間静置する。前記水性相を次いでデカントし、溶液中の所望の精製／改変フカンとして回収する。溶液中の前記精製／改変フカンの脂肪酸、フロロタンニン、タンパク質、フコキサンチン及び／又はクロロフィルの含有量は前記出発フカン組成物よりも約３０％、約５０％又は約７０％から約１００％まで少ないことがわかりうる。
【０１９７】
実施例１０  透析濾過
約８％ｗ／ｖを含む出発溶液又は出発物質のフコイダン組成物を提供した。前記出発溶液を０．２２ミクロンのフィルタで濾過した。濾過された出発溶液のアリコートのカチオン含有量を、誘導結合プラズマ質量分析（ＩＣＰ−ＭＳ）によって測定したところ、０．０１％ｗ／ｗ超のアルミニウム／フカン、１０−５％ｗ／ｗ超のヒ素／フカン、及び０．０１％ｗ／ｗ超のカルシウム／フカンを含有することが判明し、全てそれぞれのカチオンの望ましくないレベルであった。０．１Ｍ  ＥＤＴＡ且つ０．０１Ｍ水酸化ナトリウム（ＮａＯＨ）である溶液４ダイアボリュームに対して前記出発溶液を透析濾過した。次に、得られた保持フコイダン溶液を、５ｍＭ亜硫酸ナトリウム（Ｎａ２ＳＯ３）且つ５ｍＭ塩化ナトリウム（ＮａＣｌ）である溶液約２．５ダイアボリュームに対して透析濾過した。得られた二次保持フコイダン溶液を、ＩＣＰ−ＭＳによってカチオン含有量についてアッセイした。前記出発物質のフコイダン組成物及び得られた精製／改変フカンの結果を以下の表４に示す。
【０１９８】
【表４】
2021533218.tif 000006
【０１９９】
実施例１１  超臨界流体抽出
約１００ｇの固体出発物質のフコイダン組成物を提供する。前記固体を超臨界抽出装置に配置する。前記抽出装置を５８００ｐｓｉに加圧し、５０℃に加熱してから、１００ｍＬ／ｍｉｎの超臨界二酸化炭素で３時間パージする。超臨界二酸化炭素を前記抽出装置からパージし、固体の改変／精製フコイダンを回収して不純物について分析する。回収された固体の改変／精製フコイダンの脂質、脂肪酸、フロロタンニン、ラミナリン、アルギン酸塩、タンパク質、メイラード反応生成物、フコキサンチン、クロロフィル、遊離イオン、細菌、及び／又はＤＮＡの含有量は前記出発物質のフコイダン組成物よりも約３０％〜約１００％少ないことがわかりうる。
【０２００】
実施例１２  化学的に誘導される沈殿、溶解、及び凝集
約０．７０％ｗ／ｗの総窒素を含有することが判明した出発物質のフコイダン組成物を１５％ｗ／ｖで蒸留水に溶解して、出発溶液を形成した。総窒素の存在は、細胞成分、ＤＮＡ、タンパク質、及び細菌などの望ましくない不純物の存在を示す。窒素含有不純物はフコイダン分子に化学結合又はイオン結合しうることから、この場合、総窒素の減少は、出発物質のフコイダン組成物又はフコイダンポリマーからこれらの窒素含有不純物が除去されたことを示す。
【０２０１】
観察により、前記出発溶液は懸濁した粒子状物を含むことが判明した。塩化カルシウムを前記出発溶液に０．５Ｍの濃度まで添加して、反応混合物を生成した。これにより、不純物を含有すると考えられる固体部分の沈殿が開始した。約１５ｍＬの１０Ｍ水酸化ナトリウム（ＮａＯＨ）を前記反応混合物に滴下して、ｐＨを７〜８にした。これは、前記反応混合物中のフコイダンの分解を避けるために行った。リン酸の添加により、反応混合物をリン酸濃度０．５Ｍ（0.5 M phosphate）にした。これにより、塩化カルシウムとリン酸との反応により形成されたリン酸カルシウムの作用を介して、懸濁粒子状物及び沈殿不純物の凝集が開始された。前記反応混合物を３３，７４６Ｇで５分間遠心分離して、上清溶液中の第１の精製／改変フコイダンを凝集不純物から分離した。第１の精製／改変フコイダンは、約０．１０％ｗ／ｗの総窒素を含有することが判明した。上清溶液中の第１の精製／改変フコイダンの一部を、ＭＷＣＯが１００ｋＤａである遠心フィルタを用い、６ダイアボリュームの５ｍＭ塩化ナトリウム（ＮａＣｌ）に対して透析濾過することにより、さらに精製した。得られた第１の保持精製／改変フコイダンは約０．０８％ｗ／ｗの総窒素を含有することが判明した。
【０２０２】
第１の精製／改変フコイダンのさらなる一部を、細胞破壊剤としてドデシル硫酸ナトリウムの１Ｍ溶液を０．０１０Ｍの濃度になるまで添加することによりさらに処理した。水酸化ナトリウム（ＮａＯＨ）の１０Ｍ溶液を０．２６Ｍの濃度になるままで添加し、混合物を塩基性にした。得られた反応混合物を室温で約３０分間撹拌して、濁った淡褐色の混合物を得た。
【０２０３】
約３０分後、４５％ｗ／ｖ水酸化カリウム（ＫＯＨ）溶液を約０．０４Ｍの濃度になるまで添加した。カリウムを添加すると、ドデシル硫酸ナトリウム（ＳＤＳ）と共に望ましくない不純物が沈殿した。４８％ｗ／ｖ硫酸アルミニウム溶液を約０．０６Ｍの濃度になるまで添加した。水酸化アルミニウムの形成により、反応混合物中の望ましくない不純物が凝集した。亜硫酸ナトリウム固体を添加し、０．０２Ｍの濃度に溶解して、反応混合物に含まれ得る酸化剤を反応制御した。
【０２０４】
得られた反応混合物を冷蔵庫に約１６時間保存し、続いて３３，７４６Ｇで５分間遠心分離して、上清溶液中の第２の精製／改変フコイダンを凝集不純物から分離した。第２の精製／改変フコイダンは、約０．０６％ｗ／ｗの総窒素を含有することが判明した。第２の精製／改変フコイダンの一部を、ＭＷＣＯが１００ｋＤａである遠心フィルタを用い、６ダイアボリュームの５ｍＭ塩化ナトリウム（ＮａＣｌ）に対して透析濾過することにより、さらに処理して、第２の保持精製／改変フコイダンを提供した。得られた第２の保持精製／改変フコイダンは約０．０３％ｗ／ｗの総窒素を含有することが判明した。
【０２０５】
実施例１３  ５種類の精製／改変フカンの調製
本明細書で考察される方法は、精製／改変フカンを得るために、任意の方法で使用し、組み合わせ、変更し、また順序を変更することが可能である。実施例４、実施例５、実施例６、及び実施例１０で説明した化学的に誘導される沈殿及び透析濾過の組み合わせを使用して５種類の精製／改変フカンを調製し、医学的用途及び外科的用途における精製／改変フカンの有効性を評価した。これらの５種類のフカンは、本明細書ではフカン１〜フカン５と称される。フカン１及びフカン２は、実施例４及び実施例１０で説明した方法を使用して、約２ｋｇの規模で製造した。フカン３及びフカン５は、実施例４及び実施例１０で説明した方法を使用して、約３０ｇの規模で製造した。フカン４は、実施例５及び実施例１０で説明した方法を使用して、約１ｋｇの規模で製造した。フカン１〜フカン５は、低導電率塩溶液に対する透析濾過とそれに続く凍結乾燥によって白色の固体を得ることで、固体の精製／改変フカンに変換した。２種類のさらなるフカンは褐藻から抽出されたものであり、本明細書ではフカン６及びフカン７と称される。フカン６はＦＭＣＢｉｏＰｏｌｙｍｅｒ（登録商標）によって固体組成物として提供されたものである。上記の処理はいずれも、フカン６の製造には使用されていない。フカン７は、準沸騰塩酸（near boiling HCl）によって褐藻から抽出された。沈殿剤としてエタノールを使用する選択的沈殿により、不純物の一部を除去した。選択的沈殿後、該フカンをエタノールでさらに沈殿させ、遠心分離し、凍結乾燥することにより、フカンを固体組成物として回収した。フカン７を実施例３で考察された方法でさらに処理し、次に水に溶解し、脱イオン水に対して透析濾過した後、凍結乾燥して、フカン７を固体組成物として得た。フカン１〜フカン７のフコース、ガラクトース、硫酸、及び総対イオンのレベルは、以下の実施例１４及び実施例１５で考察されるように算定される。これらのフカン１〜フカン７は、例えば、実施例１６及び表６において、以下でさらに考察される。
【０２０６】
実施例１４  フカン１〜フカン７の補正フコース含有量及び補正ガラクトース含有量の測定
７２％ｗ／ｗ硫酸に固体フカン組成物を４０ｍｇ／ｍＬで溶解し、４５℃の水浴で３０分間インキュベートした。次に、酸加水分解物を高圧チューブ内で硫酸濃度４％ｗ／ｗ（4% w/w sulfuric acid）まで希釈し、１２０℃で６０分間インキュベートした。得られた第２の酸加水分解物を蒸留水で１／３３３濃度に希釈し、パルスドアンペロメトリック検出付き高性能陰イオン交換クロマトグラフィー（ＨＰＡＥ−ＰＡＤ）を備えた高性能陰イオン交換カラムクロマトグラフィーで分析した。アイソクラティックポンプを使用して１０ｍＭ水酸化ナトリウム（ＮａＯＨ）溶離液を１．０ｍＬ／ｍｉｎで流して分析することにより、分析対象物の分離を行った。
【０２０７】
前記フカンの未補正フコース含有量は、フコースの標準曲線での補間によって算定した。前記フカンの未補正ガラクトース含有量は、標準添加の方法で算定した。補正フコース含有量は、フコースにおいてグリコシド結合の加水分解に際して水が１分子添加され、硫酸エステル結合２つの加水分解に際してヒドロキシル基が２つ添加されることを考慮して算定した。補正ガラクトース含有量は、グリコシド結合の加水分解に際して水が１分子添加されることを考慮して算定した。
【０２０８】
この分析の結果を下の表５に示す。
【０２０９】
実施例１５  フカン１〜フカン７の総硫酸含有量、総対イオン含有量、及び総含水量の測定
固体フカン組成物を脱イオン水に溶解し、酸性条件下で加水分解し、ＩＣＰ−ＭＳで硫黄及び対イオンの総含有量（％ｗ／ｗ）を分析した。硫黄含有量を、硫黄含有量に硫酸対硫黄のモル比を掛けることによって硫酸含有量に変換し、精製／改変フカンの硫酸含有量（％ｗ／ｗ）を得た。ここで考察される精製／改変フカンで観察された対イオンには、カリウム対イオン及びナトリウム対イオンが含まれていた。この分析の結果を下の表５に示す。
【０２１０】
補正フコース、補正ガラクトース、及び硫酸の総含有量の結果（％ｗ／ｗ）も、以下の表５に示す。フコース、ガラクトース、及び硫酸の総含有量の結果は、補正フコース、補正ガラクトース、及び硫酸の値を合わせて加算することにより算定され、上述の態様を含むより詳細で完全な計算は、以下の式１に示される。総対イオン含有量は、総ナトリウム及び総カリウムの含有量を合わせて加算することによって算定される。
【０２１１】
【数１】
2021533218.tif 000007
【０２１２】
【表５】
2021533218.tif 000008
【０２１３】
表５は、含まれる不純物が約１２％ｗ／ｗ未満、約１０％ｗ／ｗ未満、約９％ｗ／ｗ未満、約８％ｗ／ｗ未満、約７％ｗ／ｗ未満、約６％ｗ／ｗ未満、約５％ｗ／ｗ未満、約４％ｗ／ｗ未満、約３％ｗ／ｗ未満、又は約２％ｗ／ｗ未満の精製／改変フカンが本明細書で考察される方法を使用して調製できることを示す。
【０２１４】
表５はさらに、ガラクトース、フコース、及び硫酸の総含有量が約７７％ｗ／ｗ〜約８７％ｗ／ｗである精製／改変フカンが生成されたことを示している。
【０２１５】
表５はさらに、フカンに対しての総対イオン含有量が約９％ｗ／ｗ〜約１４％ｗ／ｗである精製／改変フカンを示している。
【０２１６】
フカン１、フカン３、フカン４、及びフカン５の総含水量は、１０４℃における乾燥減量（ＬＯＤ）によって測定した。総含水量は、それぞれの精製／改変フカンの３．８％ｗ／ｗ、２．４％ｗ／ｗ、３．２％ｗ／ｗ、及び４．７％ｗ／ｗと算定された。
【０２１７】
実施例１６  フカン３及びフカン４の分子量分布の測定
精製／改変フカンであるフカン３及びフカン４について得られた分子量分布を評価するためにゲル浸透クロマトグラフィーを用いた。ゲル浸透クロマトグラフィーにおける使用のために利用可能な多数の異なるパラメータ、カラム及び標準品があり、分子量の分析に利用できる多様な計器装備構成がもたらされる。本明細書における分子量測定のために、以下のパラメータを用いてＧＰＣを行った。移動相は、０．６ｍＬ／分の０．１Ｍ硝酸ナトリウム流であった。カラムコンパートメント及び検出器は３０℃であった。検出のためにＷａｔｅｒｓ２４１４示差屈折率検出器を用いた。
【０２１８】
適切なＧＰＣカラムとしては、水性溶媒と適合性のあるＧＰＣカラム、例えば、スルホン化スチレンジビニルベンゼン、ＮＨ官能基を有したアクリレートコポリマー網、変性シリカ及びヒドロキシル化ポリメタクリレート系ゲルのうち少なくとも１つが充填されたカラムが挙げられる。本明細書における分析のために、６μｍの粒径のヒドロキシル化ポリメタクリレート系ゲルが充填された内径（ＩＤ）が６ｍｍの長さ４０ｍｍの１つのガードカラム、続いて、排除限界が約７，０００ｋＤａで、有効分子量範囲が約５０ｋＤａ〜約５，０００ｋＤａの１２μｍの粒径のヒドロキシル化ポリメタクリレート系ゲルが充填されたＩＤが７．８ｍｍの第１の３００ｍｍ分析ＧＰＣカラム、続いて、排除限界が約７，０００ｋＤａで、有効分子量範囲が約１ｋＤａ〜約６，０００ｋＤａの１０μｍの粒径のヒドロキシル化ポリメタクリレート系ゲルが充填されたＩＤが７．８ｍｍの第２の３００ｍｍ分析ＧＰＣカラムを含む３つのカラムを直列で用いた。カラム構成の総有効分子量範囲は、約１ｋＤａ〜約６，０００ｋＤａであった。このカラム構成の例は、直列に接続されたＵｌｔｒａｈｙｄｒｏｇｅｌ（登録商標）ガードカラム−Ｕｌｔｒａｈｙｄｒｏｇｅｌ（登録商標）２０００カラム−Ｕｌｔｒａｈｙｄｒｏｇｅｌ（登録商標）Ｌｉｎｅａｒカラムでありうる。
【０２１９】
Ａｍｅｒｉｃａｎ  Ｐｏｌｙｍｅｒ  Ｓｔａｎｄａｒｄｓ  Ｃｏｒｐｏｒａｔｉｏｎのトレース可能な標準品、すなわち、ＤＸＴ３７５５Ｋ（ピーク分子量＝２１６４ｋＤａ）、ＤＸＴ８２０Ｋ（ピーク分子量＝７４５ｋＤａ）、ＤＸＴ７６０Ｋ（ピーク分子量＝６２１ｋＤａ）、ＤＸＴ６７０Ｋ（ピーク分子量＝４０１ｋＤａ）、ＤＸＴ５３０Ｋ（ピーク分子量＝４９０ｋＤａ）、ＤＸＴ５００Ｋ（ピーク分子量＝３９０ｋＤａ）、ＤＸＴ２７０Ｋ（ピーク分子量＝１９６ｋＤａ）、ＤＸＴ２２５Ｋ（ピーク分子量＝２１３ｋＤａ）、ＤＸＴ１５０Ｋ（ピーク分子量＝１２４ｋＤａ）、ＤＸＴ５５Ｋ（ピーク分子量＝５０ｋＤａ）、ＤＸＴ５０Ｋ（ピーク分子量＝４４ｋＤａ）及びＤＸＴ５Ｋ（ピーク分子量＝４ｋＤａ）（これらの標準品のピーク分子量は約４ｋＤａ〜約２，２００ｋＤａである）を含む標準曲線に対して試料流を定量した。用いられる標準曲線は、例えば、Ｄｅｘｔｒａｎ３７５５ｋＤａ、Ｄｅｘｔｒａｎ５０ｋＤａ及びＤｅｘｔｒａｎ５５ｋＤａのうち少なくとも１つ並びに本明細書において考察される３〜６つの追加的なトレース可能な標準品を含んでもよく、較正点は、用いられる検量体のピーク分子量である。例示的な較正曲線は、ＤＸＴ３７５５Ｋ、ＤＸＴ８２０Ｋ、ＤＸＴ５３０Ｋ、ＤＸＴ５００Ｋ、ＤＸＴ２２５Ｋ及びＤＸＴ５５Ｋからなることができる。本明細書において用いられたカラムは、フカンの定量のために用いられた標準品のピーク分子量範囲を包含し且つそれを超えて拡張された総有効分子量範囲を有するものであった。
【０２２０】
以下の表６の結果は、分子量分布の特定の特性について使用される略語を含む。ゲル浸透クロマトグラフィーはＧＰＣ、ピーク分子量はＰＭＷ、重量平均分子量はＷＡＭＷ、数平均分子量はＮＡＭＷ、百分率分布は％ｄｉｓｔ、分子量はＭＷと表される。
【０２２１】
【表６】
2021533218.tif 000009
【０２２２】
実施例１７  乾燥による高純度フカン組成物の調製
約１００ｍｇのフカン１をるつぼに入れた。フカン１を含むるつぼを１０５℃のオーブンに３０分間入れて、以下でフカン１’と称する、さらに精製されたフカン組成物を生成した。さらに精製されたフカン１’組成物を含むるつぼをオーブンから取り出し、デシケーターに配置した。さらに精製されたフカン１’組成物は、フコース及びガラクトースの総含有量をＨＰＡＥ−ＰＡＤによって、硫黄及び対イオンの総含有量をＩＣＰ−ＭＳによって、無水分（絶乾）雰囲気下で分析され、フコース、ガラクトース、硫酸、及び対イオンの総含有量が９９．９％ｗ／ｗ以上、すなわち不純物が０．１％未満であることが判明する。
【０２２３】
実施例１８  乾燥による高純度フカン組成物の調製
約６００ｍｇのフカン１をオーハウス（Ｏｈａｕｓ）ＭＢ９０水分分析装置のアルミニウム皿上に配置した。前記装置は、さらに精製されたフカン１’’組成物を生成するために、１０５℃で３０分間フカン１を加熱するようにプログラムした。さらに精製されたフカン１’’組成物を前記装置から取り出し、デシケーターに入れた。前記試料は、フコース及びガラクトースの総含有量をＨＰＡＥ−ＰＡＤによって、硫黄及び対イオンの総含有量をＩＣＰ−ＭＳによって、無水分（絶乾）雰囲気下で分析され、フコース、ガラクトース、硫酸、及び対イオンの総含有量が９９．９％ｗ／ｗ以上で不純物が０．１％未満であることが判明する。
【０２２４】
実施例１９  フカン１で処置された子宮角線維性癒着
外科的癒着の抑制における精製／改変フカン１の有効性を測定するために、合計２匹のニュージランドホワイト種ウサギの両方の子宮角に、以下の二重子宮角（ＤＵＨ）手術を行った。手術前に、前記ウサギの体重を量り、次いで、ケタミン及びキシラジンの前投薬によって、手術のために準備した。
【０２２５】
乳酸リンゲル液ＵＳＰ（ＬＲＳ）中の０．３３ｍｇ／ｍＬのフコイダン溶液を調製し、濾過によって滅菌した。全ての器具は滅菌され、手術中は滅菌野を維持した。腹部を清潔にし、正中腹部切開によって進入した。子宮角の位置を確定し、体外に露出させ、擦過して傷害を誘導した。擦過した子宮角の近傍の腹壁も擦過した。損傷した子宮角及び側壁領域に最小量のフコイダン溶液を適用した。傷害を受けた子宮角及び腹壁を互いに隣に配置し、縫合糸で固定した。切開を閉じる前に、ウサギ体重あたり約１５ｍＬ／ｋｇのフコイダン溶液を腹腔に適用した。前記手術の２週後に癒着を評価した。子宮角癒着の長さを定規で測定した。総傷害子宮角長に対する癒着の長さの割合である子宮角癒着被覆率を、
式２：癒着被覆率（％）＝１００×子宮角癒着長÷総傷害子宮角長
として算出した。
【０２２６】
ニュージランドホワイト種ウサギに、同じ外科的方法を適用し、フコイダン溶液の代わりに対照である乳酸リンゲル液ＵＳＰ（ＬＲＳ）を約１５ｍＬ／ｋｇ投与した。ＬＲＳが投与された対照群は、式２を用いて算定したところ癒着被覆率は６３％であった。表７は、精製／改変フカンの代表例であるフカン２について、上記で考察されている方法を用いて得られた結果を示す。以下の表における結果は、対照群に比しての癒着被覆率の低下として示される。
【０２２７】
表７は、フカン１による６個の子宮角の処置の結果を提供する。
【０２２８】
【表７】
2021533218.tif 000010
【０２２９】
表７の結果から分かるように、本明細書に記載の精製／改変フカンは、手術後の子宮角癒着を首尾よく処置するのに使用されうる。
【０２３０】
実施例２０  フカン４で処置された子宮角線維性癒着
外科的癒着の抑制における精製／改変フカン４の有効性を測定するために、合計４匹のニュージランドホワイト種ウサギの両方の子宮角に、以下の二重子宮角（ＤＵＨ）手術を行った。手術前に、前記ウサギの体重を量り、次いで、ケタミン及びキシラジンの前投薬によって、手術のために準備した。
【０２３１】
乳酸リンゲル液ＵＳＰ（ＬＲＳ）中の３．７５ｍｇ／ｍＬのフコイダン溶液を調製し、濾過により滅菌した。全ての器具は滅菌され、手術全体を通して滅菌野を維持した。腹部を清潔にし、腹部正中切開により進入した。子宮角の位置を確定し、露出させ、擦過して損傷を誘発した。擦過した子宮角の近傍の腹壁も擦過した。４ｍＬの体積のフコイダン溶液を損傷した左側の子宮角及び側壁領域に直接適用し、４ｍＬのフコイダン溶液を損傷した右側の子宮角及び側壁領域に直接適用した。損傷を受けた子宮角及び腹壁を互いに隣に配置し、縫合糸で固定した。切開を閉鎖する前にドレナージ管を腹腔に配置した。前記ドレナージ管を手術後４８時間で除去した。前記手術の２週後に癒着を評価した。子宮角癒着の長さを定規で測定した。子宮角癒着被覆率を、式２を使用して算出した。
【０２３２】
３匹のニュージランドホワイト種ウサギに、同じ外科的方法を適用し、フコイダン溶液の代わりに一方あたり４ｍＬ／ｋｇ（4 mL per side）の乳酸リンゲル液ＵＳＰ（ＬＲＳ）を対照として投与した。ＬＲＳが投与された対照群は、式２を用いて算定したところ癒着被覆率は７３％であった。表８は、精製／改変フカンの代表例であるフカン４組成物について、上記で考察されている方法を用いて得られた結果を示す。以下の表における結果は、対照群に比しての癒着被覆率の低下として示される。
【０２３３】
表８は、フカン４による８個の子宮角の処置の結果を提供する。
【０２３４】
【表８】
2021533218.tif 000011
【０２３５】
表８の結果から分かるように、精製／改変フカンは、手術後の子宮角癒着を首尾よく処置するのに使用されうる。
【０２３６】
実施例２１  フカン６で処置された子宮角線維性癒着
外科的癒着の抑制における精製／改変フカン６の有効性を測定するために、合計４匹のニュージランドホワイト種ウサギの両方の子宮角に、以下の二重子宮角（ＤＵＨ）手術を行った。手術前に、前記ウサギの体重を量り、次いで、ケタミン及びキシラジンの前投薬によって、手術のために準備した。
【０２３７】
乳酸リンゲル液ＵＳＰ（ＬＲＳ）中の０．３３ｍｇ／ｍＬのフコイダン溶液を調製し、濾過によって滅菌した。全ての器具は滅菌され、手術中は滅菌野を維持した。腹部を清潔にし、正中腹部切開によって進入した。子宮角の位置を確定し、体外に露出させ、擦過して傷害を誘導した。擦過した子宮角の近傍の腹壁も擦過した。損傷した子宮角及び側壁領域に最小量のフコイダン溶液を適用した。傷害を受けた子宮角及び腹壁を互いに隣に配置し、縫合糸で固定した。切開を閉じる前に、ウサギ体重あたり約１５ｍＬ／ｋｇのフコイダン溶液を腹腔に適用した。前記手術の２週後に癒着を評価した。子宮角癒着の長さを定規で測定した。子宮角癒着被覆率を、式２を使用して算出した。
【０２３８】
４匹のニュージランドホワイト種ウサギに、同じ外科的方法を適用し、フコイダン溶液の代わりに対照である乳酸リンゲル液ＵＳＰ（ＬＲＳ）を約１５ｍＬ／ｋｇ投与した。ＬＲＳが投与された対照群は、式２を用いて算定したところ癒着被覆率は７１％であった。表９は、フカン６について、上記で考察されている方法を用いて得られた結果を示す。以下の表における結果は、対照群に比しての癒着被覆率の低下として示される。
【０２３９】
表９は、フカン６による８個の子宮角の処置の結果を提供する。
【０２４０】
【表９】
2021533218.tif 000012
【０２４１】
表９の結果から分かるように、公知の方法を用いて調製され非フカン成分総含有量が５０％超であるフカン６は、線維性癒着の処置には有効ではなかった。
【０２４２】
実施例２２  フカン７で処置された子宮角線維性癒着
外科的癒着の抑制における精製／改変フカン７の有効性を測定するために、合計４匹のニュージランドホワイト種ウサギの両方の子宮角に、以下の二重子宮角（ＤＵＨ）手術を行った。手術前に、前記ウサギの体重を量り、次いで、ケタミン及びキシラジンの前投薬によって、手術のために準備した。
【０２４３】
乳酸リンゲル液ＵＳＰ（ＬＲＳ）中の０．３３ｍｇ／ｍＬのフコイダン溶液を調製し、濾過によって滅菌した。全ての器具は滅菌され、手術中は滅菌野を維持した。腹部を清潔にし、正中腹部切開によって進入した。子宮角の位置を確定し、体外に露出させ、擦過して傷害を誘導した。擦過した子宮角の近傍の腹壁も擦過した。損傷した子宮角及び側壁領域に最小量のフコイダン溶液を適用した。傷害を受けた子宮角及び腹壁を互いに隣に配置し、縫合糸で固定した。切開を閉じる前に、ウサギ体重あたり約１５ｍＬ／ｋｇのフコイダン溶液を腹腔に適用した。前記手術の２週後に癒着を評価した。調製された各フコイダン濃度で３匹のウサギを評価した。子宮角癒着の長さを定規で測定した。子宮角癒着被覆率を、式２を使用して算出した。
【０２４４】
４匹のニュージランドホワイト種ウサギに、同じ外科的方法を適用し、フコイダン溶液の代わりに対照である乳酸リンゲル液ＵＳＰ（ＬＲＳ）を約１５ｍＬ／ｋｇ投与した。ＬＲＳが投与された対照群は、式２を用いて算定したところ癒着被覆率は７６％であった。表１０は、フカン７について、上記で考察されている方法を用いて得られた結果を示す。以下の表における結果は、対照群に比しての癒着被覆率の低下として示される。
【０２４５】
表１０は、フカン７による８個の子宮角の処置の結果を提供する。
【０２４６】
【表１０】
2021533218.tif 000013
【０２４７】
表１０の結果から分かるように、公知の方法を用いて調製され非フカン性成分総含有量が５０％超であるフカン７は、線維性癒着の処置には有効ではなかった。
【０２４８】
実施例２３  フカン４で処置された子宮角線維性癒着
外科的癒着の抑制における精製／改変フカン４の有効性を測定するために、合計３匹のニュージランドホワイト種ウサギの両方の子宮角に、以下の二重子宮角（ＤＵＨ）手術を行った。手術前に、前記ウサギの体重を量り、次いで、ケタミン及びキシラジンの前投薬によって手術のために準備した。
【０２４９】
乳酸リンゲル液ＵＳＰ（ＬＲＳ）中の５ｍｇ／ｍＬのフコイダン溶液を調製し、濾過によって滅菌した。全ての器具は滅菌され、手術全体を通して滅菌野を維持した。腹部を清潔にし、腹部正中切開により進入した。子宮角の位置を確定し、露出させ、擦過して損傷を誘発した。擦過した子宮角の近傍の腹壁も擦過した。損傷を受けた子宮角及び腹壁を互いに隣に配置し、縫合糸で固定した。筋肉切開の上から１／３及び下から１／３を閉じ、ウサギ体重あたり５ｍＬ／ｋｇのフコイダン溶液を腹腔に適用した。筋肉切開を一時的に閉じ、前記フコイダン溶液を腹腔内に３０分間静置した。筋肉切開を再び開き、１０ｍＬ／ｋｇのＬＲＳで腹腔を洗浄した。切開を閉じる前に、腹腔内の大部分の液を吸引除去した。前記手術の２週後に癒着形成を評価した。子宮角癒着の長さを定規で測定した。総損傷子宮角長に対する癒着の長さの割合である子宮角癒着被覆率を、式２を用いて算出した。
【０２５０】
表１１は、精製／改変フカンの代表的な例であるフカン４について、上記で考察された方法を用いて得られた結果を示す。以下の表の結果は、評価された６つの子宮角にわたる平均癒着長として示される。
【０２５１】
表１１は、フカン４による６個の子宮角の処置の結果を提供する。
【０２５２】
【表１１】
2021533218.tif 000014
【０２５３】
表１１の結果から分かるように、精製／改変フカンは、手術後の子宮角癒着を、首尾よく抑制するか、予防するか、除去するか、軽減させるか、又は、それ以外の場合、処置するために使用することができる。
【０２５４】
実施例２４  精製／改変フカン組成物によって処置された子宮角線維性癒着
外科的癒着の抑制における、フコース、ガラクトース、硫酸、及び対イオンの総含有量が９２％ｗ／ｗ以上である精製／改変フカン組成物の有効性を測定するために、合計２０匹のニュージランドホワイト種ウサギの両方の子宮角に、以下の二重子宮角（ＤＵＨ）手術を行った。手術前に、前記ウサギの体重を量り、次いで、ミダゾラム及びデクスメデトミジンの前投薬によって、手術のために準備した。
【０２５５】
乳酸リンゲル液ＵＳＰ（ＬＲＳ）中の０．０２ｍｇ／ｍＬ、０．１ｍｇ／ｍＬ、０．５ｍｇ／ｍＬ又は２．５ｍｇ／ｍＬのフコイダン溶液を調製し、濾過により滅菌した。全ての器具は滅菌され、手術全体を通して滅菌野を維持した。腹部を清潔にし、腹部正中切開により進入した。子宮角の位置を確定し、露出させ、擦過して損傷を誘発した。擦過した子宮角の近傍の腹壁も擦過した。損傷を受けた子宮角及び腹壁を互いに隣に配置し、縫合糸で固定した。切開を閉じる前に、ウサギ体重当たり約２ｍＬ／ｋｇのフコイダン溶液を腹腔に適用した。前記手術の２週後に癒着を評価した。調製された各フコイダン濃度で５匹のウサギを処置し評価した。子宮角癒着の長さを定規で測定した。子宮角癒着被覆率を、式２を使用して算出した。
【０２５６】
対照群として追加の５匹のニュージランドホワイト種ウサギに同じ外科的方法を適用し、それぞれにフコイダン溶液の代わりに約２ｍＬ／ｋｇの対照の乳酸リンゲル液ＵＳＰ（ＬＲＳ）を投与した。ＬＲＳが投与された対照群は、式２を用いて算定したところ癒着被覆率は１００％であった。表１２は、精製／改変フカン組成物について、異なる濃度及び用量で、上記に考察された方法を用いて得られた結果を示す（精製／改変フカン組成物の各濃度に対し１０個ずつ、計４０個の子宮角が処置された）。結果は、対照群に比しての癒着被覆率の低下として示される。
【０２５７】
【表１２】
2021533218.tif 000015
【０２５８】
表１２の結果から分かるように、精製／改変フカン組成物は、手術後の子宮角癒着を、首尾よく抑制するか、予防するか、除去するか、軽減させるか、又は、それ以外の場合、処置するために使用することができる。
【符号の説明】
【０２５９】
１２００      カチオン含有量変更システム
１２０２      流入供給ライン
１２０４      プレフィルタ
１２０６      カチオン含有量変更システム流出バルブ
１２０８      カチオン含有量変更システム流出ライン
１２１０      タンジェンシャルフロー濾過（ＴＦＦ）フィルタ
１２１２      ＴＦＦ供給ライン
１２１４      ＴＦＦ流入ポンプ
１２１６      フカン容器
１２１７      ＴＦＦ保持液バルブ
１２１８      ＴＦＦ保持液戻りライン
１２１９      ＴＦＦ濾過生成物流出ライン
１２２０      第１透析濾過溶液容器
１２２４      第１透析濾過溶液バルブ
１２２５      第１透析濾過溶液供給ライン
１２３０      第２透析濾過溶液容器
１２３４      第２透析濾過溶液バルブ
１２３５      第２透析濾過溶液供給ライン
【０２６０】
本明細書において用いられる全ての用語は、特に文脈又は定義が明確に指示しない限り、それらの通常の意味に従って用いられる。また、特に明示的に示されない限り、本開示において、「又は」の使用は「及び」を含み、且つ、逆もまた同じである。非限定的な用語は、明示的に述べられない限り、又は特に文脈が明確に指示しない限り、限定的なものとして解釈されるものではない（例えば、「含む（ｉｎｃｌｕｄｉｎｇ）」、「有する（ｈａｖｉｎｇ）」及び「含む（ｃｏｍｐｒｉｓｉｎｇ）」は、典型的には、「含むが、これに限定されるものではない（ｉｎｃｌｕｄｉｎｇ  ｗｉｔｈｏｕｔ  ｌｉｍｉｔａｔｉｏｎ）」を示す）。単数形、例えば、「１つ（ａ）」、「１つ（ａｎ）」及び「前記（ｔｈｅ）」は、請求項におけるものを含め、明示的に述べられない限り、又は特に文脈で明確に別途示されない限り、複数の参照（ｐｌｕｒａｌ  ｒｅｆｅｒｅｎｃｅ）を含む。
【０２６１】
特に断らない限り、実施形態の１つの特徴又は複数の特徴の条件又は関係特性を修飾する「実質的に」及び「約」などの本明細書における形容詞は、前記条件又は特性が、それが意図される適用のための実施形態の実施のために許容し得る許容範囲内に規定されることを示す。
【０２６２】
本方法、本組成物、本システムなどの範囲は、ミーンズ・プラス・ファンクション概念及びステップ・プラス・ファンクション概念の両方を含む。しかし、請求項は、「手段」という語が請求項において具体的に記載されない限り「ミーンズ・プラス・ファンクション」関係を示すと解釈されるものではなく、「手段」という語が請求項において具体的に記載される場合には「ミーンズ・プラス・ファンクション」関係を示すと解釈される。同様に、請求項は、「ステップ」という語が請求項において具体的に記載されない限り「ステップ・プラス・ファンクション」関係を示すと解釈されるものではなく、「ステップ」という語が請求項において具体的に記載される場合には「ステップ・プラス・ファンクション」関係を示すと解釈される。
【０２６３】
上文から、具体的な実施形態が例示の目的のために本明細書において考察されたが、本明細書における考察の精神及び範囲から逸脱することなく各種修正を為してもよいことは理解されよう。したがって、前記システム及び前記方法などは、かかる修正並びに本明細書において記載される主題の全ての順列及び組み合わせを含むものであって、添付の請求項又は本明細書における考察及び図における適切な裏付けを有する他の請求項によるものを除き、限定されるものではない。
【図１】
2021533218.tif 000016
【図２Ａ】
2021533218.tif 000017
【図２Ｂ】
2021533218.tif 000018
【手続補正書】
【提出日】令和3年1月20日(2021.1.20)
【手続補正１】
【補正対象書類名】特許請求の範囲
【補正対象項目名】全文
【補正方法】変更
【補正の内容】
【特許請求の範囲】
【請求項１】
少なくとも９６％ｗ／ｗのフカンと４％ｗ／ｗ以下の非フカン性の成分又は化合物又は物質とからなるフカン組成物、ここで前記フカンはフコース、硫酸（sulfate）及び対イオンを含み、これらに加えてさらにガラクトース、グルコース、ラムノース、マンノース、キシロース及びグルクロン酸からなるものであってよい。
【請求項２】
前記非フカン性の成分が水を含む、請求項１に記載のフカン組成物。
【請求項３】
前記フカン及び３％以下の前記非フカン性の成分からなる、請求項１又は請求項２に記載のフカン組成物。
【請求項４】
前記フカン及び２％以下の前記非フカン性の成分からなる、請求項１又は請求項２に記載のフカン組成物。
【請求項５】
前記フカン及び１％以下の前記非フカン性の成分からなる、請求項１又は請求項２に記載のフカン組成物。
【請求項６】
前記フカン及び０．１％以下の前記非フカン性の成分からなる、請求項１又は請求項２に記載のフカン組成物。
【請求項７】
前記フカンのフコース含有量が２５％ｗ／ｗ超である、請求項１〜請求項６のいずれか一項に記載のフカン組成物。
【請求項８】
前記フカンのガラクトース含有量が１０％ｗ／ｗ未満である、請求項１〜請求項７のいずれか一項に記載のフカン組成物。
【請求項９】
前記フカンの対イオンの総含有量が１７％ｗ／ｗ未満である、請求項１〜請求項８のいずれか一項に記載のフカン組成物。
【請求項１０】
前記対イオンが医薬的に許容される対イオンである、請求項１〜請求項９のいずれか一項に記載のフカン組成物。
【請求項１１】
前記医薬的に許容される対イオンが本質的にナトリウム及びカリウムのうち少なくとも１つからなる、請求項１０に記載のフカン組成物。
【請求項１２】
有効分子量範囲が５０ｋＤａ〜５，０００ｋＤａでありヒドロキシル化ポリメタクリレート系ゲルが充填されている内径が７．８ｍｍの１つの３００ｍｍ分析ゲル浸透クロマトグラフィーカラム、有効分子量範囲が１ｋＤａ〜６，０００ｋＤａでありヒドロキシル化ポリメタクリレート系ゲルが充填されている内径が７．８ｍｍの１つの３００ｍｍ分析ゲル浸透クロマトグラフィーカラム、及びヒドロキシル化ポリメタクリレート系ゲルが充填されている内径が６ｍｍの１つの４０ｍｍガードカラム、ここで前記２つの分析ゲル浸透クロマトグラフィーカラム及び前記１つのガードカラムは３０℃のカラムコンパートメントに収容されている；
３０℃の示差屈折率検出器；
０．６ｍＬ／分の０．１Ｍ硝酸ナトリウム移動相流；及び
ピーク分子量が２，２００ｋＤａの第１デキストラン標準品、ピーク分子量が７２０ｋＤａ〜７６０ｋＤａの第２デキストラン標準品、ピーク分子量が４７０ｋＤａ〜５１０ｋＤａの第３デキストラン標準品、ピーク分子量が３７０ｋＤａ〜４１０ｋＤａの第４デキストラン標準品、ピーク分子量が１８０ｋＤａ〜２２０ｋＤａの第５デキストラン標準品、及びピーク分子量が４０ｋＤａ〜５５ｋＤａの第６デキストラン標準品から実質的になるピーク分子量標準曲線に対する定量（quantification）
から実質的になる水系ゲル浸透クロマトグラフィー構成を用いて測定される場合に、分布の少なくとも６０％ｗ／ｗが１００ｋＤａ超となっている分子量分布を前記フカンが有する、請求項１〜請求項１１のいずれか一項に記載のフカン組成物。
【請求項１３】
前記フカンは、分布の少なくとも９２％ｗ／ｗが１００ｋＤａ超である分子量分布を有する、請求項１２に記載のフカン組成物。
【請求項１４】
前記フカンが１００ｋＤａより大きい重量平均分子量を有する、請求項１２に記載のフカン組成物。
【請求項１５】
前記フカンの硫酸化レベルが２０％ｗ／ｗ〜６０％ｗ／ｗである、請求項１〜請求項１４のいずれか一項に記載のフカン組成物。
【請求項１６】
前記フカンの総炭水化物含有量が２７％ｗ／ｗ〜８０％ｗ／ｗである、請求項１〜請求項１５のいずれか一項に記載のフカン組成物。
【請求項１７】
前記フカンのグルクロン酸、マンノース、ラムノース、グルコース及びキシロースの総含有量が、総炭水化物含有量に対する割合として１２％ｗ／ｗ未満である、請求項１６に記載のフカン組成物。
【請求項１８】
水に５０ｍｇ／ｍＬの濃度で溶解される場合に４ｃＰ〜５０ｃＰの粘度を有する、請求項１〜請求項１７のいずれか一項に記載のフカン組成物。
【請求項１９】
白色固体である、請求項１〜請求項１８のいずれか一項に記載のフカン組成物。
【請求項２０】
水に１ｍｇ／ｍＬ〜１００ｍｇ／ｍＬの濃度で溶解される場合に無色透明の溶液を形成する、請求項１〜請求項１９のいずれか一項に記載のフカン組成物。
【請求項２１】
前記フカンのアセチル含有量が５％ｗ／ｗ未満である、請求項１〜請求項２０のいずれか一項に記載のフカン組成物。
【請求項２２】
５ｍｍのコールドプローブを備えた６００ＭＨｚ分光計により、溶媒シグナルを抑制しつつ７０℃で、各回２５６〜５１２回の走査として８ずつ回数を増加させつつ、炭素次元における１０〜３０ｐｐｍの範囲で、２Ｄ  １Ｈ−１３Ｃ異核多量子コヒーレンスによって測定される場合に、前記フカンの有するアセチル含有量が実質的に０％ｗ／ｗである、請求項１〜請求項２１のいずれか一項に記載のフカン組成物。
【請求項２３】
治療上有効量の請求項１〜請求項２２のいずれか一項に記載のフカン組成物を含む、医学的に許容しうる組成物。
【請求項２４】
医学的に許容しうる液体の中に請求項１〜請求項２２のいずれか一項に記載のフカン組成物を０．０２ｍｇ／ｍＬ〜１００ｍｇ／ｍＬ含む医療組成物であって、動物における疾患又は状態を処置するために構成され且つ組成される、医療組成物。
【請求項２５】
前記医療組成物が医療機器である、請求項２４に記載の医療組成物。
【請求項２６】
前記疾患又は前記状態が線維性癒着である、請求項２４又は請求項２５に記載の医療組成物。
【請求項２７】
ヒト以外の動物における疾患又は状態を処置するための０．０１ｍＬ／ｋｇ〜１５ｍＬ／ｋｇを含む用量範囲の請求項２４又は請求項２５に記載の医療組成物の使用。
【手続補正２】
【補正対象書類名】明細書
【補正対象項目名】０２６３
【補正方法】変更
【補正の内容】
【０２６３】
上文から、具体的な実施形態が例示の目的のために本明細書において考察されたが、本明細書における考察の精神及び範囲から逸脱することなく各種修正を為してもよいことは理解されよう。したがって、前記システム及び前記方法などは、かかる修正並びに本明細書において記載される主題の全ての順列及び組み合わせを含むものであって、添付の請求項又は本明細書における考察及び図における適切な裏付けを有する他の請求項によるものを除き、限定されるものではない。
本発明の例示的な態様を以下に記載する。
＜１＞
約９６％ｗ／ｗ以上のフカンと約４％ｗ／ｗ以下の非フカン性の成分又は化合物又は物質とからなるフカン組成物、ここで前記フカンはフコース、硫酸（sulfate）及び対イオンを含み、これらに加えてさらにフコース、硫酸、対イオン、ガラクトース、グルコース、ラムノース、マンノース、キシロース及びグルクロン酸からなるものであってよい。
＜２＞
前記フカンは約１７％ｗ／ｗ以下の対イオンを含み、前記フカンにおけるフコース、ガラクトース、硫酸及び対イオンの総含有量は９６％ｗ／ｗ超である、＜１＞に記載のフカン組成物。
＜３＞
前記フカンがフコース、ガラクトース、硫酸及び対イオンからなる、＜１＞に記載のフカン組成物。
＜４＞
前記不純物が水を含む、＜１＞〜＜３＞のいずれか一項に記載のフカン組成物。
＜５＞
前記フカン及び約３％以下の前記不純物からなる、＜１＞〜＜４＞のいずれか一項に記載のフカン組成物。
＜６＞
前記フカン及び約２％以下の前記不純物からなる、＜１＞〜＜４＞のいずれか一項に記載のフカン組成物。
＜７＞
前記フカン及び約１％以下の前記不純物からなる、＜１＞〜＜４＞のいずれか一項に記載のフカン組成物。
＜８＞
前記フカン及び約０．１％以下の前記不純物からなる、＜１＞〜＜４＞のいずれか一項に記載のフカン組成物。
＜９＞
前記フカンのフコース含有量が２５％ｗ／ｗ超である、＜１＞〜＜８＞のいずれか一項に記載のフカン組成物。
＜１０＞
前記フカンのフコース含有量が３０％ｗ／ｗ超である、＜１＞〜＜８＞のいずれか一項に記載のフカン組成物。
＜１１＞
前記フカンのフコース含有量が３５％ｗ／ｗ超である、＜１＞〜＜８＞のいずれか一項に記載のフカン組成物。
＜１２＞
前記フカンのフコース含有量が４０％ｗ／ｗ超である、＜１＞〜＜８＞のいずれか一項に記載のフカン組成物。
＜１３＞
前記フカンのガラクトース含有量が１０％ｗ／ｗ未満である、＜１＞〜＜８＞のいずれか一項に記載のフカン組成物。
＜１４＞
前記フカンのガラクトース含有量が５％ｗ／ｗ未満である、＜１＞〜＜８＞のいずれか一項に記載のフカン組成物。
＜１５＞
前記フカンの対イオンの総含有量が１７％ｗ／ｗ未満である、＜１＞〜＜８＞のいずれか一項に記載のフカン組成物。
＜１６＞
前記フカンの対イオンの総含有量が１４％ｗ／ｗ未満である、＜１＞〜＜８＞のいずれか一項に記載のフカン組成物。
＜１７＞
前記フカンの対イオンの総含有量が１０％ｗ／ｗ未満である、＜１＞〜＜８＞のいずれか一項に記載のフカン組成物。
＜１８＞
前記フカンの対イオンの総含有量が７％ｗ／ｗ未満である、＜１＞〜＜８＞のいずれか一項に記載のフカン組成物。
＜１９＞
前記対イオンが医薬的に許容される対イオンである、＜１＞〜＜１８＞のいずれか一項に記載のフカン組成物。
＜２０＞
前記医薬的に許容される対イオンがアルミニウム、アルギニン、ベンザチン、クロロプロカイン、コリン、ナトリウム、カリウム、リチウム、アンモニウム、エチレンジアミン、ジエチルアミン、ジエタノールアミン、エタノールアミン、ヒスチジン、リジン、Ｎ−メチルグルカミン、メグルミン、プロカイン、トリエチルアミン、亜鉛、カルシウム、及びマグネシウムのうち少なくとも１つを含む、＜１９＞に記載のフカン組成物。
＜２１＞
前記医薬的に許容される対イオンがナトリウム及びカリウムのうち少なくとも１つを含む、＜１９＞に記載のフカン組成物。
＜２２＞
前記医薬的に許容される対イオンが本質的にナトリウム及びカリウムのうち少なくとも１つからなる、＜１９＞に記載のフカン組成物。
＜２３＞
有効分子量範囲が約５０ｋＤａ〜約５，０００ｋＤａでありヒドロキシル化ポリメタクリレート系ゲルが充填されている内径が７．８ｍｍの３００ｍｍ分析ゲル浸透クロマトグラフィーカラム１つ、有効分子量範囲が約１ｋＤａ〜約６，０００ｋＤａでありヒドロキシル化ポリメタクリレート系ゲルが充填されている内径が７．８ｍｍの３００ｍｍ分析ゲル浸透クロマトグラフィーカラム１つ、及びヒドロキシル化ポリメタクリレート系ゲルが充填されている内径が６ｍｍの４０ｍｍガードカラム１つ、ここで前記２つの分析ゲル浸透クロマトグラフィーカラム及び前記１つのガードカラムは約３０℃のカラムコンパートメントに収容されている；
約３０℃の示差屈折率検出器；
０．６ｍＬ／分の０．１Ｍ硝酸ナトリウム移動相流；及び
ピーク分子量が約２，２００ｋＤａの第１デキストラン標準品、ピーク分子量が約７２０ｋＤａ〜約７６０ｋＤａの第２デキストラン標準品、ピーク分子量が約４７０ｋＤａ〜約５１０ｋＤａの第３デキストラン標準品、ピーク分子量が約３７０ｋＤａ〜約４１０ｋＤａの第４デキストラン標準品、ピーク分子量が約１８０ｋＤａ〜約２２０ｋＤａの第５デキストラン標準品、及びピーク分子量が約４０ｋＤａ〜５５ｋＤａの第６デキストラン標準品から実質的になるピーク分子量標準曲線と照らし合わせての定量（quantification）
から実質的になる水系ゲル浸透クロマトグラフィー構成を用いて測定される場合に、分布の少なくとも６０％ｗ／ｗが１００ｋＤａ超となっている分子量分布を前記フカンが有する、＜１＞〜＜２２＞のいずれか一項に記載のフカン組成物。
＜２４＞
前記フカンは、分布の少なくとも９２％ｗ／ｗが１００ｋＤａ超となっている分子量分布を有する、＜２３＞に記載のフカン組成物。
＜２５＞
前記フカンは、分布の少なくとも９７％ｗ／ｗが１００ｋＤａ超となっている分子量分布を有する、＜２３＞に記載のフカン組成物。
＜２６＞
前記フカンが１００ｋＤａより大きい重量平均分子量を有する、＜２３＞に記載のフカン組成物。
＜２７＞
前記フカンの硫酸化レベルが約２０％ｗ／ｗ〜６０％ｗ／ｗである、＜１＞〜＜２６＞のいずれか一項に記載のフカン組成物。
＜２８＞
前記フカンの硫酸化レベルが約３０％ｗ／ｗ〜５５％ｗ／ｗである、＜１＞〜＜２６＞のいずれか一項に記載のフカン組成物。
＜２９＞
前記フカンの硫酸化レベルが約３５％ｗ／ｗ〜５２％ｗ／ｗである、＜１＞〜＜２６＞のいずれか一項に記載のフカン組成物。
＜３０＞
前記フカンの総炭水化物含有量が２７％ｗ／ｗ〜８０％ｗ／ｗである、＜１＞〜＜２６＞のいずれか一項に記載のフカン組成物。
＜３１＞
前記フカンのグルクロン酸、マンノース、ラムノース、グルコース及びキシロースの総含有量が、総炭水化物含有量に対する割合として約１２％ｗ／ｗ未満である、＜３０＞に記載のフカン組成物。
＜３２＞
水に５０ｍｇ／ｍＬの濃度で溶解される場合に約４ｃＰ〜５０ｃＰの粘度を有する、＜１＞〜＜３１＞のいずれか一項に記載のフカン組成物。
＜３３＞
水に５０ｍｇ／ｍＬの濃度で溶解される場合に約１５ｃＰ〜３０ｃＰの粘度を有する、＜１＞〜＜３１＞のいずれか一項に記載のフカン組成物。
＜３４＞
白色固体である、＜１＞〜＜３３＞のいずれか一項に記載のフカン組成物。
＜３５＞
水に１ｍｇ／ｍＬ〜１００ｍｇ／ｍＬの濃度で溶解される場合に透明あるいは無色である溶液を形成する、＜１＞〜＜３４＞のいずれか一項に記載のフカン組成物。
＜３６＞
前記フカンのアセチル含有量が約５％ｗ／ｗ未満である、＜１＞〜＜３５＞のいずれか一項に記載のフカン組成物。
＜３７＞
前記フカンのアセチル含有量が約２％ｗ／ｗ未満である、＜１＞〜＜３５＞のいずれか一項に記載のフカン組成物。
＜３８＞
５ｍｍのコールドプローブを備えた６００ＭＨｚ分光計により、溶媒シグナルを抑制しつつ７０℃で、各回２５６〜５１２回の走査として８ずつ回数を増加させつつ、炭素次元における１０〜３０ｐｐｍの範囲で、２Ｄ１Ｈ−１３Ｃ異核多量子コヒーレンスによって測定される場合に、前記フカンの有するアセチル含有量が実質的に０％ｗ／ｗである、＜１＞〜＜３５＞のいずれか一項に記載のフカン組成物。
＜３９＞
＜１＞〜＜３８＞のいずれか一項に記載のフカン組成物を作製することを含む方法。
＜４０＞
＜１＞〜＜３８＞のいずれか一項に記載のフカン組成物を使用することを含む方法。
＜４１＞
前記使用することが線維性癒着を処置することを含む＜４０＞に記載の方法。
＜４２＞
医学的に許容しうる緩衝剤又は希釈剤の中に治療上有効量の＜１＞〜＜３８＞のいずれか一項に記載のフカン組成物を含む、医学的に許容しうる組成物。
＜４３＞
動物における状態又は疾患を処置する方法であって、前記状態又は前記疾患を処置するために＜４２＞に記載の医学的に許容しうる組成物を選択すること、及び前記動物に約０．５ｍｇ／ｋｇ〜５０ｍｇ／ｋｇを含む治療上有効量の前記フカンを投与すること、を含む方法。
＜４４＞
動物における状態又は疾患を処置する方法であって、前記状態又は前記疾患を処置するために＜４２＞に記載の医学的に許容しうる組成物を選択すること、及び前記動物に約０．０４ｍｇ／ｋｇ〜２５ｍｇ／ｋｇの治療上有効量の前記フカンを投与すること、を含む方法。
＜４５＞
前記量が約０．２ｍｇ／ｋｇ〜１０ｍｇ／ｋｇである、＜４３＞又は＜４４＞に記載の方法。
＜４６＞
前記量が約１ｍｇ／ｋｇ〜５ｍｇ／ｋｇである、＜４３＞又は＜４４＞に記載の方法。
＜４７＞
前記量が約１．５ｍｇ／ｋｇ〜３ｍｇ／ｋｇである、＜４３＞又は＜４４＞に記載の方法。
＜４８＞
前記量が約５ｍｇ／ｋｇ〜１０ｍｇ／ｋｇである、＜４３＞又は＜４４＞に記載の方法。
＜４９＞
前記状態又は前記疾患が、前記動物における標的部位における線維性癒着であり、前記投与が、前記標的部位に前記治療上有効量を投与することを含む、＜４３＞〜＜４８＞のいずれか一項に記載の方法。
＜５０＞
＜１＞〜＜３８＞のいずれか一項に記載のフカン組成物を約０．０２ｍｇ／ｍＬ〜１００ｍｇ／ｍＬ含む医療組成物であって、動物における疾患又は状態を処置するために構成され且つ組成される、医療組成物。
＜５１＞
前記フカン組成物を約０．５ｍｇ／ｍＬ〜５ｍｇ／ｍＬ含む＜５０＞に記載の医療組成物。
＜５２＞
前記フカン組成物を約２．５ｍｇ／ｍＬ含む＜５０＞に記載の医療組成物。
＜５３＞
前記医療組成物が医療デバイスである、＜５０＞〜＜５２＞のいずれか一項に記載の医療組成物。
＜５４＞
前記医療組成物が液体医療デバイスである、＜５０＞〜＜５２＞のいずれか一項に記載の医療組成物。
＜５５＞
前記医療組成物が医薬組成物である、＜５０＞〜＜５２＞のいずれか一項に記載の医療組成物。
＜５６＞
前記医療組成物が液体医薬組成物である、＜５０＞〜＜５２＞のいずれか一項に記載の医療組成物。
＜５７＞  前記疾患又は前記状態が線維性癒着である、＜５０＞〜＜５６＞のいずれか一項に記載の医療組成物。
＜５８＞
動物における疾患又は状態を処置するための約０．０１ｍＬ／ｋｇ〜１５ｍＬ／ｋｇを含む用量範囲の＜５０＞〜＜５７＞のいずれか一項に記載の医療組成物の使用。
＜５９＞
動物における疾患又は状態を処置するための約０．０３ｍＬ／ｋｇ〜４ｍＬ／ｋｇを含む用量範囲の＜５０＞〜＜５７＞のいずれか一項に記載の医療組成物の使用。
＜６０＞
動物における疾患又は状態を処置するための約０．０６ｍＬ／ｋｇ〜２ｍＬ／ｋｇを含む用量範囲の＜５０＞〜＜５７＞のいずれか一項に記載の医療組成物の使用。
＜６１＞
動物における疾患又は状態を処置するための約２ｍＬ／ｋｇ〜４ｍＬ／ｋｇを含む用量範囲の＜５０＞〜＜５７＞のいずれか一項に記載の医療組成物の使用。
＜６２＞
患者における選択された疾患又は状態を処置するための方法であって、患者における前記選択された疾患もしくは状態を含むか又は前記選択された疾患もしくは状態に罹患しやすいといえる（reasonably susceptible）選択された標的部位を同定すること、及びその後に、前記患者における標的部位に＜５０＞〜＜５７＞のいずれか一項に記載の医療組成物を投与することを含む方法。
＜６３＞
前記疾患又は前記状態が線維性癒着である、＜６２＞に記載の方法。
＜６４＞
前記標的部位が手術部位であり、前記投与がａ）前記手術部位における手術創を開けた後、ｂ）手術中、及びｃ）前記手術創を閉じた後、のうち少なくとも１つにおいて行われる、＜６２＞又は＜６３＞に記載の方法。
＜６５＞
前記投与が手術後且つ前記手術創を閉じる前に行われる、＜６２＞又は＜６３＞に記載の方法。
＜６６＞
前記投与が３分間未満かかる、＜６２＞又は＜６３＞に記載の方法。
＜６７＞
前記投与が２分間未満かかる、＜６２＞又は＜６３＞に記載の方法。
＜６８＞
前記投与が１分間未満かかる、＜６２＞又は＜６３＞に記載の方法。
＜６９＞
前記標的部位が、病変、擦過傷及び傷害部位のうち少なくとも１つである、＜６２＞〜＜６８＞のいずれか一項に記載の方法。
＜７０＞
前記標的部位が、骨盤腔、腹腔、背側腔、頭蓋腔、脊髄腔、腹側腔、胸腔、胸膜腔、心膜腔、関節、筋肉、腱及び靭帯のうち少なくとも１つである、＜６９＞に記載の方法。
＜７１＞
精製／変性フカン組成物を得るために出発フカン組成物から不純物を除去する方法であって、
不純物を含む出発フカン組成物を提供すること、
凝集助剤を前記出発フカン組成物に添加して反応混合物を生成すること、
前記反応混合物を加熱することによって前記不純物を凝集させて、凝集した不純物を生成すること、及び
前記凝集した不純物を除去すること
を含む方法。
＜７２＞
前記出発フカン組成物を提供することは、前記出発フカン組成物を溶液として提供することを含む、＜７１＞に記載の方法。
＜７３＞
不純物が低減された溶液中の前記精製／変性フカン組成物を回収することをさらに含む、＜７１＞に記載の方法。
＜７４＞
前記不純物を凝集させることが、大気圧を超える圧力において前記反応混合物を加熱することを含む、＜７１＞に記載の方法。
＜７５＞
前記凝集助剤は塩を含む、＜７１＞に記載の方法。
＜７６＞
前記塩は、アルカリ金属、アルカリ土類金属、アルミニウム及び／又はアンモニウムの塩化物、臭化物、ヨウ化物、フッ化物、硫酸塩、亜硫酸塩、炭酸塩、重炭酸塩、リン酸塩、硝酸塩、亜硝酸塩、酢酸塩、クエン酸塩、ケイ酸塩及び／又はシアン化物を含む、＜７５＞に記載の方法。
＜７７＞
前記凝集助剤は塩基を含む、＜７１＞に記載の方法。
＜７８＞
前記塩基は、アルカリ金属、アルカリ土類金属、アルミニウム及び／又はアンモニウムの水酸化物及び／又は酸化物を含む、＜７７＞に記載の方法。
＜７９＞
前記除去される不純物は、粒子状物、脂質、脂肪酸、フロロタンニン、ラミナリン、アルギン酸塩、タンパク質、メイラード反応生成物、フコキサンチン、クロロフィル、細菌、細胞成分及びＤＮＡのうち少なくとも１つを含む、＜７１＞〜＜７８＞のいずれか一項に記載の方法。
＜８０＞
精製／変性フカン組成物を得るために出発フカン組成物から不純物を除去する方法であって、
固体である出発フカン組成物と、不純物を溶解するように構成されているがフカンを溶解できない抽出媒体とを提供すること、
前記出発フカン組成物と前記抽出媒体とを混合して前記精製／変性フカン組成物と前記抽出媒体との混合物を作製すること、及び
前記抽出媒体から前記精製／変性フカン組成物を分離すること
を含む方法。
＜８１＞
固体である前記精製／変性フカン組成物を回収することをさらに含む、＜８０＞に記載の方法。
＜８２＞
前記抽出媒体は、相対極性が０．７６５未満である有機溶媒を少なくとも１種含む、＜８０＞に記載の方法。
＜８３＞
前記有機溶媒は、エタノール、イソプロパノール、メタノール、ベンゼン、ジエチルエーテル、デカメチルシクロ−ペンタシロキサン、酢酸エチル、ブタノール、ヘキサン、ヘプタン、ヘプタノール、オクタノール及びデカノールのうち少なくとも１つを含む、＜８２＞に記載の方法。
＜８４＞
前記抽出媒体は、塩基、界面活性剤及び酸化剤のうち少なくとも１つをさらに含む、＜８２＞に記載の方法。
＜８５＞
固体である前記出発フカン組成物を提供することは、溶液から前記出発フカン組成物を沈殿させることを含む、＜８０＞に記載の方法。
＜８６＞
前記除去される不純物は、粒子状物、脂質、脂肪酸、フロロタンニン、ラミナリン、アルギン酸塩、タンパク質、メイラード反応生成物、フコキサンチン、クロロフィル、細菌、細胞成分及びＤＮＡのうち少なくとも１つを含む、＜８０＞〜＜８５＞のいずれか一項に記載の方法。
＜８７＞
精製／変性フカン組成物を得るために出発フカン組成物から不純物を除去する方法であって、
溶液中の懸濁不純物を含む、不純物を含有する出発フカン組成物を提供すること、
イオン性多価不純物沈殿剤を用いて前記不純物を前記溶液から沈殿させることにより、懸濁不純物と沈殿不純物と上清溶液との混合物を生成すること、及び
前記上清溶液から前記懸濁不純物及び前記沈殿不純物を分離すること
を含む方法。
＜８８＞
前記精製／変性フカン組成物を含有する前記上清溶液を回収することをさらに含む、＜８７＞に記載の方法。
＜８９＞
前記イオン性多価不純物沈殿剤は二価又は三価のカチオンの塩を含む、＜８７＞に記載の方法。
＜９０＞
前記塩は、塩化物、臭化物、ヨウ化物、フッ化物、硫酸塩、亜硫酸塩、炭酸塩、重炭酸塩、リン酸塩、硝酸塩、亜硝酸塩、酢酸塩、クエン酸塩、ケイ酸塩及び／又はシアン化物である、＜８９＞に記載の方法。
＜９１＞
前記カチオンは、アルカリ土類金属、亜鉛、アルミニウム、銅及び／又は鉄である、＜８９＞に記載の方法。
＜９２＞
前記イオン性多価不純物沈殿剤は、二価又は三価のカチオンの塩基を含む、＜８７＞に記載の方法。
＜９３＞
前記塩基は、アルカリ土類金属、亜鉛、アルミニウム、銅及び／又は鉄の、水酸化物及び／又は酸化物である、＜９２＞に記載の方法。
＜９４＞
前記上清溶液から前記懸濁不純物及び前記沈殿不純物を分離することは、懸濁不純物と沈殿不純物と上清溶液との前記混合物に凝集剤を添加することにより、前記懸濁不純物及び前記沈殿不純物を凝集させることを含む、＜８７＞〜＜９３＞のいずれか一項に記載の方法。
＜９５＞
前記凝集剤は、硫酸アルミニウムカリウム、硫酸アルミニウムナトリウム、硫酸アンモニウムアルミニウム、塩化カルシウム、リン酸ナトリウム、水酸化アルミニウム、塩化アルミニウム、塩化第二鉄、硫酸第二鉄、硫酸第一鉄、ケイ酸ナトリウム、ケイ酸カルシウム、リン酸カルシウム、塩化亜鉛、炭酸カルシウム、重炭酸カルシウム、硫酸カリウム、リン酸マグネシウム、アクリルアミド、アクリル酸、アルミニウムクロロハイドレート、ポリ塩化アルミニウム、タンニン、ホルムアルデヒド、メラミン、Ｎ，Ｎ−ジメチルアミノエチルアクリレートメチルクロライド、Ｎ，Ｎ−ジメチルアミノエチルメタクリレート塩化メチル四級塩及びポリジアリルジメチル−アンモニウムクロライドのうち少なくとも１つを含む、＜９４＞に記載の方法。
＜９６＞
約７〜１４のｐＨを維持することをさらに含む、＜８７＞〜＜９５＞のいずれか一項に記載の方法。
＜９７＞
前記ｐＨを維持することは、塩基を添加することを含む、＜９６＞に記載の方法。
＜９８＞
前記除去される不純物は、粒子状物、脂質、脂肪酸、フロロタンニン、ラミナリン、アルギン酸塩、タンパク質、メイラード反応生成物、フコキサンチン、クロロフィル、細菌、細胞成分及びＤＮＡのうち少なくとも１つを含む、＜８７＞〜＜９７＞のいずれか一項に記載の方法。
＜９９＞
精製／変性フカン組成物を得るために出発フカン組成物から不純物を除去する方法であって、
不純物を含む出発フカン組成物を提供すること、
前記出発フカン組成物のｐＨを約８〜１４に調整すること、
細胞成分を溶解するように構成されている細胞破壊剤を前記出発フカン組成物に添加して、前記細胞破壊剤と、生体分子溶解物と、前記出発フカン組成物とを含む反応混合物を生成すること、及び
前記細胞破壊剤及び生体分子溶解物を前記反応混合物から除去すること
を含む方法。
＜１００＞
前記出発フカン組成物を提供することは、溶液である前記出発フカン組成物を提供することを含む、＜９９＞に記載の方法。
＜１０１＞
不純物が低減された溶液中の前記精製／変性フカン組成物を回収することをさらに含む、＜９９＞に記載の方法。
＜１０２＞
前記細胞破壊剤は界面活性剤を含む、＜９９＞に記載の方法。
＜１０３＞
前記界面活性剤はアニオン性界面活性剤である、＜１０２＞に記載の方法。
＜１０４＞
前記界面活性剤はカチオン性界面活性剤である、＜１０２＞に記載の方法。
＜１０５＞
前記界面活性剤は非イオン性界面活性剤である、＜１０２＞に記載の方法。
＜１０６＞
前記界面活性剤は、ドデシル硫酸ナトリウム（ＳＤＳ）、塩化ベンザルコニウム、Ｔｒｉｔｏｎ（登録商標）Ｘ１００、Ｔｒｉｔｏｎ（登録商標）Ｘ１１４、Ｂｒｉｊ（登録商標）界面活性剤、Ｔｗｅｅｎ（登録商標）界面活性剤、デオキシコール酸ナトリウム及びアルキルベンゼンスルホネートのうち少なくとも１つを含む、＜１０２＞に記載の方法。
＜１０７＞
前記細胞破壊剤及び生体分子溶解物を除去することは、前記細胞破壊剤及び生体分子溶解物を凝集させるよう構成された凝集剤を前記反応混合物に添加することを含む、＜９９＞〜＜１０６＞のいずれか一項に記載の方法。
＜１０８＞
前記細胞破壊剤を除去することは、前記細胞破壊剤を前記反応混合物に不溶にするように構成された沈殿剤を前記反応混合物に添加して、沈殿物を生成することを含む、＜９９＞〜＜１０６＞のいずれか一項に記載の方法。
＜１０９＞
前記生体分子溶解物を除去することは、前記生体分子溶解物を前記反応混合物に不溶にするように構成された沈殿剤を前記反応混合物に添加して、沈殿物を生成することを含む、＜９９＞〜＜１０８＞のいずれか一項に記載の方法。
＜１１０＞
前記沈殿物を凝集させるよう構成された凝集剤を前記反応混合物に添加することをさらに含む、＜１０８＞及び＜１０９＞のいずれか一項に記載の方法。
＜１１１＞
前記凝集剤は、硫酸アルミニウムカリウム、硫酸アルミニウムナトリウム、硫酸アンモニウムアルミニウム、塩化カルシウム、リン酸ナトリウム、水酸化アルミニウム、塩化アルミニウム、塩化第二鉄、硫酸第二鉄、硫酸第一鉄、ケイ酸ナトリウム、ケイ酸カルシウム、リン酸カルシウム、塩化亜鉛、炭酸カルシウム、重炭酸カルシウム、硫酸カリウム、リン酸マグネシウム、アクリルアミド、アクリル酸、アルミニウムクロロハイドレート、ポリ塩化アルミニウム、タンニン、ホルムアルデヒド、メラミン、Ｎ，Ｎ−ジメチルアミノエチルアクリレートメチルクロライド、Ｎ，Ｎ−ジメチルアミノエチルメタクリレート塩化メチル四級塩及びポリジアリルジメチル−アンモニウムクロライドのうち少なくとも１つを含む、＜１０７＞〜＜１１０＞のいずれか一項に記載の方法。
＜１１２＞
前記アニオン性界面活性剤を除去することはアニオン吸着を含む、＜１０３＞に記載の方法。
＜１１３＞
前記カチオン性界面活性剤を除去することはカチオン吸着を含む、＜１０４＞に記載の方法。
＜１１４＞
前記非イオン性界面活性剤を除去することはミセル相分離を含む、＜１０５＞に記載の方法。
＜１１５＞
前記界面活性剤を除去することは疎水性吸着を含む、＜１０２＞に記載の方法。
＜１１６＞
前記界面活性剤を除去することは、
前記界面活性剤の濃度が所定の濃度未満になるまで前記反応混合物を希釈すること、及び
前記界面活性剤を含む前記反応混合物を、分子量カットオフが前記界面活性剤の最大分子量を超えるタンジェンシャルフロー濾過フィルタによる透析濾過に供すること
を含む、＜１０２＞に記載の方法。
＜１１７＞
前記出発フカン組成物を提供した後且つ前記細胞破壊剤を除去する前に、キレート剤を前記反応混合物に添加することをさらに含む、＜９９＞〜＜１１６＞のいずれか一項に記載の方法。
＜１１８＞
前記キレート剤は、エチレンジアミン四酢酸（ＥＤＴＡ）、２，３−ジメルカプト−１−プロパノール、エチレンジアミン、ポルフィン及び／又はクエン酸を含む、＜１１７＞に記載の方法。
＜１１９＞
前記細胞破壊剤を除去する前に酸化剤反応停止剤（oxidant-quenching agent）を前記反応混合物に添加して、前記反応混合物中の酸化剤の反応を停止（quench）することをさらに含む、＜９９＞〜＜１１８＞のいずれか一項に記載の方法。
＜１２０＞
前記出発フカン組成物を提供した後且つ前記細胞破壊剤を除去する前に、静菌剤（bacteriostatic agent）を前記反応混合物に添加することをさらに含む、＜９９＞〜＜１１９＞のいずれか一項に記載の方法。
＜１２１＞
前記静菌剤は、亜硫酸ナトリウム、エチレンジアミン四酢酸（ＥＤＴＡ）、塩化ベンザルコニウム、エタノール及び／又はチオ尿素を含む、＜１２０＞に記載の方法。
＜１２２＞
前記除去される不純物は、粒子状物、脂質、脂肪酸、フロロタンニン、ラミナリン、アルギン酸塩、タンパク質、メイラード反応生成物、フコキサンチン、クロロフィル、細菌、細胞成分及びＤＮＡのうち少なくとも１つを含む、＜９９＞〜＜１２１＞のいずれか一項に記載の方法。
＜１２３＞
精製／変性フカン組成物を得るために出発フカン組成物から不純物を除去する方法であって、
不純物を含む出発フカン組成物を水性出発溶液中に提供すること、
前記水性出発溶液を有機溶媒と混合して、水相有機相混合物を生成すること、及び
前記水相有機相混合物を分離して水性部分及び有機部分を得ること
を含む方法。
＜１２４＞
前記精製／変性フカン組成物を含有する前記水性部分を回収することをさらに含む、＜１２３＞に記載の方法。
＜１２５＞
前記有機溶媒は、相対極性が０．７６５未満である有機溶媒を少なくとも１種含む、＜１２３＞に記載の方法。
＜１２６＞
前記有機溶媒は、エタノール、イソプロパノール、メタノール、ベンゼン、デカメチルシクロ−ペンタシロキサン、酢酸エチル、ヘキサン、ヘプタノール、オクタノール、デカノール、ヘプタン、酢酸イソブチル、アニソール、酢酸イソプロピル、１−ブタノール、酢酸ブチル、メチルイソブチルケトン、ペンタン、１−ペンタノール、エチルエーテル及び酢酸プロピルのうち少なくとも１つを含む、＜１２３＞〜＜１２５＞のいずれか一項に記載の方法。
＜１２７＞
前記除去される不純物は、粒子状物、脂質、脂肪酸、フロロタンニン、ラミナリン、アルギン酸塩、タンパク質、メイラード反応生成物、フコキサンチン、クロロフィル、細菌、細胞成分及びＤＮＡのうち少なくとも１つを含む、＜１２３＞〜＜１２６＞のいずれか一項に記載の方法。
＜１２８＞
出発フカン組成物のカチオン含有量を変更する方法であって、
出発フカン組成物を出発溶液中に提供すること、及び
タンジェンシャルフロー濾過フィルタを通るキレート剤溶液を用いて前記出発溶液をタンジェンシャルフロー濾過フィルタを通して透析濾過し、保持フカン組成物を生成すること
を含む方法。
＜１２９＞
前記キレート剤は、エチレンジアミン四酢酸（ＥＤＴＡ）、２，３−ジメルカプト−１−プロパノール、エチレンジアミン、ポルフィン及びクエン酸のうち少なくとも１つを含む、＜１２８＞に記載の方法。
＜１３０＞
前記保持フカン組成物の有するカチオン含有量が本質的にナトリウム及び／又はカリウムからなる、＜１２８＞に記載の方法。
＜１３１＞
精製／変性フカン組成物を得るために出発フカン組成物から不純物を除去する方法であって、
不純物を含む出発フカン組成物を提供すること、
超臨界抽出装置で７０バールを超える適切な圧力及び３０℃を超える適切な温度に前記出発フカン組成物を供すること、
超臨界抽出装置に超臨界流体を充填して、前記超臨界流体中に不純物を除去すること、及び
前記抽出された不純物を含む超臨界流体を所定の時間後に除去すること
を含む方法。
＜１３２＞
前記超臨界抽出装置に残留している前記精製／変性フカン組成物を回収することをさらに含む、＜１３１＞に記載の方法。
＜１３３＞
前記圧力は約７０バール〜約２０００バールである、＜１３１＞に記載の方法。
＜１３４＞
前記温度は約３０℃〜約３００℃である、＜１３１＞に記載の方法。
＜１３５＞
前記出発フカン組成物は液体である、＜１３１＞に記載の方法。
＜１３６＞
前記出発フカン組成物は固体である、＜１３１＞に記載の方法。
＜１３７＞
前記超臨界流体は、二酸化炭素、エタノール、エタン、塩酸、フッ化水素酸、硫酸及び硝酸のうち少なくとも１つを含む、＜１３１＞に記載の方法。
＜１３８＞
前記所定の時間は約５分〜５０時間である、＜１３１＞に記載の方法。
＜１３９＞
前記除去される不純物は、粒子状物、脂質、脂肪酸、フロロタンニン、ラミナリン、アルギン酸塩、タンパク質、メイラード反応生成物、フコキサンチン、クロロフィル、細菌、細胞成分及びＤＮＡのうち少なくとも１つを含む、＜１３１＞〜＜１３８＞のいずれか一項に記載の方法。
【国際調査報告】
2021533218.tif 000019
2021533218.tif 000020
2021533218.tif 000021
2021533218.tif 000022
2021533218.tif 000023